(57)【特許請求の範囲】
【請求項１】
複数の利用者により共用される車両の予約を行う車両予約システムにおいて、
車両の予約状況を確認し、所定の時点から連続して前記車両を利用することが可能な時間を算出する算出手段と、
時間を表示する表示手段と、
前記算出手段により算出した前記車両を利用することが可能な時間に基づいて、前記表示手段に表示される時間が選択可能な否かの表示を制御する制御手段と、
前記表示手段に表示された時間に対応して配設され、接触または非接触で前記車両の外部からの検知対象を検知する検知手段と、
前記検知手段により検知対象が検知されると、前記所定の時点から検知対象を検知した前記検知手段に対応した時間だけ、前記車両の予約を不可能な状態とする仮予約を行う仮予約手段と、
前記車両を利用する利用者への認証を行う認証手段と、
前記認証手段により認証されると、前記仮予約手段でなされた仮予約に基づいて、前記車両を利用するための予約を行う予約手段と、
前記車両内に配設され、前記車両に乗車した利用者によるパスワードの入力が可能な第１の入力手段と、
前記第１の入力手段に入力されたパスワードと、記憶されたパスワードとが一致するか否かの判断を行う判断手段と、
前記判断手段により、入力されたパスワードと記憶されたパスワードとが一致すると判断されると、前記車両のエンジンを始動する承認を与え、該エンジンを始動することができる状態とする承認手段と
を有することを特徴とする車両予約システム。
【請求項２】
請求項１に記載の車両予約システムにおいて、さらに、
前記車両の外部から利用者による暗証番号の入力が可能な第２の入力手段と
を有し、
前記認証手段は、前記第２の入力手段に入力されたパスワードとＩＣ運転免許証とを利用して認証処理を行う
ことを特徴とする車両予約システム。
【請求項３】
時間を表示する表示手段と、
前記表示手段に表示された時間に対応して配設され、接触または非接触で車両の外部からの検知対象を検知する検知手段と、
前記車両内に配設され、前記車両に乗車した利用者によるパスワードの入力が可能な第１の入力手段と
を有する車両予約システムによって、複数の利用者により共用される車両の予約を行う車両予約方法であって、
前記車両の予約状況を確認し、所定の時点から連続して前記車両を利用することが可能な時間を算出する算出工程と、
前記算出工程で算出した前記車両を利用することが可能な時間に基づいて、前記表示手段に表示される時間が選択可能であるか否かの表示を制御する制御工程と、
前記検知手段により検知対象が検知されると、前記所定の時間から検知対象を検知した前記検知手段に対応した時間だけ、前記車両の予約を不可能な状態とする仮予約を行う仮予約工程と、
前記車両を利用する利用者への認証を行う認証工程と、
前記認証工程で認証されると、前記仮予約工程でなされた仮予約に基づいて、前記車両を利用するための予約を行う予約工程と、
前記第１の入力手段にパスワードが入力されると、該パスワードと記憶されたパスワードとが一致するか否かの判断を行う判断工程と、
前記判断工程で入力されたパスワードと記憶されたパスワードとが一致すると判断されると、前記車両のエンジンを始動する承認を与え、該エンジンを始動するとができる状態とする承認工程と
を前記車両予約システムが実行する
ことを特徴とする車両予約方法。
【請求項４】
請求項３に記載の車両予約方法において、
前記車両予約システムは、前記車両の外部から利用者による暗証番号の入力が可能な第２の入力手段を備え、
前記認証工程では、前記第２の入力手段に入力されたパスワードとＩＣ運転免許証とを利用して認証処理を行う
ことを特徴とする車両予約方法。
【請求項５】
請求項１または２のいずれか１項に記載の車両予約システムとしてコンピューターを機能させるためのプログラム。
【請求項６】
請求項３または４のいずれか１項に記載の車両予約方法をコンピューターに実行させるためのプログラム。
【請求項７】
請求項５または６のいずれか１項に記載のプログラムを記録したコンピューター読み取り可能な記録媒体。
【発明の詳細な説明】
【技術分野】
【０００１】
本発明は、車両予約システム、車両予約方法、プログラムおよびコンピューター読み取り可能な記録媒体に関し、さらに詳細には、複数の利用者により共用される車両を予約する車両予約システム、車両予約方法、プログラムおよびコンピューター読み取り可能な記録媒体に関する。
【背景技術】
【０００２】
複数の利用者が車両を共用する利用形態の一例として、一台の自動車を複数の会員が共同で利用する、所謂、カーシェアリングが知られている。
【０００３】
ここで、カーシェアリングとは、利用者は自ら自動車を所有せず、カーシェアリング事業者（以下、単に「事業者」と適宜に称する。）の会員となり、必要に応じてその事業者から提供された自動車を借りるというものである。
【０００４】
また、カーシェアリングは、ある地域に限定したコミュニティーの中で会員同士で自動車を共有し、インターネットなどを通じて車両の利用状態の確認や利用予約を行うようにしているため、貸し出し手続に時間を必要とせず、貸し出し・返却場所は、居住しているマンションの駐車場であったり、あるいは、通勤駅の近くであったりと、会員が利用するにあたって便利な場所に設定されていることが多い。
【０００５】
こうしたカーシェアリングにより、利用者は、自動車を所有する場合に比べて、自動車取得費用、維持経費ならびに駐車料金といった費用を削減することができるようになる。
【０００６】
さらに、カーシェアリングが広く普及されることにより、自動車の総台数の低減が見込まれ、都市の交通渋滞の緩和やエネルギー消費量の低減により、二酸化炭素による地球温暖化を抑止する効果が期待されている。
【０００７】
なお、以下の説明においては、「自動車」を「車両」と称することとする。
【０００８】
ところで、上記したようなカーシェアリングを可能とするシステム（以下、「カーシェアリングを可能とするシステム」を、「カーシェアリングシステム」と称する。）では、事業者が事業目的で車載器を搭載した車両を準備し、事業者は当該車両を会員登録済みの複数の利用者に提供するものであった。
【０００９】
なお、車載器とは、カーシェリングシステムにより車両を管理するための装置である。
【００１０】
そして、利用者は当該車両を共用し、当該車両の利用に伴って生じた料金を事業者に対して支払うものであった。
【００１１】
即ち、こうしたカーシェアリングシステムにおいては、事業者がカーシェアリングシステムの管理を行うとともに、当該カーシェアリングシステムによる管理を行うための車載器を搭載した車両の維持、管理を行う。
【００１２】
また、事業者は、車両を共用する利用者を募集し、募集に応じた複数の利用者と事業者との間で車両の利用に関する契約を交わし、車載器が搭載された車両を当該複数の利用者に提供する。
【００１３】
そして、利用者はそれぞれ、事業者から提供された車両（つまり、車載器が搭載された車両である。）の利用予約を行って当該車両を共用することとなる。
【００１４】
なお、こうした予約および予約を行うための予約サイトの管理についても、事業者が行うこととなる。
【００１５】
そして、利用者は、車両の利用により生じた料金を事業者に支払うものである。
【００１６】
上記したようなカーシェアリングシステムにおいては、例えば、図１のブロック構成図に示すようなシステムを構築し、このシステムにより車両の予約や運行の管理が行われている。
【００１７】
即ち、従来の技術によるカーシェアリングシステム１００は、カーシェアリングシステム１００の事業者のパーソナルコンピューター１０２や事業者の会員となった利用者のパーソナルコンピューター１０４や当該利用者の携帯端末１０６とネットワークを介して接続されるサーバー１０８と、車両１１０に設けられて携帯電話網でサーバー１０８と接続される車載器１１２と、車両１１０の所定の位置に取り付けられるとともに車載器１１２に接続されるカードリーダー１１４と、車両１１０のダッシュボード内などに設けられるとともに車載器１１２に接続されるキーボックス１１６とを有して構成されている。
【００１８】
以上の構成において、カーシェアリングシステム１００を利用して車両１１０の予約や利用を行うには、まず、利用者が事業者に対して会員登録を行う。このとき、事業者は、各利用者に対して利用者固有の登録コードを作成するとともに、当該登録コードを認証用コードとして記憶したＩＣカードを発行し、各利用者に提供する。
【００１９】
そして、利用者が予約を行う場合には、利用者がパーソナルコンピューター１０４あるいは携帯端末１０６を利用してサーバー１０８に管理された予約サイトにアクセスし、車両１１０の予約状況を確認し、利用者の要望にあった車両１１０の予約を行う。
【００２０】
その後、予約した利用開始時間になると、携帯電話網を利用して予約情報がサーバー１０８から車載器１１２に送られて、カードリーダー１１４が起動される。
【００２１】
一方、利用者は、予約した利用開始時間に車両１１０が駐車された駐車場まで行き、カードリーダー１１４に会員登録時に取得したＩＣカードを読み取らせて認証を受ける。これにより、車両１１０では、ドアのロックが解除されるとともに、キーボックス１１６からキーが取り出せる状態となり、利用者による利用が可能な状態となる。
【００２２】
そして、利用者は、予約した利用終了時間まで車両１１０を利用することが可能であるが、利用者は、予約した利用終了時間までに車両１１０の返却を完了しなければならない。
【００２３】
即ち、利用者は、予約した利用終了時間までに、車両１１０を決められた駐車場に駐車させて、キーをキーボックス１１６に返却するとともに全てのドアを閉め、カードリーダー１１４にＩＣカードを読み取らせて認証を受けて、車両１１０の返却を完了しなければならない。
【００２４】
こうして、車両１１０の返却が完了することにより、利用者による車両１１０の利用が終了することとなる。
【００２５】
その後、車載器１１２において走行距離、利用時間ならびに車両１１０の状態などが確認され、確認された利用時間に応じた時間料金に、走行距離に応じた距離料金を加算して、車両１１０の利用により生じる料金を算出し、算出した料金を利用者のパーソナルコンピューター１０４もしくは携帯端末１０６に通知する。
【００２６】
なお、事業者は、こうした利用者による利用状況をパーソナルコンピューター１０２で確認することができ、さらに、パーソナルコンピューター１０２において、システム上のトラブルについても確認することができる。
【００２７】
ここで、こうした従来の技術によるカーシェアリングシステム１００においては、車両１１０を事前に予約しなければならず、例えば、車両１１０が駐車する駐車場にいる利用者が、当該車両１１０を今すぐ利用したい場合であっても、携帯端末１０６などを介して、利用する車両１１０の予約の手続を予約サイトにおいて行わなければならなかった。
【００２８】
即ち、車両１１０が駐車された駐車場にいる利用者が、車両１１０を直ちに利用したい場合には、携帯端末１０６から予約サイトにアクセスし、事業者から取得したＩＤやパスワードを入力して予約サイトにログインした後、予約サイトに表示された表示内容を利用者が検討して、車両１１０の予約を行うものであった。
【００２９】
なお、以下の説明においては、「携帯端末１０６などを介して、利用する車両１１０を予約すること」を、「事前予約」と称することとする。
【００３０】
しかしながら、こうした事前予約は、例えば、ＩＤやパスワードを入力したり、予約サイトに表示された表示内容を利用者が検討しなければならず、直ちに車両１１０を利用したい利用者にとっては、極めて煩わしい作業となっていた。
【００３１】
このため、容易に、車両１１０を直ちに利用可能な予約（以下、「利用する車両１１０を直ちに利用可能な予約」を、「即時利用予約」と称する。）を行うことができ、利用者が直ちに車両１１０を利用することができるようにした車両予約システムの提案が望まれていた。
【００３２】
なお、本願出願人が特許出願のときに知っている先行技術は、文献公知発明に係る発明ではないため、本願明細書に記載すべき先行技術文献情報はない。
【発明の概要】
【発明が解決しようとする課題】
【００３３】
本発明は、従来の技術の有する上記したような要望に鑑みてなされたものであり、その目的とするところは、容易に、即時利用予約を行うことができる車両予約システム、車両予約方法、プログラムおよびコンピューター読み取り可能な記録媒体を提供しようとするものである。
【課題を解決するための手段】
【００３４】
上記目的を達成するために、本発明による車両予約システムは、複数の利用者により共用される車両の予約を行う車両予約システムにおいて、車両の予約状況を確認し、所定の時点から連続して上記車両を利用することが可能な時間を算出する算出手段と、時間を表示する表示手段と、上記算出手段により算出した上記車両を利用することが可能な時間に基づいて、上記表示手段に表示される時間が選択可能な否かの表示を制御する制御手段と、上記表示手段に表示された時間に対応して配設され、接触または非接触で上記車両の外部からの検知対象を検知する検知手段と、上記車両を利用する利用者への認証を行う認証手段と、上記検知手段により検知対象が検知されると、上記車両を利用する利用者への認証を行う認証手段と、上記認証手段により認証されると、上記所定の時点から検知対象を検知した上記検知手段に対応した時間だけ、上記車両を利用するための予約を行う予約手段と、上記車両内に配設され、上記車両に乗車した利用者によるパスワードの入力が可能な第１の入力手段と、上記第１の入力手段に入力されたパスワードと、記憶されたパスワードとが一致するか否かの判断を行う判断手段と、上記判断手段により、入力されたパスワードと記憶されたパスワードとが一致すると判断されると、上記車両のエンジンを始動する承認を与え、該エンジンを始動することができる状態とする承認手段とを有するようにしたものである。
【００３５】
また、本発明による車両予約システムは、複数の利用者による共用される車両の予約を行う車両予約システムにおいて、上記車両を利用する利用者への認証を行う認証手段と、上記認証手段により認証されると、上記車両の予約状況を確認し、所定の時点から連続して上記車両を利用することが可能な時間を算出する算出手段と、時間を表示する表示手段と、上記算出手段により算出した上記車両を利用することが可能な時間に基づいて、上記表示手段に表示される時間が選択可能な否かの表示を制御する制御手段と、上記表示手段に表示された時間に対応して配設され、接触または非接触で上記車両の外部からの検知対象を検知する検知手段と、上記検知手段により検知対象が検知されると、上記所定の時点から検知対象を検知した上記検知手段に対応した時間だけ、上記車両を利用するための予約を行う予約手段と、上記車両内に配設され、上記車両に乗車した利用者によるパスワードの入力が可能な第１の入力手段と、上記第１の入力手段に入力されたパスワードと、記憶されたパスワードとが一致するか否かの判断を行う判断手段と、上記判断手段により、入力されたパスワードと記憶されたパスワードとが一致すると判断されると、上記車両のエンジンを始動する承認を与え、該エンジンを始動することができる状態とする承認手段とを有するようにしたものである。
【００３６】
また、本発明による車両予約システムは、上記した車両予約システムにおいて、さらに、上記予約手段により予約された時間は、上記車両を予約することができない状態とする予約管理手段とを有するようにした。
【００３７】
また、本発明による車両予約システムは、複数の利用者により共用される車両の予約を行う車両予約システムにおいて、車両の予約状況を確認し、所定の時点から連続して上記車両を利用することが可能な時間を算出する算出手段と、時間を表示する表示手段と、上記算出手段により算出した上記車両を利用することが可能な時間に基づいて、上記表示手段に表示される時間が選択可能な否かの表示を制御する制御手段と、上記表示手段に表示された時間に対応して配設され、接触または非接触で上記車両の外部からの検知対象を検知する検知手段と、上記検知手段により検知対象が検知されると、上記所定の時点から検知対象を検知した上記検知手段に対応した時間だけ、上記車両の予約を不可能な状態とする仮予約を行う仮予約手段と、上記車両を利用する利用者への認証を行う認証手段と、上記認証手段により認証されると、上記仮予約手段でなされた仮予約に基づいて、上記車両を利用するための予約を行う予約手段と、上記車両内に配設され、上記車両に乗車した利用者によるパスワードの入力が可能な第１の入力手段と、上記第１の入力手段に入力されたパスワードと、記憶されたパスワードとが一致するか否かの判断を行う判断手段と、上記判断手段により、入力されたパスワードと記憶されたパスワードとが一致すると判断されると、上記車両のエンジンを始動する承認を与え、該エンジンを始動することができる状態とする承認手段とを有するようにしたものである。
【００３８】
また、本発明による車両予約システムは、上記した車両予約システムにおいて、さらに、上記車両の外部から利用者による暗証番号の入力が可能な第２の入力手段とを有し、上記認証手段は、上記第２の入力手段に入力されたパスワードとＩＣ運転免許証とを利用して認証処理を行うようにしたものである。
【００３９】
また、本発明による車両予約方法は、時間を表示する表示手段と、上記表示手段に表示された時間に対応して配設され、接触または非接触で上記車両の外部からの検知対象を検知する検知手段と、上記車両内に配設され、上記車両に乗車した利用者によるパスワードの入力が可能な第１の入力手段とを有する車両予約システムによって、複数の利用者により共用される車両の予約を行う車両予約方法であって、上記車両の予約状況を確認し、所定の時点から連続して上記車両を利用することが可能な時間を算出する算出工程と、上記算出工程で算出した上記車両を利用することが可能な時間に基づいて、上記表示手段に表示される時間が選択可能であるか否かの表示を制御する制御工程と、上記検出手段により検知対象が検知されると、上記車両を利用する利用者への認証を行う認証工程と、上記認証工程で認証されると、上記所定の時点から検知対象を検知した上記検知手段に対応した時間だけ、上記車両を利用するための予約を行う予約工程と、上記第１の入力手段にパスワードが入力されると、該パスワードと記憶されたパスワードとが一致するか否かの判断を行う判断工程と、上記判断工程で入力されたパスワードと記憶されたパスワードとが一致すると判断されると、上記車両のエンジンを始動する承認を与え、該エンジンを始動するとができる状態とする承認工程とを上記車両予約システムが実行するようにしたものである。
【００４０】
また、本発明による車両予約方法は、時間を表示する表示手段と、上記表示手段に表示された時間に対応して配設され、接触または非接触で上記車両の外部からの検知対象を検知する検知手段と、上記車両内に配設され、上記車両に乗車した利用者によるパスワードの入力が可能な第１の入力手段とを有する車両予約システムによって、複数の利用者により共用される車両の予約を行う車両予約方法であって、上記車両を利用する利用者への認証を行う認証工程と、上記認証工程で認証されると、上記車両の予約状況を確認し、所定の時点から連続して上記車両を利用することが可能な時間を算出する算出工程と、上記算出工程で算出した上記車両を利用することが可能な時間に基づいて、上記表示手段に表示される時間が選択可能であるか否かの表示を制御する制御工程と、上記検知手段により検知対象が検知されると、上記所定の時点から検知対象を検知した上記検知手段に対応した時間だけ、上記車両を利用するための予約を行う予約工程と、上記第１の入力手段にパスワードが入力されると、該パスワードと記憶されたパスワードとが一致するか否かの判断を行う判断工程と、上記判断工程で入力されたパスワードと記憶されたパスワートとが一致すると判断されると、上記車両のエンジンを始動する承認を与え、該エンジンを始動することができる状態とする承認工程とを上記車両予約システムが実行するようにしたものである。
【００４１】
また、本発明による車両予約方法は、上記した車両予約方法において、さらに、上記予約工程で予約された時間は、上記車両を予約することができない状態とする予約管理工程とを上記車両予約システムが実行するようにしたものである。
【００４２】
また、本発明による車両予約方法は、時間を表示する表示手段と、上記表示手段に表示された時間に対応して配設され、接触または非接触で上記車両の外部からの検知対象を検知する検知手段と、上記車両内に配設され、上記車両に乗車した利用者によるパスワードの入力が可能な第１の入力手段とを有する車両予約システムによって、複数の利用者により共用される車両の予約を行う車両予約方法であって、上記車両の予約状況を確認し、所定の時点から連続して上記車両を利用することが可能な時間を算出する算出工程と、上記算出工程で算出した上記車両を利用することが可能な時間に基づいて、上記表示手段に表示される時間が選択可能であるか否かの表示を制御する制御工程と、上記検知手段により検知対象が検知されると、上記所定の時間から検知対象を検知した上記検知手段に対応した時間だけ、上記車両の予約を不可能な状態とする仮予約を行う仮予約工程と、上記車両を利用する利用者への認証を行う認証工程と、上記認証工程で認証されると、上記仮予約工程でなされた仮予約に基づいて、上記車両を利用するための予約を行う予約工程と、上記第１の入力手段にパスワードが入力されると、該パスワードと記憶されたパスワードとが一致するか否かの判断を行う判断工程と、上記判断工程で入力されたパスワードと記憶されたパスワードとが一致すると判断されると、上記車両のエンジンを始動する承認を与え、該エンジンを始動することができる状態とする承認工程とを上記車両予約システムが実行するようにしたものである。
【００４３】
また、本発明による車両予約方法は、上記した車両予約方法において、上記車両予約システムは、上記車両の外部から利用者による暗証番号の入力が可能な第２の入力手段を備え、上記認証工程では、上記第２の入力手段に入力されたパスワードとＩＣ運転免許証とを利用して認証処理を行うようにしたものである。
【００４４】
また、本発明によるプログラムは、上記した車両予約システムとしてコンピューターを機能させるようにしたものである。
【００４５】
また、本発明によるプログラムは、上記した車両予約方法をコンピューターに実行させるようにしたものである。
【００４６】
また、本発明によるコンピューター読み取り可能な記録媒体は、上記したプログラムを記録するようにしたものである。
【発明の効果】
【００４７】
本発明は、以上説明したように構成されているので、容易に即時利用予約を行うことができるという優れた効果を奏するものである。
【図面の簡単な説明】
【００４８】
【図１】図１は、従来の技術によるカーシェアリングシステムの概要を示すブロック構成説明図である。
【図２】図２は、本発明の第１の実施の形態による車両予約システムを備えたカーシェアリングシステムの概要を示すブロック構成説明図である。
【図３】図３は、即時利用予約装置の概略構成説明図である。
【図４】図４は、本発明の第１の実施の形態による車両予約システムを備えたカーシェアリングシステムの利用手順を示すフローチャートである。
【図５】図５は、本発明の第１の実施の形態による車両予約システムを備えたカーシェアリングシステムにおける即時利用予約処理（第１の即時利用予約処理）の処理ルーチンを示すフローチャートである。
【図６】図６は、第１の即時利用予約処理における第１の予約処理の処理ルーチンを示すフローチャートである。
【図７】図７は、第１の即時利用予約処理における第２の予約処理の処理ルーチンを示すフローチャートである。
【図８】図８は、第１の即時利用予約処理における第３の予約処理の処理ルーチンを示すフローチャートである。
【図９】図９は、第１の即時利用予約処理における第４の予約処理の処理ルーチンを示すフローチャートである。
【図１０】図１０は、車両利用前の認証処理の処理ルーチンを示すフローチャートである。
【図１１】図１１は、車両利用後の認証処理の処理ルーチンを示すフローチャートである。
【図１２】図１２は、第１の認証処理の処理ルーチンを示すフローチャートである。
【図１３】図１３は、第２の認証処理の処理ルーチンを示すフローチャートである。
【図１４】図１４は、第３の認証処理の処理ルーチンを示すフローチャートである。
【図１５】図１５は、第４の認証処理の処理ルーチンを示すフローチャートである。
【図１６】図１６は、第５の認証処理の処理ルーチンを示すフローチャートである。
【図１７】図１７は、第６の認証処理の処理ルーチンを示すフローチャートである。
【図１８】図１８は、本発明の第１の実施の形態による車両予約システムを備えたカーシェアリングシステムにおけるエンジン始動承認処理の処理ルーチンを示すフローチャートである。
【図１９】図１９は、本発明の第２の実施の形態による車両予約システムを備えたカーシェアリングシステムの利用手順を示すフローチャートである。
【図２０】図２０は、本発明の第２の実施の形態による車両予約システムを備えたカーシェアリングシステムにおける即時利用予約処理（第２の即時利用予約処理）の処理ルーチンを示すフローチャートである。
【図２１】図２１は、ＩＣカードによる認証処理の処理ルーチンを示すフローチャートである。
【図２２】図２２は、第２の即時利用予約処理における第１の予約処理の処理ルーチンを示すフローチャートである。
【図２３】図２３は、第２の即時利用予約処理における第２の予約処理の処理ルーチンを示すフローチャートである。
【図２４】図２４は、第２の即時利用予約処理における第３の予約処理の処理ルーチンを示すフローチャートである。
【図２５】図２５は、第２の即時利用予約処理における第４の予約処理の処理ルーチンを示すフローチャートである。
【図２６】図２６は、本発明の第２の実施の形態による車両予約システムを備えたカーシェアリングシステムにおけるエンジン始動承認処理の処理ルーチンを示すフローチャートである。
【図２７】図２７は、本発明の第１の実施の形態による車両予約システムを備えたカーシェアリングシステムおよび本発明の第２の実施の形態による車両予約システムを備えたカーシェアリングシステムの変形例の概要を示すブロック構成説明図である。
【図２８】図２８は、本発明の第１の実施の形態による車両予約システムを備えたカーシェアリングシステムにおけるＩＣ運転免許証を用いた第１の認証処理の詳細な処理内容が示されたフローチャートである。
【図２９】図２９は、本発明の第１の実施の形態による車両予約システムを備えたカーシェアリングシステムにおけるＩＣ運転免許証を用いた第２の認証処理の詳細な処理内容が示されたフローチャートである。
【図３０】図３０は、本発明の第１の実施の形態による車両予約システムを備えたカーシェアリングシステムにおけるＩＣ運転免許証を用いた第３の認証処理の詳細な処理内容が示されたフローチャートである。
【図３１】図３１は、本発明の第１の実施の形態による車両予約システムを備えたカーシェアリングシステムにおけるＩＣ運転免許証を用いた第４の認証処理の詳細な処理内容が示されたフローチャートである。
【図３２】図３２は、本発明の第１の実施の形態による車両予約システムを備えたカーシェアリングシステムにおけるＩＣ運転免許証を用いた第５の認証処理の詳細な処理内容が示されたフローチャートである。
【図３３】図３３は、本発明の第１の実施の形態による車両予約システムを備えたカーシェアリングシステムにおけるＩＣ運転免許証を用いた第６の認証処理の詳細な処理内容が示されたフローチャートである。
【図３４】図３４は、本発明の第２の実施の形態による車両予約システムを備えたカーシェアリングシステムにおけるＩＣ運転免許証を用いた認証処理の詳細な処理内容が示されたフローチャートである。
【発明を実施するための形態】
【００４９】
以下、添付の図面を参照しながら、本発明による車両予約システム、車両予約方法、プログラムおよびコンピューター読み取り可能な記録媒体の実施の形態の一例を詳細に説明するものとする。
【００５０】
なお、以下の説明においては、図１を参照しながら説明した従来の技術によるカーシェアリングシステムと同一または相当する構成については、上記において用いた符号と同一の符号を用いて示すことにより、その詳細な構成ならびに作用の説明は適宜に省略することとする。
【００５１】
まず、図２乃至図１８を参照しながら、本発明による車両予約システムの第１の実施の形態について説明する。
【００５２】
ここで、図２には、本発明の第１の実施の形態による車両予約システムを備えたカーシェアリングシステムの概要を示すブロック構成説明図が示されている。
【００５３】
この図２に示す本発明の第１の実施の形態による車両予約システムを備えたカーシェアリングシステム１０は、カーシェアリングシステム１０の事業者のパーソナルコンピューター１０２と接続されるとともに事業者の会員となった利用者のパーソナルコンピューター１０４や当該利用者の携帯端末１０６とネットワークなどを介して接続されるサーバー１０８と、車両１１０内に配設されるとともにサーバー１０８と携帯電話網を利用して接続される車載器１２と、車載器１２と接続され、利用者により翳されたＩＣカードに記憶された情報を読み込むカードリーダー１１４と、車両１１０内に配設されるとともに車載器１２と接続され、車両１１０のキーが収納されたキーボックス１１６と、車載器１２と接続され、人の指を検知する近接センサ１４が設けられた即時利用予約装置１６と、車載器１２と接続され、車両１１０に乗車した利用者によりパスワードを入力することが可能な入力装置２２とを有して構成されている。
【００５４】
より詳細には、車載器１２は、車両１１０に備えられた装置や機能に対する監視や当該監視に基づく制御を行うものである。
【００５５】
そして、車載器１２は、ＧＰＳ衛星１８と通信するＧＰＳモジュール１２ａと、携帯電話網と接続する通信モジュール１２ｂと、ＧＰＳモジュール１２ａ、通信モジュール１２ｂ、監視装置１２ｅ（後述する。）、カードリーダー１１４および入力装置２２からの各種情報を処理するとともに、カードリーダー１１４、キーボックス１１６、即時利用予約装置１６、入力装置２２ならびに車載器１２の全体の動きを制御するメインコントローラー１２ｃと、メインコントローラー１２ｃからの情報により車両１１０に設けられたエンジンスタータ１１０ａおよびドアロックアンロックシステム１１０ｂを操作する操作部１２ｄと、車両１１０に設けられたドアスイッチ１１０ｃ、イグニッション１１０ｄ、バッテリ電圧検出器１１０ｅ、燃料残量検出器１１０ｆ、車速検出器１１０ｇおよび即時利用予約装置１６の近接センサ１４を監視する監視部１２ｅと、メインコントローラー１２ｃからの情報によりキーボックス１１６に設けられたスピーカー（図示せず。）から音声ガイダンスなどを出力する音声モジュール１２ｆとを有して構成されている。
【００５６】
ＧＰＳモジュール１２ａは、アンテナ１２ａａを備えており、このアンテナ１２ａａを介してＧＰＳ衛星１８からのＧＰＳ信号を取得し、取得したＧＰＳ信号をメインコントローラー１２ｃに出力する。これにより、メインコントローラー１２ｃにおいて、取得したＧＰＳ信号に基づいて車両１１０の位置情報を取得することとなる。
【００５７】
また、通信モジュール１２ｂは、アンテナ１２ｂａを備えており、このアンテナ１２ｂａを介してメインコントローラー１２ｃにおける各種情報を携帯電話網を利用してサーバー１０８に出力するとともに、サーバー１０８から携帯電話網を利用して出力された各種情報をメインコントローラー１２ｃに入力する。
【００５８】
メインコントローラー１２ｃは、ＧＰＳ衛星、サーバー１０８、入力装置２２、カードリーダー１１４、監視部１２ｅからの各種情報が入力され、入力した情報を記憶するとともに、サーバー１０８に対して各種情報を出力する。
【００５９】
また、メインコントローラー１２ｃは、操作部１２ｄ、監視部１２ｅ、音声モジュール１２ｆ、カードリーダー１１４、キーボックス１１６、即時利用予約装置１６および入力装置２２といった構成要素に対してそれらを制御する出力を行う。
【００６０】
操作部１２ｄは、メインコントローラー１２ｃにおいて、認証処理（後述する各種の認証処理である。）による認証なしにエンジンがかけられたと判断された場合やエンジン始動承認処理（後述する。）による承認なしにエンジンがかけられたと判断された場合には、メインコントローラー１２ｃの制御によりエンジンスタータ１１０ａを駆動しないように制御することで、車両１１０においてエンジンが始動しないように制御する。
【００６１】
また、操作部１２ｄは、メインコントローラー１２ｃから認証処理（後述する各種の認証処理である。）による認証が完了したとの情報が入力されると、ドアロックアンロックシステム１１０ｂを制御して、車両１１０のドアのロックならびにロックの解除を行う。
【００６２】
監視部１２ｅは、ドアスイッチ１１０ｃから開閉信号を取得することにより、ドアの開閉状態の監視を行い、イグニッション１１０ｄからＩＧ信号を取得することにより、エンジンが始動して車両１１０が動作状態であるか否かの監視を行う。
【００６３】
また、監視部１２ｅは、燃料残量検出器１１０ｆから燃料の残量信号を取得することにより、車両１１０の燃料の残量の監視を行い、車速検出器１１０ｇから車速信号を取得することにより、車両１１０の走行距離の監視を行う。
【００６４】
さらに、監視部１２ｅは、キーボックス１１６から所定の信号を検出することにより、キーの有無などの監視を行い、近接センサ１４から所定の信号を検出することにより、近接センサ１４が選択されたか否かを監視する。
【００６５】
なお、キーボックス１１６から取得する所定の情報とは、例えば、キーボックス１１６内の重さにより判断した情報であってもよいし、キーボックス１１６内に設けられたキー収納部分にキーが収納されたか否かの情報であってもよい。
【００６６】
また、近接センサ１４から取得する所定の信号とは、近接センサ１４の種類に応じるものであり、近接センサ１４として、静電容量方式のものを採用すると、静電容量の変化を表す信号となる。
【００６７】
そして、監視部１２ｅは、各構成部材における監視結果をメインコントローラー１２ｃに出力する。
【００６８】
また、音声モジュール１２ｆは、キーボックス１１６に設けられたスピーカー（図示せず。）に接続され、メインコントローラー１２ｃの制御により、当該スピーカーから音声ガイダンスを流すこととなる。
【００６９】
カードリーダー１１４は、メインコントローラー１２ｃによりその起動が制御される。
【００７０】
また、カードリーダー１１４は、車両１１０内に配設されるとともに、車両１１０の外から利用者がＩＣカードを翳すことにより、当該ＩＣカードに記憶された認証用コードを読み取ることが可能な位置に配置される。
【００７１】
そして、カードリーダー１１４は、読み取り部（図示せず。）にＩＣカードが翳されると、ＩＣカードから認証用コードを読み取り、読み取った認証用コードをメインコントローラー１２ｃに出力する。
【００７２】
さらに、カードリーダー１１４には、ＬＥＤランプ（図示せず。）が設けられており、メインコントローラー１２ｃの制御により、このＬＥＤランプの点灯パターンを変更して利用者に対してカードリーダー１１４にＩＣカードを翳すなどの作業を促す。
【００７３】
キーボックス１１６は、認証処理（後述する各種の認証処理である。）が完了した後に、メインコントローラー１２ｃによって、キーの取り出しを可能または不可能な状態に制御される。
【００７４】
そして、キーボックス１１６には、スピーカー（図示せず。）が配設されており、このスピーカーから、メインコントローラー１２ｃによる制御によって音声モジュール１２ｆを介して音声ガイダンスが流れる。
【００７５】
即時利用予約装置１６は、車両１１０内に配設され、人の指などの検知対象が近づけられると、検出対象を検知する近接センサ１４を備えている。
【００７６】
そして、即時利用予約装置１６は、車両１１０内において、車両１１０の外から利用者が視認することが可能な位置であって、かつ、車両１１０の外から利用者が近接センサ１４に指を近づけると、近接センサ１４が選択されたことを検知することが可能な位置に配置される。
【００７７】
なお、車両１１０の外から利用者が視認することが可能な位置とは、車両１１０の外から、車両１１０の窓などを介して、近接センサ１４、ＬＥＤランプ２０−１、２０−２、２０−３（後述する。）およびＬＥＤランプ２０−１、２０−２、２０−３の近傍に記載された文字（後述する。）が利用者に視認することができることを意味する。
【００７８】
この近接センサ１４は、即時利用予約装置１６を起動するための近接センサ１４−１と、車両１１０を３０分間利用することを選択する近接センサ１４−２と、車両１１０を３時間利用することを選択する近接センサ１４−３と、車両１１０を１２時間利用することを選択する近接センサ１４−４とにより構成されている（図３を参照する。）。
【００７９】
また、近接センサ１４−２の近傍（図３では右方側）には、メインコントローラー１２ｃの制御により緑色および赤色で点灯することが可能なＬＥＤランプ２０−１が配設されるとともに、ＬＥＤランプ２０−１の近傍（図３では右方側）には、「３０分間」の文字が記載されている。なお、近接センサ１４−２とＬＥＤランプ２０−１とは、メインコントローラー１２ｃにおいて対応付けられている。
【００８０】
さらに、近接センサ１４−３の近傍（図３では右方側）には、メインコントローラー１２ｃの制御により緑色および赤色で点灯することが可能なＬＥＤランプ２０−２が配設されるとともに、ＬＥＤランプ２０−２の近傍（図３では右方側）には、「３時間」の文字が記載されている。なお、近接センサ１４−３とＬＥＤランプ２０−２とは、メインコントローラー１２ｃにおいて対応付けられている。
【００８１】
さらにまた、近接センサ１４−４の近傍（図３では右方側）には、メインコントローラー１２ｃの制御により緑色および赤色で点灯することが可能なＬＥＤランプ２０−３が配設されるとともに、ＬＥＤランプ２０−３の近傍（図３では右方側）には、「１２時間」の文字が記載されている。なお、近接センサ１４−４とＬＥＤランプ２０−３とは、メインコントローラー１２ｃにおいて対応付けられている。
【００８２】
このＬＥＤランプ２０−１は、緑色で点灯することにより、近接センサ１４−２が選択可能であることを示し、赤色で点灯することにより、近接センサ１４−２が選択不可能であることを示す。
【００８３】
そして、即時利用予約装置１６においては、ＬＥＤランプ２０−１が緑色で点灯する場合には、車両１１０を今から３０分間利用することができることを示し、ＬＥＤランプ２０−１が赤色で点灯する場合には、車両１１０を３０分間すら利用できないことを示すものである。
【００８４】
また、ＬＥＤランプ２０−２は、緑色で点灯することにより、近接センサ１４−３が選択可能であることを示し、赤色で点灯することにより、近接センサ１４−３が選択不可能であることを示す。
【００８５】
そして、即時利用予約装置１６においては、ＬＥＤランプ２０−２が緑色で点灯する場合には、車両１１０を今から３時間利用することが可能であることを示し、ＬＥＤランプ２０−２が赤色で点灯する場合には、車両１１０を３時間使用することができないことを示すものである。
【００８６】
さらに、ＬＥＤランプ２０−３は、緑色で点灯することにより、近接センサ１４−４が選択可能であることを示し、赤色で点灯することにより、近接センサ１４−４が選択不可能であることを示す。
【００８７】
そして、即時利用予約装置１６においては、ＬＥＤランプ２０−３が緑色で点灯する場合には、車両１１０を今から１２時間利用することができることを示し、ＬＥＤランプ２０−３が赤色で点灯する場合には、車両１１０を１２時間使用することができないことを示すものである。
【００８８】
従って、即時利用予約装置１６において、ＬＥＤランプ２０−１、２０−２、２０−３の全てが赤色で点灯している場合には、利用者は、近接センサ１４−２、１４−３、１４−４を選択することができず、車両１１０を今から利用することができないことを認識することができる。
【００８９】
また、即時利用予約装置１６において、ＬＥＤランプ２０−１のみが緑色で点灯し、ＬＥＤランプ２０−２、２０−３が赤色で点灯している場合には、利用者は、近接センサ１４−２のみ選択可能であり、車両１１０が今から３０分間だけ利用可能であることを認識することができる。
【００９０】
さらに、即時利用予約装置１６において、ＬＥＤランプ２０−１、２０−２が緑色で点灯し、ＬＥＤランプ２０−３のみが赤色で点灯している場合には、利用者は、近接センサ１４−２、１４−３を選択可能であり、車両１１０が今から最大３時間利用することができ、車両１１０の利用時間を３０分間または３時間から選択することができることを認識することができる。
【００９１】
さらにまた、即時利用予約装置１６において、ＬＥＤランプ２０−１、２０−２、２０−３の全てが緑色で点灯している場合には、利用者は、近接センサ１４−２、１４−３、１４−４を選択することが可能であり、車両１１０を今から最大１２時間利用することができ、車両１１０の利用時間を３０分間、３時間あるいは１２時間から選択することができることを認識することができる。
【００９２】
また、近接センサ１４−１が選択されると、近接センサ１４−１が選択されたことが監視部１２ｅによって監視され、この監視結果に基づいて、メインコントローラー１２ｃにおいては、車両１１０において即時利用予約がなされるとの情報を携帯電話網を介してサーバー１０８に出力するとともに、即時利用予約装置１６を起動する。
【００９３】
そして、サーバー１０８において、車両１１０の予約状況を確認し、確認した予約状況から、車両１１０の利用可能な時間を算出する。
【００９４】
即ち、サーバー１０８では、車両１１０の予約状況を確認し、車両１１０が今から３０分間利用することができるか、車両１１０が今から３時間利用することができるか、車両１１０が今から１２時間利用することができるのかを判断し、判断した判断結果をサーバー１０８から携帯電話網を利用してメインコントローラー１２ｃに出力する。
【００９５】
メインコントローラー１２ｃでは、サーバー１０８から出力された判断結果に基づいて、ＬＥＤランプ２０−１、２０−２、２０−３を所定の色で点灯するよう制御して、利用者に対して車両１１０の即時利用が可能な時間を表示する。
【００９６】
なお、メインコントローラー１２ｃでは、選択不可能な近接センサが選択されたときには、当該近接センサに対応するＬＥＤランプが赤色で点滅して、選択できない旨を利用者に示す。
【００９７】
入力装置２２は、数字およびアルファベットの少なくともいずれか一方を入力することが可能な文字入力デバイスであって、車両１１０内に配設されるとともに、運転席に乗車した利用者が入力可能な位置に配設される。
【００９８】
なお、入力装置２２には、入力した所定の情報（例えば、パスワード）が表示される表示部（図示せず。）を設けるようにしてもよく、こうした表示部（図示せず。）を設けた場合には、利用者は、表示部（図示せず。）の表示を確認しながら所定の情報を入力することができるようなる。
【００９９】
次に、図４乃至図１８を参照しながら、本発明の第１の実施の形態による車両予約システムを備えたカーシェアリングシステム１０における車両の利用手順について説明する。
【０１００】
まず、カーシェアリングシステム１０を利用するに際して、利用者が事業者に対して会員登録を申請すると、事業者は、利用者固有の登録コードを作成し、当該登録コードを利用者に配布するとともに、サーバー１０８内に設けられた記憶手段（図示せず。）に記憶する。
【０１０１】
さらに、上記した登録コードと同じ認証用コードが記憶されたＩＣカードと、利用者がサーバー１０８で管理される予約サイトにアクセスする際に必要となるＩＤおよびパスワードとが利用者に対して配布される。
【０１０２】
また、会員登録時には、エンジン始動の承認を受ける際に必要となるパスワードを設定して利用者に配布するとともに、利用者の登録コードと関連付けてサーバー１０８内に設けられた記憶手段（図示せず。）に記憶する。
【０１０３】
そして、事業者への会員登録を完了した利用者は、事業者が管理する車両１１０を利用しようとする場合には、まず、利用する車両１１０を予約する（ステップＳ４０２）。
【０１０４】
なお、本発明の第１の実施の形態による車両予約システムを備えたカーシェアリングシステム１０においては、車両１１０を携帯端末１０６やパーソナルコンピューター１０４により予約する事前予約処理と、車両１１０を即時利用予約装置１６により予約する即時利用予約処理とを行うことができる。
【０１０５】
即ち、事前予約処理は、パーソナルコンピューター１０４や携帯端末１０６を介して、利用する車両１１０の予約を行うものである。
【０１０６】
なお、こうした事前予約処理は、従来より公知の技術を用いることができるものであるので、その詳細な説明は省略するが、例えば、パーソナルコンピューター１０４または携帯端末１０６を利用してサーバー１０８に管理された予約サイトにアクセスして、会員登録時に取得したＩＤおよびパスワードを入力して予約サイトにログインし、ログインした予約サイトにおいて車両１１０の状態や車両１１０の予約状況といった情報を閲覧し、利用者の要望にあった車両１１０の予約を行うものである。
【０１０７】
また、即時利用予約処理は、車両１１０に設けられた即時利用予約装置１６を利用して、車両１１０の予約を行うものである。
【０１０８】
以下、本発明の第１の実施の形態による車両予約システムを備えたカーシェアリングシステムにおける即時利用予約処理について、図５を参照しながら、詳細に説明する。図５には、本発明の第１の実施の形態による車両予約システムを備えたカーシェアリングシステムにおける即時利用予約処理たる第１の即時利用予約処理の詳細な処理内容を示すフローチャートが示されている。
【０１０９】
この本発明の第１の実施の形態による車両予約システムを備えたカーシェアリングシステムにおける即時利用予約処理たる第１の即時利用予約処理は、即時利用予約装置１６において、利用者により近接センサ１４−１が選択される（つまり、利用者が車両１１０の外から近接センサ１４−１に指を近づけることである。）と、開始されることとなる。
【０１１０】
第１の即時利用予約処理が開始されると、まず、メインコントローラー１２ｃから車両情報をサーバー１０８に出力する（ステップＳ５０２）。
【０１１１】
即ち、このステップＳ５０２の処理では、即時利用予約装置１６が起動した車両１１０を特定することが可能な車両情報を、メインコントローラー１２ｃから携帯電話網を利用してサーバー１０８に出力する。
【０１１２】
次に、サーバー１０８において、メインコントローラー１２ｃから出力された車両情報から特定される車両１１０の予約状況を確認する（ステップＳ５０４）。
【０１１３】
即ち、ステップＳ５０４の処理では、メインコントローラー１２ｃから出力された車両情報により管理されている車両１１０の予約サイトにおける予約状況を確認する。
【０１１４】
その後、確認した車両１１０の予約状況に基づいて、現時点から車両１１０を利用することが可能な時間を算出する（ステップＳ５０６）。
【０１１５】
即ち、ステップＳ５０６の処理では、確認した車両１１０の予約状況から、車両１１０の予約状況を確認した時点（以下、「車両１１０の予約状況を確認した時点」を、「即時利用予約開始時点」と称する。）から、連続して車両１１０を利用可能な時間を算出する。
【０１１６】
具体的には、サーバー１０８において、車両１１０の予約状況から、即時利用予約開始時点から次の予約（即時利用予約開始時点以降の時間になされた予約であって、即時利用予約開始時点に最も近い時間になされた予約）までの時間を算出する。なお、算出する時間単位については、予約サイトにおける車両１１０の予約可能な時間単位であり、例えば、１５分単位で算出される。
【０１１７】
より具体的には、１６時４６分を即時利用予約開始時点とすると、予約可能な時間単位は、１５分なので、１６時４６分から１７時までの時間は無視され、１７時から１５分単位で、次の予約までの時間が計算されることとなる。
【０１１８】
そして、ステップＳ５０６の処理で算出した、車両１１０を利用可能な時間を、サーバー１０８から携帯電話網を介してメインコントローラー１２ｃに出力する（ステップＳ５０８）。
【０１１９】
次に、車両１１０を利用可能な時間が出力されたメインコントローラー１２ｃにおいて、サーバー１０８から出力された車両１１０を利用可能な時間が、３０分間以上であるか否かの判断を行う（ステップＳ５１０）。
【０１２０】
このステップＳ５１０の判断処理において、車両１１０を利用可能な時間が、３０分間以上でないと判断されると、第１の予約処理が開始される（ステップＳ５１２）。
【０１２１】
ここで、図６のフローチャートには、このステップＳ５１２の処理における第１の予約処理の詳細な処理内容が示されており、この第１の予約処理においては、まず、メインコントローラー１２ｃの制御により、ＬＥＤランプ２０−１、２０−２、２０−３を赤色で点灯する（ステップＳ６０２）。
【０１２２】
その後、近接センサ１４−２が選択されたか否かの判断を行う（ステップＳ６０４）。
【０１２３】
即ち、ステップＳ６０４の判断処理においては、監視部１２ｅの監視に基づいてメインコントローラー１２ｃにより、近接センサ１４−２から所定の信号（例えば、静電容量の変化を表す信号）を取得したか否かを判断するものであり、近接センサ１４−２から所定の信号を取得した場合には、近接センサ１４−２が選択されたと判断され、近接センサ１４−２から所定の信号を取得しなかった場合には、近接センサ１４−２が選択されなかったと判断される。
【０１２４】
このステップＳ６０４の判断処理において、近接センサ１４−２が選択されたと判断されると、近接センサ１４−２は選択不可能であるため、メインコントローラー１２ｃの制御により、ＬＥＤランプ２０−１を赤色で点滅させ（ステップＳ６０６）、後述するステップＳ６０８の処理に進む。
【０１２５】
また、ステップＳ６０４の判断処理において、近接センサ１４−２が選択されなかったと判断されると、近接センサ１４−３が選択されたか否かの判断を行う（ステップＳ６０８）。
【０１２６】
即ち、ステップＳ６０８の判断処理においては、監視部１２ｅの監視により、近接センサ１４−３から所定の信号（例えば、静電容量の変化を表す信号）を取得したか否かを判断するものであり、近接センサ１４−３から所定の信号を取得した場合には、近接センサ１４−３が選択されたと判断され、近接センサ１４−３から所定の信号を取得しなかった場合には、近接センサ１４−３が選択されなかったと判断される。
【０１２７】
このステップＳ６０８の判断処理において、近接センサ１４−３が選択されたと判断されると、近接センサ１４−３は選択不可能であるため、メインコントローラー１２ｃの制御により、ＬＥＤランプ２０−２を赤色で点滅させ（ステップＳ６１０）、後述するステップＳ６１２の処理に進む。
【０１２８】
また、ステップＳ６０８の判断処理において、近接センサ１４−３が選択されなかったと判断されると、近接センサ１４−４が選択されたか否かの判断を行う（ステップＳ６１２）。
【０１２９】
即ち、ステップＳ６１２の判断処理においては、監視部１２ｅの監視により、近接センサ１４−４から所定の信号（例えば、静電容量の変化を表す信号）を取得したか否かを判断するものであり、近接センサ１４−４から所定の信号を取得した場合には、近接センサ１４−４が選択されたと判断され、近接センサ１４−４から所定の信号を取得したかった場合には、近接センサ１４−４が選択されなかったと判断される。
【０１３０】
このステップＳ６１２の判断処理において、近接センサ１４−４が選択されたと判断されると、近接センサ１４−４は選択不可能であるため、メインコントローラー１２ｃの制御により、ＬＥＤランプ２０−３を赤色で点滅させ（ステップＳ６１４）、後述するステップＳ６１６の処理に進む。
【０１３１】
また、ステップＳ６１２の判断処理において、近接センサ１４−４が選択されなかったと判断されると、近接センサ１４−１が選択されたか否かの判断を行う（ステップＳ６１６）。
【０１３２】
即ち、ステップＳ６１６の判断処理においては、監視部１２ｅの監視により、近接センサ１４−１から所定の信号（例えば、静電容量の変化を表す信号）を取得したか否かを判断するものであり、近接センサ１４−１から所定の信号を取得した場合には、近接センサ１４−１が選択されたと判断され、近接センサ１４−１から所定の信号を取得しなかった場合には、近接センサ１４−１が選択されなかったと判断される。
【０１３３】
このステップＳ６１６の判断処理において、近接センサ１４−１が選択されたと判断されると、メインコントローラー１２ｃの制御により、即時利用予約装置１６を停止し（ステップＳ６２０）、第１の予約処理を終了することにより第１の即時利用予約処理を終了する。
【０１３４】
また、ステップＳ６１６の判断処理において、近接センサ１４−１が選択されなかったと判断されると、ステップＳ６０２の処理から所定の時間（例えば、５分間）が経過したか否かの判断を行う（ステップＳ６１８）。
【０１３５】
即ち、このステップＳ６１８の判断処理においては、ＬＥＤランプ２０−１、２０−２、２０−３を赤色で点灯した時点からカウントされた時間が、所定の時間に達したか否かの判断を行うものである。
【０１３６】
このステップＳ６１８の判断処理において、所定の時間が経過したと判断されると、ステップＳ６２０の処理に進み、即時利用予約装置１６を停止して、第１の予約処理を終了することにより第１の即時利用予約処理を終了する。
【０１３７】
また、ステップＳ６１８の判断処理において、所定の時間が経過していないと判断されると、ステップＳ６０４の判断処理に戻って、ステップＳ６０４以降の処理を行う。
【０１３８】
即ち、この第１の予約処理においては、ステップＳ６０２の処理によりＬＥＤランプ２０−１、２０−２、２０−３を赤色で点灯した後には、近接センサ１４−１が利用者により選択されない限り、所定の時間が経過するまでステップＳ６０４〜ステップＳ６１８の処理を繰り返すこととなる。
【０１３９】
一方、ステップＳ５１０の判断処理において、車両１１０の利用可能な時間が、３０分以上であると判断されると、車両１１０の利用可能な時間が、３時間以上であるか否かの判断を行う（ステップＳ５１４）。
【０１４０】
このステップＳ５１４の判断処理において、車両１１０を利用可能な時間が、３時間以上でないと判断されると、第２の予約処理が開始される（ステップＳ５１６）。
【０１４１】
ここで、図７のフローチャートには、このステップＳ５１６の処理における第２の予約処理の詳細な処理内容が示されており、この第２の予約処理においては、まず、メインコントローラー１２ｃの制御により、ＬＥＤランプ２０−１を緑色で点灯するとともに、ＬＥＤランプ２０−２、２０−３を赤色で点灯する（ステップＳ７０２）。
【０１４２】
その後、近接センサ１４−２が選択されたか否かの判断を行う（ステップＳ７０４）。
【０１４３】
なお、ステップＳ７０４の判断処理では、上記したステップＳ６０４の判断処理と同様にして、近接センサ１４−２が選択されたか否かの判断がなされる。
【０１４４】
このステップＳ７０４の判断処理において、近接センサ１４−２が選択されたと判断されると、３０分間だけ車両１１０の即時利用の予約がなされたと判断され、ステップＳ７０６の処理に進み、第１の認証処理を開始する。
【０１４５】
ここで、図１２のフローチャートには、このステップＳ７０６の処理における第１の認証処理の詳細な処理内容が示されており、この第１認証処理においては、まず、メインコントローラー１２ｃの制御により、カードリーダー１１４を起動する（ステップＳ１２０２）。
【０１４６】
なお、このステップＳ１２０２の処理においては、カードリーダー１１４を起動した後に、カードリーダー１１４に設けられたＬＥＤランプ（図示せず。）を点滅させて、利用者にカードリーダー１１４の起動を知らせるとともに、利用者にカードリーダー１１４へＩＣカードを翳すように促す。
【０１４７】
そして、カードリーダー１１４の読み取り部（図示せず。）に翳されたＩＣカードから、認証用コードを読み取る（ステップＳ１２０４）。
【０１４８】
その後、読み取った認証用コードおよびステップＳ７０４の処理においてなされた判断結果（つまり、車両１１０の３０分間の予約が選択されたとの判断結果である。）をメインコントローラー１２ｃから携帯電話網を介してサーバー１０８に出力し（ステップＳ１２０６）、サーバー１０８において、当該認証用コードとサーバー１０８に予め記憶されている利用者の登録コードとが一致するか否かの判断を行う（ステップＳ１２０８）。
【０１４９】
即ち、このステップＳ１２０８の判断処理においては、サーバー１０８に記憶されている登録コードに、認証用コードと一致する登録コードがあるか否かを判断するものである。
【０１５０】
ステップＳ１２０８の判断処理において、認証用コードと利用者の登録コードとが一致しない、つまり、サーバー１０８に記憶されている登録コードに、認証用コードと一致する登録コードがないと判断されると、サーバー１０８において「認証不能」と判断され、「認証不能」との判断結果を携帯電話網を介してメインコントローラー１２ｃに出力する（ステップＳ１２１０）。
【０１５１】
その後、メインコントローラー１２ｃの制御により、カードリーダー１１４に設けられたＬＥＤランプ（図示せず。）を点滅することによって、利用者に対して再びＩＣカードをカードリーダー１１４に翳すように促し（ステップＳ１２１２）、ステップＳ１２０４の処理に戻り、ステップＳ１２０４以降の処理を行う。
【０１５２】
一方、ステップＳ１２０８の判断処理において、認証用コードと、利用者の登録コードとが一致する、つまり、サーバー１０８に記憶されている登録コードに、認証用コードと一致する登録コードがあると判断されると、「認証」と判断され、ステップＳ７０８の処理に進む。
【０１５３】
このステップＳ７０８の処理では、サーバー１０８で管理している予約情報において即時利用予約開始時点から３０分間だけ車両１１０の予約を行うとともに、予約サイトにおける車両１１０の予約を即時利用予約開始時点から３０分間だけ不可能な状態とする。
【０１５４】
即ち、サーバー１０８において、車両１１０の利用時間の管理などを行う予約情報において、即時利用予約開始時点から３０分間だけ車両１１０を第１の認証処理により認証された利用者が利用するための予約を行い、さらに、予約サイトにおいて、当該予約情報を反映するようにして、車両１１０の予約を即時利用予約開始時点から３０分間だけ不可能な状態とする。
【０１５５】
例えば、ステップＳ７０８の処理においては、１６時４６分を即時利用予約開始時点とすると、予約可能な時間単位は、１５分であるため、１６時４６分から１７時までの時間は無視され、１７時から３０分間の車両１１０の利用予約がなされることとなる。なお、このとき、無視された時間は、例えば、利用者が無料で利用できる。
【０１５６】
また、ステップＳ７０８の処理においては、メインコントローラー１２ｃの制御により、車両１１０のセキュリティを解除した状態とするとともに、カードリーダー１１４の電源を切る。
【０１５７】
なお、車両１１０のセキュリティを解除した状態とは、具体的には、車両１１０のドアロックを解除するとともに、キーボックス１１６からキーを取り出すことができる状態である。
【０１５８】
その後、即時利用予約装置１６を停止して（ステップＳ７１０）、第２の予約処理を終了することにより第１の即時利用予約処理を終了する。
【０１５９】
また、ステップＳ７０４の判断処理において、近接センサ１４−２が選択されなかったと判断されると、近接センサ１４−３が選択されたか否かの判断を行う（ステップＳ７１２）。
【０１６０】
なお、ステップＳ７１２の判断処理では、上記したステップＳ６０８の判断処理と同様にして、近接センサ１４−３が選択されたか否かの判断がなされる。
【０１６１】
このステップＳ７１２の判断処理において、近接センサ１４−３が選択されたと判断されると、近接センサ１４−３は選択不可能であるため、メインコントローラー１２ｃの制御により、ＬＥＤランプ２０−２を赤色で点滅させ（ステップＳ７１４）、後述するステップＳ７１６の処理に進む。
【０１６２】
また、ステップＳ７１２の判断処理において、近接センサ１４−３が選択されなかったと判断されると、近接センサ１４−４が選択されたか否かの判断を行う（ステップＳ７１６）。
【０１６３】
なお、ステップＳ７１６の判断処理では、上記したステップＳ６１２の判断処理と同様にして、近接センサ１４−４が選択されたか否かの判断がなされる。
【０１６４】
このステップＳ７１６の判断処理において、近接センサ１４−４が選択されたと判断されると、近接センサ１４−４は選択不可能であるため、メインコントローラー１２ｃの制御により、ＬＥＤランプ２０−３を赤色で点滅させ（ステップＳ７１８）、後述するステップＳ７２０の処理に進む。
【０１６５】
また、ステップＳ７１６の判断処理において、近接センサ１４−４が選択されなかったと判断されると、近接センサ１４−１が選択されたか否かの判断を行う（ステップＳ７２０）。
【０１６６】
なお、ステップＳ７２０の判断処理では、上記したステップＳ６１６の判断処理と同様にして、近接センサ１４−１が選択されたか否かの判断がなされる。
【０１６７】
このステップＳ７２０の判断処理において、近接センサ１４−１が選択されたと判断されると、ステップＳ７１０の処理に進み、メインコントローラー１２ｃの制御により、即時利用予約装置１６を停止して、第１の即時利用予約処理を終了する。
【０１６８】
また、ステップＳ７２０の判断処理において、近接センサ１４−１が選択されなかったと判断されると、ステップＳ７０２の処理から所定の時間（例えば、５分間）が経過したか否かの判断を行う（ステップＳ７２２）。
【０１６９】
即ち、このステップＳ７２２の判断処理においては、ＬＥＤランプ２０−１を緑色、ＬＥＤランプ２０−２、２０−３を赤色で点灯した時点からカウントされた時間が、所定の時間に達したか否かの判断を行うものである。
【０１７０】
このステップＳ７２２の判断処理において、所定の時間が経過したと判断されると、ステップＳ７１０の処理に進み、即時利用予約装置１６を停止して、第２の予約処理を終了することにより第１の即時利用予約処理を終了する。
【０１７１】
また、ステップＳ７２２の判断処理において、所定の時間が経過していないと判断されると、ステップＳ７０４の判断処理に戻って、ステップＳ７０４以降の処理を行う。
【０１７２】
即ち、この第２の予約処理においては、ステップＳ７０２の処理によりＬＥＤランプ２０−１を緑色、ＬＥＤランプ２０−２、２０−３を赤色で点灯した後には、近接センサ１４−１、１４−２が利用者により選択されない限り、所定の時間が経過するまでステップＳ７０４〜ステップＳ７２２の処理を繰り返すこととなる。
【０１７３】
一方、ステップＳ５１４の判断処理において、車両１１０の利用可能な時間が３時間以上であると判断されると、車両１１０の利用可能な時間が、１２時間以上であるか否かの判断を行う（ステップＳ５１８）。
【０１７４】
このステップＳ５１８の判断処理において、車両１１０を利用可能な時間が１２時間以上でないと判断されると、第３の予約処理が開始される（ステップＳ５２０）。
【０１７５】
ここで、図８のフローチャートには、このステップＳ５２０の処理における第３の予約処理の詳細な処理内容が示されており、この第３の予約処理においては、まず、メインコントローラー１２ｃの制御により、ＬＥＤランプ２０−１、２０−２を緑色で点灯するとともに、ＬＥＤランプ２０−３を赤色で点灯する（ステップＳ８０２）。
【０１７６】
その後、近接センサ１４−２が選択されたか否かの判断を行う（ステップＳ８０４）。
【０１７７】
なお、ステップＳ８０４の判断処理では、上記したステップＳ６０４の判断処理と同様にして、近接センサ１４−２が選択されたか否かの判断がなされる。
【０１７８】
このステップＳ８０４の判断処理において、近接センサ１４−２が選択されたと判断されると、３０分間だけ車両１１０の即時利用の予約がなされたと判断され、ステップＳ８０６の処理に進み、第２の認証処理を開始する。
【０１７９】
ここで、図１３のフローチャートには、このステップＳ８０６の処理における第２の認証処理の詳細な処理内容が示されており、この第２の認証処理においては、まず、メインコントローラー１２ｃの制御により、カードリーダー１１４を起動する（ステップＳ１３０２）。
【０１８０】
なお、このステップＳ１３０２の処理においては、カードリーダー１１４を起動した後に、カードリーダー１１４に設けられたＬＥＤランプ（図示せず。）を点滅させて、利用者にカードリーダー１１４の起動を知らせるとともに、利用者にカードリーダー１１４へＩＣカードを翳すように促す。
【０１８１】
そして、カードリーダー１１４の読み取り部（図示せず。）に翳されたＩＣカードから、認証用コードを読み取る（ステップＳ１３０４）。
【０１８２】
その後、読み取った認証用コードおよびステップＳ８０４の処理においてなされた判断結果（つまり、車両１１０の３０分間の予約が選択されたとの判断結果である。）をメインコントローラー１２ｃから携帯電話網を介してサーバー１０８に出力し（ステップＳ１３０６）、サーバー１０８において、当該認証用コードとサーバー１０８に予め記憶されている利用者の登録コードとが一致するか否かの判断を行う（ステップＳ１３０８）。
【０１８３】
即ち、このステップＳ１３０８の判断処理においては、サーバー１０８に記憶されている登録コードに、認証用コードと一致する登録コードがあるか否かを判断するものである。
【０１８４】
ステップＳ１３０８の判断処理において、認証用コードと利用者の登録コードとが一致しない、つまり、サーバー１０８に記憶されている登録コードに、認証用コードと一致する登録コードがないと判断されると、サーバー１０８において「認証不能」と判断され、「認証不能」との判断結果を携帯電話網を介してメインコントローラー１２ｃに出力する（ステップＳ１３１０）。
【０１８５】
その後、メインコントローラー１２ｃの制御により、カードリーダー１１４に設けられたＬＥＤランプ（図示せず。）を点滅することによって、利用者に対して再びＩＣカードをカードリーダー１１４に翳すように促し（ステップＳ１３１２）、ステップＳ１３０４の処理に戻り、ステップＳ１３０４以降の処理を行う。
【０１８６】
一方、ステップＳ１３０８の判断処理において、認証用コードと、利用者の登録コードとが一致する、つまり、サーバー１０８に記憶されている登録コードに、認証用コードと一致する登録コードがあると判断されると、「認証」と判断され、ステップＳ８０８の処理に進む。
【０１８７】
このステップＳ８０８の処理では、サーバー１０８で管理している予約情報において即時利用予約開始時点から３０分間だけ車両１１０の予約を行うとともに、予約サイトにおける車両１１０の予約を即時利用予約開始時点から３０分間だけ不可能な状態とする。
【０１８８】
即ち、サーバー１０８において、車両１１０の利用時間の管理などを行う予約情報において、即時利用予約開始時点から３０分間だけ車両１１０を第２の認証処理により認証された利用者が利用するための予約を行い、さらに、予約サイトにおいて、当該予約情報を反映するようにして、車両１１０の予約を即時利用予約開始時点から３０分間だけ不可能な状態とする。
【０１８９】
例えば、ステップＳ８０８の処理においては、１６時４６分を即時利用予約開始時点とすると、予約可能な時間単位は、１５分であるため、１６時４６分から１７時までの時間は無視され、１７時から３０分間の車両１１０の利用予約がなされることとなる。なお、このとき、無視された時間は、例えば、利用者が無料で利用できる。
【０１９０】
また、ステップＳ８０８の処理においては、メインコントローラー１２ｃの制御により、車両１１０のセキュリティを解除した状態とするとともに、カードリーダー１１４の電源を切る。
【０１９１】
なお、車両１１０のセキュリティを解除した状態とは、具体的には、車両１１０のドアロックを解除するとともに、キーボックス１１６からキーを取り出すことができる状態である。
【０１９２】
その後、即時利用予約装置１６を停止して（ステップＳ８１０）、第３の予約処理を終了することにより第１の即時利用予約処理を終了する。
【０１９３】
また、ステップＳ８０４の判断処理において、近接センサ１４−２が選択されなかったと判断されると、近接センサ１４−３が選択されたか否かの判断を行う（ステップＳ８１２）。
【０１９４】
なお、ステップＳ８１２の判断処理では、上記したステップＳ６０８の判断処理と同様にして、近接センサ１４−３が選択されたか否かの判断がなされる。
【０１９５】
このステップＳ８１２の判断処理において、近接センサ１４−３が選択されたと判断されると、３時間だけ車両１１０の即時利用の予約がなされたと判断され、ステップＳ８１４の処理に進み、第３の認証処理を開始する。
【０１９６】
ここで、図１４のフローチャートには、このステップＳ８１４の処理における第３の認証処理の詳細な処理内容が示されており、この第３の認証処理においては、まず、メインコントローラー１２ｃの制御により、カードリーダー１１４を起動する（ステップＳ１４０２）。
【０１９７】
なお、このステップＳ１４０２の処理においては、カードリーダー１１４を起動した後に、カードリーダー１１４に設けられたＬＥＤランプ（図示せず。）を点滅させて、利用者にカードリーダー１１４の起動を知らせるとともに、利用者にカードリーダー１１４へＩＣカードを翳すように促す。
【０１９８】
そして、カードリーダー１１４の読み取り部（図示せず。）に翳されたＩＣカードから、認証用コードを読み取る（ステップＳ１４０４）。
【０１９９】
その後、読み取った認証用コードおよびステップＳ８１２の処理においてなされた判断結果（つまり、車両１１０の３時間の予約が選択されたとの判断結果である。）をメインコントローラー１２ｃから携帯電話網を介してサーバー１０８に出力し（ステップＳ１４０６）、サーバー１０８において、当該認証用コードとサーバー１０８に予め記憶されている利用者の登録コードとが一致するか否かの判断を行う（ステップＳ１４０８）。
【０２００】
即ち、このステップＳ１４０８の判断処理においては、サーバー１０８に記憶されている登録コードに、認証用コードと一致する登録コードがあるか否かを判断するものである。
【０２０１】
ステップＳ１４０８の判断処理において、認証用コードと利用者の登録コードとが一致しない、つまり、サーバー１０８に記憶されている登録コードに、認証用コードと一致する登録コードがないと判断されると、サーバー１０８において「認証不能」と判断され、「認証不能」との判断結果を携帯電話網を介してメインコントローラー１２ｃに出力する（ステップＳ１４１０）。
【０２０２】
その後、メインコントローラー１２ｃの制御により、カードリーダー１１４に設けられたＬＥＤランプ（図示せず。）を点滅することによって、利用者に対して再びＩＣカードをカードリーダー１１４に翳すように促し（ステップＳ１４１２）、ステップＳ１４０４の処理に戻り、ステップＳ１４０４以降の処理を行う。
【０２０３】
一方、ステップＳ１４０８の判断処理において、認証用コードと、利用者の登録コードとが一致する、つまり、サーバー１０８に記憶されている登録コードに、認証用コードと一致する登録コードがあると判断されると、「認証」と判断され、ステップＳ８１６の処理に進む。
【０２０４】
このステップＳ８１６の処理では、サーバー１０８で管理している予約情報において即時利用予約開始時点から３時間だけ車両１１０の予約を行うとともに、予約サイトにおける車両１１０の予約を即時利用予約開始時点から３時間だけ不可能な状態とする。
【０２０５】
即ち、サーバー１０８において、車両１１０の利用時間の管理などを行う予約情報において、即時利用予約開始時点から３時間だけ車両１１０を第３の認証処理により認証された利用者が利用するための予約を行い、さらに、予約サイトにおいて、当該予約情報を反映するようにして、車両１１０の予約を即時利用予約開始時点から３時間だけ不可能な状態とする。
【０２０６】
例えば、ステップＳ８１６の処理においては、１６時４６分を即時利用予約開始時点とすると、予約可能な時間単位は、１５分であるため、１６時４６分から１７時までの時間は無視され、１７時から３時間の車両１１０の利用予約がなされることとなる。なお、このとき、無視された時間は、例えば、利用者が無料で利用できる。
【０２０７】
また、ステップＳ８１６の処理においては、メインコントローラー１２ｃの制御により、車両１１０のセキュリティを解除した状態とするとともに、カードリーダー１１４の電源を切る。
【０２０８】
なお、車両１１０のセキュリティを解除した状態とは、具体的には、車両１１０のドアロックを解除するとともに、キーボックス１１６からキーを取り出すことができる状態である。
【０２０９】
その後、ステップＳ８１０の処理に進み、即時利用予約装置１６を停止して、第３の予約処理を終了することにより第１の即時利用予約処理を終了する。
【０２１０】
また、ステップＳ８１２の判断処理において、近接センサ１４−３が選択されなかったと判断されると、近接センサ１４−４が選択されたか否かの判断を行う（ステップＳ８１８）。
【０２１１】
なお、ステップＳ８１８の判断処理では、上記したステップＳ６１２の判断処理と同様にして、近接センサ１４−４が選択されたか否かの判断がなされる。
【０２１２】
このステップＳ８１８の判断処理において、近接センサ１４−４が選択されたと判断されると、近接センサ１４−４は選択不可能であるため、メインコントローラー１２ｃの制御により、ＬＥＤランプ２０−３を赤色で点滅させ（ステップＳ８２０）、後述するステップＳ８２２の処理に進む。
【０２１３】
また、ステップＳ８１８の判断処理において、近接センサ１４−４が選択されなかったと判断されると、近接センサ１４−１が選択されたか否かの判断を行う（ステップＳ８２２）。
【０２１４】
なお、ステップＳ８２２の判断処理では、上記したステップＳ６１６の判断処理と同様にして、近接センサ１４−１が選択されたか否かの判断がなされる。
【０２１５】
このステップＳ８２２の判断処理において、近接センサ１４−１が選択されたと判断されると、ステップＳ８１０の処理に進み、メインコントローラー１２ｃの制御により、即時利用予約装置１６を停止して、第３の予約処理を終了することにより第１の即時利用予約処理を終了する。
【０２１６】
また、ステップＳ８２２の判断処理において、近接センサ１４−１が選択されなかったと判断されると、ステップＳ８０２の処理から所定の時間（例えば、５分間）が経過したか否かの判断を行う（ステップＳ８２４）。
【０２１７】
即ち、このステップＳ８２４の判断処理においては、ＬＥＤランプ２０−１、２０−２を緑色、ＬＥＤランプ２０−３を赤色で点灯した時点からカウントされた時間が、所定の時間に達したか否かの判断を行うものである。
【０２１８】
このステップＳ８２４の判断処理において、所定の時間が経過したと判断されると、ステップＳ８１０の処理に進み、即時利用予約装置１６を停止して、第３の予約処理を終了することにより第１の即時利用予約処理を終了する。
【０２１９】
また、ステップＳ８２４の判断処理において、所定の時間が経過してないと判断されると、ステップＳ８０４の判断処理に戻って、ステップＳ８０４以降の処理を行う。
【０２２０】
即ち、この第３の予約処理においては、ステップＳ８０２の処理によりＬＥＤ２０−１、２０−２を緑色、ＬＥＤ２０−３を赤色で点灯した後には、近接センサ１４−１、１４−２、１４−３が利用者により選択されない限り、所定の時間が経過するまでステップＳ８０４〜ステップＳ８２４の処理を繰り返すこととなる。
【０２２１】
一方、ステップＳ５１８の判断処理において、車両１１０の利用可能な時間が１２時間以上であると判断されると、第４の予約処理が開始される（ステップＳ５２２）。
【０２２２】
ここで、図９のフローチャートには、このステップＳ５２２の処理における第４の予約処理の詳細な処理内容が示されており、この第４の予約処理においては、まず、メインコントローラー１２ｃの制御により、ＬＥＤランプ２０−１、２０−２、２０−３を緑色で点灯する（ステップＳ９０２）。
【０２２３】
その後、近接センサ１４−２が選択されたか否かの判断を行う（ステップＳ９０４）。
【０２２４】
なお、ステップＳ９０４の判断処理では、上記したステップＳ６０４の判断処理と同様にして、近接センサ１４−２が選択されたか否かの判断がなされる。
【０２２５】
このステップＳ９０４の判断処理において、近接センサ１４−２が選択されたと判断されると、３０分間だけ車両１１０の即時利用の予約がなされたと判断され、ステップＳ９０６の処理に進み、第４の認証処理を開始する。
【０２２６】
ここで、図１５のフローチャートには、このステップＳ９０６の処理における第４の認証処理の詳細な処理内容が示されており、この第４の認証処理においては、まず、メインコントローラー１２ｃの制御により、カードリーダー１１４を起動する（ステップＳ１５０２）。
【０２２７】
なお、このステップＳ１５０２の処理においては、カードリーダー１１４を起動した後に、カードリーダー１１４に設けられたＬＥＤランプ（図示せず。）を点滅させて、利用者にカードリーダー１１４の起動を知らせるとともに、利用者にカードリーダー１１４へＩＣカードを翳すように促す。
【０２２８】
そして、カードリーダー１１４の読み取り部（図示せず。）に翳されたＩＣカードから、認証用コードを読み取る（ステップＳ１５０４）。
【０２２９】
その後、読み取った認証用コードおよびステップＳ９０４の処理においてなされた判断結果（つまり、車両１１０の３０分間の予約が選択されたとの判断結果である。）をメインコントローラー１２ｃから携帯電話網を介してサーバー１０８に出力し（ステップＳ１５０６）、サーバー１０８において、当該認証用コードとサーバー１０８に予め記憶されている利用者の登録コードとが一致するか否かの判断を行う（ステップＳ１５０８）。
【０２３０】
即ち、このステップＳ１５０８の判断処理においては、サーバー１０８に記憶されている登録コードに、認証用コードと一致する登録コードがあるか否かを判断するものである。
【０２３１】
ステップＳ１５０８の判断処理において、認証用コードと利用者の登録コードとが一致しない、つまり、サーバー１０８に記憶されている登録コードに、認証用コードと一致する登録コードがないと判断されると、サーバー１０８において「認証不能」と判断され、「認証不能」との判断結果を携帯電話網を介してメインコントローラー１２ｃに出力する（ステップＳ１５１０）。
【０２３２】
その後、メインコントローラー１２ｃの制御により、カードリーダー１１４に設けられたＬＥＤランプ（図示せず。）を点滅することによって、利用者に対して再びＩＣカードをカードリーダー１１４に翳すように促し（ステップＳ１５１２）、ステップＳ１５０４の処理に戻り、ステップＳ１５０４以降の処理を行う。
【０２３３】
一方、ステップＳ１５０８の判断処理において、認証用コードと、利用者の登録コードとが一致する、つまり、サーバー１０８に記憶されている登録コードに、認証用コードと一致する登録コードがあると判断されると、「認証」と判断され、ステップＳ９０８の処理に進む。
【０２３４】
このステップＳ９０８の処理では、サーバー１０８で管理している予約情報において即時利用予約開始時点から３０分間だけ車両１１０の予約を行うとともに、予約サイトにおける車両１１０の予約を即時利用予約開始時点から３０分間だけ不可能な状態とする。
【０２３５】
即ち、サーバー１０８において、車両１１０の利用時間の管理などを行う予約情報において、即時利用予約開始時点から３０分間だけ車両１１０を第４の認証処理により認証された利用者が利用するための予約を行い、さらに、予約サイトにおいて、当該予約情報を反映するようにして、車両１１０の予約を即時利用予約開始時点から３０分間だけ不可能な状態とする。
【０２３６】
例えば、ステップＳ９０８の処理においては、１６時４６分を即時利用予約開始時点とすると、予約可能な時間単位は、１５分であるため、１６時４６分から１７時までの時間は無視され、１７時から３０分間の車両１１０の利用予約がなされることとなる。なお、このとき、無視された時間は、例えば、利用者が無料で利用できる。
【０２３７】
また、ステップＳ９０８の処理においては、メインコントローラー１２ｃの制御により、車両１１０のセキュリティを解除した状態とするとともに、カードリーダー１１４の電源を切る。
【０２３８】
なお、車両１１０のセキュリティを解除した状態とは、具体的には、車両１１０のドアロックを解除するとともに、キーボックス１１６からキーを取り出すことができる状態である。
【０２３９】
その後、即時利用予約装置１６を停止して（ステップＳ９１０）、第４の予約処理を終了することにより第１の即時利用予約処理を終了する。
【０２４０】
また、ステップＳ９０４の判断処理において、近接センサ１４−２が選択されなかったと判断されると、近接センサ１４−３が選択されたか否かの判断を行う（ステップＳ９１２）。
【０２４１】
なお、ステップＳ９１２の判断処理では、上記したステップＳ６０８の判断処理と同様にして、近接センサ１４−３が選択されたか否かの判断がなされる。
【０２４２】
このステップＳ９１２の判断処理において、近接センサ１４−３が選択されたと判断されると、３時間だけ車両１１０の即時利用の予約がなされたと判断され、ステップＳ９１４の処理に進み、第５の認証処理を開始する。
【０２４３】
ここで、図１６のフローチャートには、このステップＳ９１４の処理における第５の認証処理の詳細な処理内容が示されており、この第５の認証処理においては、まず、メインコントローラー１２ｃの制御により、カードリーダー１１４を起動する（ステップＳ１６０２）。
【０２４４】
なお、このステップＳ１６０２の処理においては、カードリーダー１１４を起動した後に、カードリーダー１１４に設けられたＬＥＤランプ（図示せず。）を点滅させて、利用者にカードリーダー１１４の起動を知らせるとともに、利用者にカードリーダー１１４へＩＣカードを翳すように促す。
【０２４５】
そして、カードリーダー１１４の読み取り部（図示せず。）に翳されたＩＣカードから、認証用コードを読み取る（ステップＳ１６０４）。
【０２４６】
その後、読み取った認証用コードおよびステップＳ９１２の処理においてなされた判断結果（つまり、車両１１０の３時間の予約が選択されたとの判断結果である。）をメインコントローラー１２ｃから携帯電話網を介してサーバー１０８に出力し（ステップＳ１６０６）、サーバー１０８において、当該認証用コードとサーバー１０８に予め記憶されている利用者の登録コードとが一致するか否かの判断を行う（ステップＳ１６０８）。
【０２４７】
即ち、このステップＳ１６０８の判断処理においては、サーバー１０８に記憶されている登録コードに、認証用コードと一致する登録コードがあるか否かを判断するものである。
【０２４８】
ステップＳ１６０８の判断処理において、認証用コードと利用者の登録コードとが一致しない、つまり、サーバー１０８に記憶されている登録コードに、認証用コードと一致する登録コードがないと判断されると、サーバー１０８において「認証不能」と判断され、「認証不能」との判断結果を携帯電話網を介してメインコントローラー１２ｃに出力する（ステップＳ１６１０）。
【０２４９】
その後、メインコントローラー１２ｃの制御により、カードリーダー１１４に設けられたＬＥＤランプ（図示せず。）を点滅することによって、利用者に対して再びＩＣカードをカードリーダー１１４に翳すように促し（ステップＳ１６１２）、ステップＳ１６０４の処理に戻り、ステップＳ１６０４以降の処理を行う。
【０２５０】
一方、ステップＳ１６０８の判断処理において、認証用コードと、利用者の登録コードとが一致する、つまり、サーバー１０８に記憶されている登録コードに、認証用コードと一致する登録コードがあると判断されると、「認証」と判断され、ステップＳ９１６の処理に進む。
【０２５１】
このステップＳ９１６の処理では、サーバー１０８で管理している予約情報において即時利用予約開始時点から３時間だけ車両１１０の予約を行うとともに、予約サイトにおける車両１１０の予約を即時利用予約開始時点から３時間だけ不可能な状態とする。
【０２５２】
即ち、サーバー１０８において、車両１１０の利用時間の管理などを行う予約情報において、即時利用予約開始時点から３時間だけ車両１１０を第５の認証処理により認証された利用者が利用するための予約を行い、さらに、予約サイトにおいて、当該予約情報を反映するようにして、車両１１０の予約を即時利用予約開始時点から３時間だけ不可能な状態とする。
【０２５３】
例えば、ステップＳ９１６の処理においては、１６時４６分を即時利用予約開始時点とすると、予約可能な時間単位は、１５分であるため、１６時４６分から１７時までの時間は無視され、１７時から３時間の車両１１０の利用予約がなされることとなる。なお、このとき、無視された時間は、例えば、利用者が無料で利用できる。
【０２５４】
また、ステップＳ９１６の処理においては、メインコントローラー１２ｃの制御により、車両１１０のセキュリティを解除した状態とするとともに、カードリーダー１１４の電源を切る。
【０２５５】
なお、車両１１０のセキュリティを解除した状態とは、具体的には、車両１１０のドアロックを解除するとともに、キーボックス１１６からキーを取り出すことができる状態である。
【０２５６】
その後、ステップＳ９１０の処理に進み、即時利用予約装置１６を停止して、第４の予約処理を終了することにより第１の即時利用予約処理を終了する。
【０２５７】
また、ステップＳ９１２の判断処理において、近接センサ１４−３が選択されなかったと判断されると、近接センサ１４−４が選択されたか否かの判断を行う（ステップＳ９１８）。
【０２５８】
なお、ステップＳ９１８の判断処理では、上記したステップＳ６１２の判断処理と同様にして、近接センサ１４−４が選択されたか否かの判断がなされる。
【０２５９】
このステップＳ９１８の判断処理において、近接センサ１４−４が選択されたと判断されると、１２時間だけ車両１１０の即時利用の予約がなされたと判断され、ステップＳ９２０の処理に進み、第６の認証処理を開始する。
【０２６０】
ここで、図１７のフローチャートには、このステップＳ９２０の処理における第６の認証処理の詳細な処理内容が示されており、この第６の認証処理においては、まず、メインコントローラー１２ｃの制御により、カードリーダー１１４を起動する（ステップＳ１７０２）。
【０２６１】
なお、このステップＳ１７０２の処理においては、カードリーダー１１４を起動した後に、カードリーダー１１４に設けられたＬＥＤランプ（図示せず。）を点滅させて、利用者にカードリーダー１１４の起動を知らせるとともに、利用者にカードリーダー１１４へＩＣカードを翳すように促す。
【０２６２】
そして、カードリーダー１１４の読み取り部（図示せず。）に翳されたＩＣカードから、認証用コードを読み取る（ステップＳ１７０４）。
【０２６３】
その後、読み取った認証用コードおよびステップＳ９１８の処理においてなされた判断結果（つまり、車両１１０の１２時間の予約が選択されたとの判断結果である。）をメインコントローラー１２ｃから携帯電話網を介してサーバー１０８に出力し（ステップＳ１７０６）、サーバー１０８において、当該認証用コードとサーバー１０８に予め記憶されている利用者の登録コードとが一致するか否かの判断を行う（ステップＳ１７０８）。
【０２６４】
即ち、このステップＳ１７０８の判断処理においては、サーバー１０８に記憶されている登録コードに、認証用コードと一致する登録コードがあるか否かを判断するものである。
【０２６５】
ステップＳ１７０８の判断処理において、認証用コードと利用者の登録コードとが一致しない、つまり、サーバー１０８に記憶されている登録コードに、認証用コードと一致する登録コードがないと判断されると、サーバー１０８において「認証不能」と判断され、「認証不能」との判断結果を携帯電話網を介してメインコントローラー１２ｃに出力する（ステップＳ１７１０）。
【０２６６】
その後、メインコントローラー１２ｃの制御により、カードリーダー１１４に設けられたＬＥＤランプ（図示せず。）を点滅することによって、利用者に対して再びＩＣカードをカードリーダー１１４に翳すように促し（ステップＳ１７１２）、ステップＳ１７０４の処理に戻り、ステップＳ１７０４以降の処理を行う。
【０２６７】
一方、ステップＳ１７０８の判断処理において、認証用コードと、利用者の登録コードとが一致する、つまり、サーバー１０８に記憶されている登録コードに、認証用コードと一致する登録コードがあると判断されると、「認証」と判断され、ステップＳ９２２の処理に進む。
【０２６８】
このステップＳ９２２の処理では、サーバー１０８で管理している予約情報において即時利用予約開始時点から１２時間だけ車両１１０の予約を行うとともに、予約サイトにおける車両１１０の予約を即時利用予約開始時点から１２時間だけ不可能な状態とする。
【０２６９】
即ち、サーバー１０８において、車両１１０の利用時間の管理などを行う予約情報において、即時利用予約開始時点から１２時間だけ車両１１０を第６の認証処理により認証された利用者が利用するための予約を行い、さらに、予約サイトにおいて、当該予約情報を反映するようにして、車両１１０の予約を即時利用予約開始時点から１２時間だけ不可能な状態とする。
【０２７０】
例えば、ステップＳ９２２の処理においては、１６時４６分を即時利用予約開始時点とすると、予約可能な時間単位は、１５分であるため、１６時４６分から１７時までの時間は無視され、１７時から１２時間の車両１１０の利用予約がなされることとなる。なお、このとき、無視された時間は、例えば、利用者が無料で利用できる。
【０２７１】
また、ステップＳ９２２の処理においては、メインコントローラー１２ｃの制御により、車両１１０のセキュリティを解除した状態とするとともに、カードリーダー１１４の電源を切る。
【０２７２】
なお、車両１１０のセキュリティを解除した状態とは、具体的には、車両１１０のドアロックを解除するとともに、キーボックス１１６からキーを取り出すことができる状態である。
【０２７３】
その後、ステップＳ９１０の処理に進み、即時利用予約装置１６を停止して、第４の予約処理を終了することにより第１の即時利用予約処理を終了する。
【０２７４】
また、ステップＳ９１８の判断処理において、近接センサ１４−４が選択されなかったと判断されると、近接センサ１４−１が選択されたか否かの判断を行う（ステップＳ９２４）。
【０２７５】
なお、ステップＳ９２４の判断処理では、上記したステップＳ６１６の判断処理と同様にして、近接センサ１４−１が選択されたか否かの判断がなされる。
【０２７６】
このステップＳ９２４の判断処理において、近接センサ１４−１が選択されたと判断されると、ステップＳ９１０の処理に進み、メインコントローラー１２ｃの制御により、即時利用予約装置１６を停止して、第４の予約処理を終了することにより第１の即時利用予約処理を終了する。
【０２７７】
また、ステップＳ９２４の判断処理において、近接センサ１４−１が選択されなかったと判断されると、ステップＳ９０２の処理から所定の時間（例えば、５分間）が経過したか否かの判断を行う（ステップＳ９２６）。
【０２７８】
即ち、このステップＳ９２６の判断処理においては、ＬＥＤランプ２０−１、２０−２、２０−３を緑色で点灯した時点からカウントされた時間が、所定の時間に達したか否かの判断を行うものである。
【０２７９】
このステップＳ９２６の判断処理において、所定の時間が経過したと判断されると、ステップＳ９１０の処理に進み、即時利用予約装置１６を停止して、第４の予約処理を終了することにより第１の即時利用予約処理を終了する。
【０２８０】
また、ステップＳ９２６の判断処理において、所定の時間が経過していないと判断されると、ステップＳ９０４の判断処理に戻って、ステップＳ９０４以降の処理を行う。
【０２８１】
即ち、この第４の予約処理においては、ステップＳ９０２の処理によりＬＥＤ２０−１、２０−２、２０−３を緑色で点灯した後には、近接センサ１４−１、１４−２、１４−３、１４−４が利用者により選択されない限り、所定の時間が経過するまでステップＳ９０４〜ステップＳ９２６の処理を繰り返すこととなる。
【０２８２】
ステップＳ４０２の処理で行った車両１１０の予約が事前予約の場合には、予約した利用開始日時になると、サーバー１０８から予約情報が携帯電話網を介してメインコントローラー１２ｃに出力され、メインコントローラー１２ｃの制御により、カードリーダー１１４が起動される。
【０２８３】
そして、利用者は予約した利用開始日時に車両１１０が駐車された駐車場まで行き、車両１１０を利用することとなる。
【０２８４】
また、ステップＳ４０２の処理で行った車両１１０の予約が即時利用予約の場合には、利用者は、即時利用予約後に、直ちに車両１１０を利用することとなる。
【０２８５】
そして、車両１１０の利用を開始する際には、利用者は、起動されたカードリーダー１１４に会員登録時に取得したＩＣカードを翳すことにより、車両利用前の認証処理を行う（ステップＳ４０４）。
【０２８６】
なお、このステップＳ４０４の車両利用前の認証処理については、ステップＳ４０２の処理でなされた車両１１０への予約が事前予約であった場合になされるものであり、ステップＳ４０２の処理でなされた車両１１０への予約が即時利用予約であった場合には、省略される。
【０２８７】
ここで、図１０のフローチャートには、このステップＳ４０４の処理における車両利用前の認証処理の詳細な処理内容が示されており、この車両利用前の認証処理においては、まず、利用者によりカードリーダー１１４の読み取り部（図示せず。）に翳されたＩＣカードの認証用コードを読み取る（ステップＳ１００２）。
【０２８８】
次に、読み取った認証用コードをメインコントローラー１２ｃから携帯電話網を介してサーバー１０８に出力する（ステップＳ１００４）。
【０２８９】
認証用コードがサーバー１０８に入力すると、サーバー１０８では、当該認証用コードとサーバー１０８に予め記憶されている利用者の登録コードとが一致するか否かの判断を行う（ステップＳ１００６）。
【０２９０】
即ち、このステップＳ１００６の判断処理においては、サーバー１０８に記憶されている登録コードに、認証用コードと一致する登録コードがあるか否かを判断するものである。
【０２９１】
ステップＳ１００６の判断処理において、認証用コードと利用者の登録コードとが一致しない、つまり、サーバー１０８に記憶されている登録コードに、認証用コードと一致する登録コードがないと判断されると、サーバー１０８において「認証不能」と判断され、「認証不能」との判断結果を携帯電話網を介してメインコントローラー１２ｃに出力する（ステップＳ１００８）。
【０２９２】
その後、メインコントローラー１２ｃの制御により、カードリーダー１１４に設けられたＬＥＤランプ（図示せず。）を点滅することによって、利用者に対して再びＩＣカードをカードリーダー１１４に翳すように促し（ステップＳ１０１０）、ステップＳ１００２の処理に戻り、ステップＳ１００２以降の処理を行う。
【０２９３】
一方、ステップＳ１００６の判断処理において、認証用コードと、利用者の登録コードとが一致する、つまり、サーバー１０８に記憶されている登録コードに、認証用コードと一致する登録コードがあると判断されると、サーバー１０８において「認証」と判断され、「認証」との判断結果を携帯電話網を介してメインコントローラー１２ｃに出力する（ステップＳ１０１２）。
【０２９４】
その後、メインコントローラー１２ｃの制御により、カードリーダー１１４に設けられたＬＥＤランプ（図示せず。）を点滅する（ステップＳ１０１０の処理における点滅パターンとは異なる点滅パターンである。）ことで、利用者に対して認証された旨を知らせるとともに、車両１１０のセキュリティを解除した状態とし（ステップＳ１０１４）、ステップＳ４０６の処理に進む。
【０２９５】
なお、車両１１０のセキュリティを解除した状態とは、具体的には、車両１１０のドアロックを解除するとともに、キーボックス１１６からキーを取り出すことができる状態である。
【０２９６】
上記した説明においては、ステップＳ１０１０の処理（警告処理）、ステップＳ１０１４の処理（セキュリティ解除処理）のときに、カードリーダー１１４に設けられたＬＥＤランプ（図示せず。）を点滅するようにしたが、ステップＳ１００６の処理（認証処理）やカードリーダー１１４が起動したときにも当該ＬＥＤランプ（図示せず。）を点滅するようにしてもよい。このときには、各処理における点滅パターンはそれぞれ異なるようにし、利用者に、点滅パターンの違いによって、どのような状態であるのかを知らせるようにする。
【０２９７】
ステップＳ４０４の処理による車両利用前の認証処理による認証が完了すると、メインコントローラー１２ｃの制御により、カードリーダー１１４の電源が切られ、エンジン始動承認処理が開始される（ステップＳ４０６）。
【０２９８】
ここで、図１８のフローチャートには、このステップＳ４０６の処理によるエンジン始動承認処理の詳細な処理内容が示されており、エンジン始動承認処理においては、まず、車両１１０のドアが開かれたか否かの判断を行う（ステップＳ１８０２）。
【０２９９】
即ち、このステップＳ１８０２の判断処理においては、メインコントローラー１２ｃにより、監視部１２ｅのドアスイッチ１１０ｃの監視結果に基づいて判断されることとなる。
【０３００】
このステップＳ１８０２の判断処理において、車両１１０のドアが開けられていないと判断されると、再度ステップＳ１８０２の判断処理が実行される。
【０３０１】
即ち、エンジン始動認証処理が開始されると、車両１１０のドアが開けられるまで、ステップＳ１８０２の判断処理が実行されることとなる。
【０３０２】
なお、ステップＳ１８０２の判断処理が繰り返し実行されて、例えば、所定の時間を経過した際には、エンジン始動承認処理を終了するとともに、車両１１０のドアが開けられることなくエンジン始動の承認がなされなかったとの情報をメインコントローラー１２ｃからサーバー１０８に出力し、サーバー１０８から事業者のパーソナルコンピューター１０２に当該情報を出力するようにしてもよい。
【０３０３】
これにより、事業者は、パーソナルコンピューター１０２の出力された情報に基づいて、速やかに所定の対応を行うことができるようになる。
【０３０４】
また、ステップＳ１８０２の判断処理において、車両１１０のドアが開けられたと判断されると、メインコントローラー１２ｃにより入力装置２２を起動する（ステップＳ１８０４）。
【０３０５】
このとき、入力装置２２によるパスワードの入力回数を初期化して、入力回数を「０」とする。
【０３０６】
ここで、車両１１０を利用しようとする利用者は、車両１１０の運転席に乗車することとなるが、運転席に乗車した利用者は、エンジン始動の承認を受けるために起動した入力装置２２を利用してパスワードを入力する必要がある。
【０３０７】
従って、車両１１０に乗車した利用者は、エンジンを始動する前に入力装置２２を用いてパスワードを入力することとなる。
【０３０８】
なお、こうしたパスワードは、エンジン始動の承認を受ける際に用いるパスワードとして、会員登録時に設定している。
【０３０９】
また、入力装置２２を起動した後に、例えば、メインコントローラー１２ｃにより、音声モジュール１２ｆを介して、エンジン始動の承認を受けるためのパスワードを入力装置２２に打ち込むことを促す音声ガイダンスを流すようにしてもよい。
【０３１０】
そして、入力装置２２が起動した後は、入力装置２２によりパスワードが入力されたか否かの判断を行う（ステップＳ１８０６）。
【０３１１】
即ち、このステップＳ１８０６の判断処理では、メインコントローラー１２ｃにより、入力装置２２からパスワードがメインコントローラー１２ｃに入力されたか否かの判断を行うものであり、パスワードがメインコントローラー１２ｃに入力されると、入力装置２２によりパスワードが入力されたと判断され、パスワードがメインコントローラー１２ｃに入力されないと、入力装置２２によりパスワードが入力されていないと判断される。
【０３１２】
ステップＳ１８０６の判断処理において、入力装置２２によりパスワードが入力されていないと判断されると、再度ステップＳ１８０６の判断処理が実行される。
【０３１３】
即ち、入力装置２２が起動されると、利用者によって入力装置２２によりパスワードが入力されるまで、ステップＳ１８０６の判断処理が繰り返し実行されることとなる。
【０３１４】
なお、例えば、ステップＳ１８０６の判断処理が繰り返し実行されて、所定の時間を経過した際には、エンジン始動承認処理を終了するとともに、入力装置２２によりパスワードが入力されることなくエンジン始動の承認がなされなかったとの情報をメインコントローラー１２ｃからサーバー１０８に出力し、サーバー１０８から事業者のパーソナルコンピューター１０２に当該情報を出力するようにしてもよい。
【０３１５】
そして、事業者では、パーソナルコンピューター１０２に出力された情報に基づいて、所定の対応を行うこととなる。
【０３１６】
また、ステップＳ１８０６の判断処理において、入力装置２２によりパスワードが入力されたと判断されると、メインコントローラー１２ｃにおいて、パスワードの入力回数をインクリメントし（ステップＳ１８０８）、入力されたパスワードが、サーバー１０８に記憶されたパスワードと一致するか否かの判断を行う（ステップＳ１８１０）。
【０３１７】
即ち、このステップＳ１８１０の判断処理においては、入力装置２２により入力されたパスワードが、認証処理（第１〜６の認証処理あるいは車両利用前の認証処理である。）により認証された利用者の登録コードと関連付けられて記憶されたパスワードと一致するか否かの判断を行う。
【０３１８】
ステップＳ１８１０の判断処理において、入力されたパスワードが記憶されたパスワードと一致すると判断されると、エンジンを始動可能な状態とし（ステップＳ１８１２）、このエンジン始動承認処理を終了してステップＳ４０８（後述する。）の処理に進む。
【０３１９】
なお、エンジンを始動可能な状態とは、例えば、キーを利用してエンジンを始動することが可能な状態とすることである。
【０３２０】
また、エンジン始動承認処理を終了する際には、入力装置２２を停止する。
【０３２１】
また、ステップＳ１８１０の判断処理において、入力されたパスワードが記憶されたパスワードと一致しないと判断されると、入力回数が所定の回数に達したか否かの判断を行う（ステップＳ１８１４）。
【０３２２】
即ち、このステップＳ１８１４の判断処理においては、入力装置２２によりパスワードが入力された回数が、予め設定された所定の回数に達したか否かの判断を行う。
【０３２３】
ステップＳ１８１４の判断処理において、入力回数が所定の回数に達しなかったと判断されると、パスワードの再入力を促し（ステップＳ１８１６）、ステップＳ１８０６の判断処理に戻り、ステップＳ１８０６以降の処理を実行する。
【０３２４】
このステップＳ１８１６の処理においては、例えば、メインコントローラー１２ｃにより、音声モジュール１２ｆを介して、利用者に対しパスワードの再入力を促す音声ガイダンスを流すようにしてもよいし、入力装置２２に表示部（図示せず。）が設けられていれば、この表示部に利用者に対しパスワードの再入力を促す表示を行うようにしてもよい。
【０３２５】
また、ステップＳ１８１４の判断処理において、入力回数が所定の回数に達したと判断されると、エンジン始動の承認を得られない旨の警告を行って（ステップＳ１８１８）、エンジン始動承認処理を終了する。
【０３２６】
このステップＳ１８１８の処理においては、例えば、メインコントローラー１２ｃにより、音声モジュール１２ｆを介して、利用者に対しエンジンの始動の承認を得られない旨の音声ガイダンスを流すようにしてもよいし、入力装置２２に表示部（図示せず。）が設けられていれば、この表示部に利用者に対しエンジン始動の承認を得られない旨の表示を行うようにしてもよい。
【０３２７】
また、このとき、利用者に対して、エンジン始動の承認が受けられない旨の連絡を事業者にするよう促すようにしてもよい。
【０３２８】
なお、エンジン始動承認処理を終了する際には、入力装置２２を停止する。
【０３２９】
こうしてエンジン始動承認処理において、エンジン始動の承認を受けると、利用者はキーを利用してエンジンを始動して車両１１０を利用する（ステップＳ４０８）。
【０３３０】
そして、利用者は、予約した車両１１０の利用を終了する時間までに、車両１１０を予め決められた駐車場に駐車させ、キーを利用して車両１１０のエンジンを停止し、当該キーをキーボックス１１６に返却して、車両１１０から降車して車両１１０の全てのドアを閉める。
【０３３１】
その後、車両１１０を返却するための認証処理である、車両利用後の認証処理を行う（ステップＳ４１０）。
【０３３２】
ここで、図１１のフローチャートには、このステップＳ４１０の車両利用後の認証処理の詳細な処理内容が示されており、この車両利用後の認証処理においては、まず、監視部１２ｅにおけるイグニッション１１０ｄ、キーボックス１１６、ならびにドアスイッチ１１０ｃの監視結果に基づいて、メインコントローラー１２ｃにおいて、車両１１０のエンジンが停止され、キーボックス１１６にキーが返却され、かつ、車両１１０の全てのドアが閉められているか否かの判断を行う（ステップＳ１１０２）。
【０３３３】
ステップＳ１１０２の判断処理において、「車両１１０のエンジンの停止」、「キーボックス１１６へのキーの返却」、「車両１１０の全てのドアが閉められていること」の３つのうちの１つでも行われていないと判断されると、継続して車両１１０を利用するものと判断して、この車両利用後の認証処理を終了する。
【０３３４】
一方、ステップＳ１１０２の判断処理において、車両１１０のエンジンが停止され、キーボックス１１６にキーが返却され、かつ、車両１１０の全てのドアが閉められていると判断されると、メインコントローラー１２ｃの制御により、カードリーダー１１４を起動する（ステップＳ１１０４）。このとき、カードリーダー１１４に設けられたＬＥＤランプ（図示せず。）を点滅させて利用者にカードリーダー１１４の起動を知らせる。
【０３３５】
そして、カードリーダー１１４の読み取り部（図示せず。）に翳されたＩＣカードから、認証用コードを読み取る（ステップＳ１１０６）。
【０３３６】
その後、読み取った認証用コードをメインコントローラー１２ｃから携帯電話網を介してサーバー１０８に出力する（ステップＳ１１０８）。
【０３３７】
認証用コードがサーバー１０８に入力されると、サーバー１０８では、当該認証用コードとサーバー１０８に予め記憶されている利用者の登録コードとが一致するか否かの判断を行う（ステップＳ１１１０）。
【０３３８】
即ち、このステップＳ１１１０の判断処理においては、サーバー１０８に記憶されている登録コードに、認証用コードと一致する登録コートがあるか否かを判断するものである。
【０３３９】
ステップＳ１１１０の判断処理において、認証用コードと利用者の登録コードとが一致しない、つまり、サーバー１０８に記憶されている登録コードに、認証用コードと一致する登録コードがないと判断されると、サーバー１０８において「認証不能」と判断され、「認証不能」との判断結果を携帯電話網を介してメインコントローラー１２ｃに出力する（ステップＳ１１１２）。
【０３４０】
その後、メインコントローラー１２ｃの制御により、カードリーダー１１４に設けられたＬＥＤランプ（図示せず。）を点滅することによって、利用者に対して再びＩＣカードをカードリーダー１１４に翳すように促し（ステップＳ１１１４）、ステップＳ１１０６の処理に戻り、ステップＳ１１０６以降の処理を行う。
【０３４１】
一方、ステップＳ１１１０の判断処理において、認証用コードと、利用者の登録コードとが一致する、つまり、サーバー１０８に記憶されている登録コードに、認証用コードと一致する登録コードがあると判断されると、サーバー１０８で管理されている予約情報から認証用コードと一致する登録コードの利用者の予約状況を確認し（ステップＳ１１１６）、この判断処理が行われている時間において当該利用者が利用している車両１１０が存在するか否かの判断を行う（ステップＳ１１１８）。
【０３４２】
このステップＳ１１１８の判断処理において、利用者が利用している車両１１０が存在しないと判断されると、サーバー１０８において「認証不能」と判断され、「認証不能」との判断結果を携帯電話網を介してメインコントローラー１２ｃに出力する（ステップＳ１１２０）。
【０３４３】
その後、メインコントローラー１２ｃの制御により、カードリーダー１１４に設けられたＬＥＤランプ（図示せず。）を点滅する（ステップＳ１１１４の処理における点滅パターンとは異なる点滅パターンである。）ことによって、利用者に対して、管理会社に連絡するよう警告し（ステップＳ１１２２）、この車両利用後の認証処理を終了する。
【０３４４】
即ち、ステップＳ１１１８の判断処理において、利用者が利用している車両１１０が存在しないと判断された場合には、当該利用者による車両１１０の返却は不可能であると判断され、適切な指示を管理会社に問い合わせるよう警告する。
【０３４５】
また、ステップＳ１１１８の判断処理において、利用者が利用している車両１１０が存在すると判断されると、サーバー１０８において「認証」と判断され、「認証」との判断結果を携帯電話網を介してメインコントローラー１２ｃに出力する（ステップＳ１１２４）。
【０３４６】
その後、メインコントローラー１２ｃの制御により、カードリーダー１１４に設けられたＬＥＤランプ（図示せず。）を点滅する（ステップＳ１１１４の処理およびステップＳ１１２２の処理における点滅パターンとは異なる点滅パターンである。）ことで、利用者に対して認証され、車両１１０の返却処理が完了したことを知らせるとともに、車両１１０のセキュリティを起動した状態とする（ステップＳ１１２６）。
【０３４７】
なお、車両１１０のセキュリティを起動した状態とは、車両１１０のドアロックを行うとともに、キーボックス１１６からキーを取り出すことができない状態である。
【０３４８】
また、上記した説明においては、ステップＳ１１１４の処理（警告処理）、ステップＳ１１１２の処理（警告処理）、ステップＳ１１２６（セキュリティ起動処理）のときに、カードリーダー１１４に設けられたＬＥＤランプ（図示せず。）を点滅するようにしたが、ステップＳ１１１０〜ステップＳ１１１８の処理（認証処理）やカードリーダー１１４が起動したときにも当該ＬＥＤランプを点滅するようにしてもよい。このときには、各処理における点滅パターンはそれぞれ異なるようにし、利用者に、点滅パターンの違いによって、どのような状態であるのかを知らせるようにする。
【０３４９】
そして、上記したステップＳ４１０の処理による車両利用後の認証処理により認証が完了すると、メインコントローラー１２ｃの制御により、カードリーダー１１４の電源を切る。
【０３５０】
その後、サーバー１０８において車両１１０の利用により生じた車両１１０の利用料金の精算がなされる（ステップＳ４１２）。
【０３５１】
即ち、車両利用後の認証処理が完了すると、車両１１０の利用が終了した時点の車両１１０の総走行距離や燃料残量など、利用料金の算出に必要な各種情報を算出するための情報が監視され、この監視情報がメインコントローラー１２ｃから携帯電話網を介してサーバー１０８に出力されて、サーバー１０８において、各種の情報に基づいて、車両１１０の利用により発生した利用料金が算出される。
【０３５２】
なお、こうして算出した利用料金は、予め決められた利用者への料金請求日などの所定のタイミングで、それぞれの利用者のパーソナルコンピューター１０４や携帯端末１０６に通知する。
【０３５３】
また、こうした各利用者による予約状況や利用料金については、表やグラフなどにまとめられ、事業者がパーソナルコンピューター１０２により閲覧可能なようにサーバー１０８における記憶手段（図示せず。）に記憶する。
【０３５４】
次に、図１９乃至図２６を参照しながら、本発明による車両予約システムの第２の実施の形態について説明する。
【０３５５】
以下の説明においては、上記した本発明による車両予約システムの第１の実施の形態と同様に、本発明の第２の実施の形態による車両予約システムをカーシェアリングシステムに用いた場合について説明する。
【０３５６】
なお、本発明の第２の実施の形態による車両予約システムを備えたカーシェアリングシステム５０は、上記した本発明の第１の実施の形態による車両予約システムを備えたカーシェアリングシステム１０と同じ構成のため、その詳細な説明は省略する。
【０３５７】
ここで、本発明の第２の実施の形態による車両予約システムを備えたカーシェアリングシステム５０における車両の利用手順について説明する。
【０３５８】
この本発明の第２の実施の形態による車両予約システムを備えたカーシェアリングシステム５０は、ＩＣカードによる認証処理を行った後に、即時利用の予約を行うことができるようになる点において、上記した本発明の第１の実施の形態による車両予約システムを備えたカーシェアリングシステム１０と異なっている。
【０３５９】
以下、本発明の第２の実施の形態による車両予約システムを備えたカーシェアリングシステム５０における車両の利用手順について、詳細に説明する。
【０３６０】
まず、カーシェアリングシステム５０を利用するに際して、利用者が事業者に対して会員登録を申請すると、事業者は、利用者固有の登録コードを作成し、当該登録コードを利用者に配布するとともに、サーバー１０８内に設けられた記憶手段（図示せず。）に記憶する。
【０３６１】
さらに、上記した登録コードと同じ認証用コードが記憶されたＩＣカードと、利用者がサーバー１０８で管理される予約サイトにアクセスする際に必要となるＩＤおよびパスワードとが利用者に対して配布される。
【０３６２】
また、会員登録時には、エンジン始動の承認を受ける際に必要となるパスワードを設定し、設定したパスワードは、利用者の登録コードと関連付けられてサーバー１０８内に設けられた記憶手段（図示せず。）に記憶する。
【０３６３】
そして、事業者への会員登録を完了した利用者は、事業者が管理する車両１１０を利用しようとする場合には、まず、利用する車両１１０を予約する（ステップＳ１９０２）。
【０３６４】
なお、本発明の第２の実施の形態による車両予約システムを備えたカーシェアリングシステム５０においては、車両１１０を携帯端末１０６やパーソナルコンピューター１０４により予約する事前予約処理と、車両１１０を即時利用予約装置１６により予約する即時利用予約処理とを行うことができる。
【０３６５】
即ち、事前予約処理は、パーソナルコンピューター１０４や携帯端末１０６を介して、利用する車両１１０の予約を行うものである。
【０３６６】
なお、こうした事前予約処理は、上記した本発明の第１の実施の形態による車両予約システムを備えたカーシェアリングシステム１０と同様に、従来より公知の技術を用いることができるため、その詳細な説明は省略するが、例えば、パーソナルコンピューター１０４または携帯端末１０６を利用してサーバー１０８に管理された予約サイトにアクセスして会員登録時に取得したＩＤおよびパスワードを入力して予約サイトにログインし、ログインした予約サイトにおいて車両１１０の状態や車両１１０の予約状況といった情報を閲覧し、利用者の要望にあった車両１１０の予約を行うものである。
【０３６７】
また、即時利用予約処理は、車両１１０に設けられた即時利用予約装置１６を利用して、車両１１０の予約を行うものである。
【０３６８】
以下、本発明の第２の実施の形態による車両予約システムを備えたカーシェアリングシステムにおける即時利用予約処理について、図２０を参照しながら、詳細に説明する。図２０には、本発明の第２の実施の形態による車両予約システムを備えたカーシェアリングシステムにおける即時利用予約処理たる第２の即時利用予約処理の詳細な処理内容を示すフローチャートが示されている。
【０３６９】
この本発明の第２の実施の形態による車両予約システムを備えたカーシェアリングシステムにおける即時利用予約処理たる第２の即時利用予約処理は、即時利用予約装置１６において、利用者により近接センサ１４−１が選択される（つまり、利用者が近接センサ１４−１に指を近づけることである。）と、開始されることとなる。
【０３７０】
そして、第２の即時利用予約処理が開始されると、まず、ＩＣカードによる認証処理が行われる（ステップＳ２００２）。
【０３７１】
ここで、図２１のフローチャートには、このステップＳ２００２の処理におけるＩＣカードによる認証処理の詳細な処理内容が示されており、このＩＣカードによる認証処理においては、まず、メインコントローラー１２ｃの制御により、カードリーダー１１４を起動する（ステップＳ２１０２）。
【０３７２】
なお、このステップＳ２１０２の処理においては、カードリーダー１１４を起動した後に、カードリーダー１１４に設けられたＬＥＤランプ（図示せず。）を点滅させて、利用者にカードリーダー１１４の起動を知らせるとともに、利用者にカードリーダー１１４にＩＣカードを翳すように促す。
【０３７３】
そして、カードリーダー１１４の読み取り部（図示せず。）に翳されたＩＣカードから、認証用コードを読み取る（ステップＳ２１０４）。
【０３７４】
その後、読み取った認証用コードをメインコントローラー１２ｃから携帯電話網を介してサーバー１０８に出力する（ステップＳ２１０６）。
【０３７５】
認証用コードがサーバー１０８に入力されると、サーバー１０８では、当該認証用コードとサーバー１０８に予め記憶されている利用者の登録コードとが一致するか否かの判断を行う（ステップＳ２１０８）。
【０３７６】
即ち、このステップＳ２１０８の判断処理においては、サーバー１０８に記憶されている登録コードに、認証用コードと一致する登録コードがあるか否かを判断するものである。
【０３７７】
ステップＳ２１０８の判断処理において、認証用コードと利用者の登録コードとが一致しない、つまり、サーバー１０８に記憶されている登録コードに、認証用コードと一致する登録コードがないと判断されると、サーバー１０８において「認証不能」と判断され、「認証不能」との判断結果を携帯電話網を介してメインコントローラー１２ｃに出力する（ステップＳ２１１０）。
【０３７８】
その後、メインコントローラー１２ｃの制御により、カードリーダー１１４に設けられたＬＥＤランプ（図示せず。）を点滅することによって、利用者に対して再びＩＣカードをカードリーダー１１４に翳すように促し（ステップＳ２１１２）、ステップＳ２１０４の処理に戻り、ステップＳ２１０４以降の処理を行う。
【０３７９】
なお、ステップＳ２１０８の処理とステップＳ２１１０の処理との間に、「認証不能」と判断された回数をカウントし、カウントした回数が所定の回数であるか否かを判断する処理を設け、当該処理において、カウントした回数が所定の回数に達していないと判断されると、ステップＳ２１１０の処理に進み、カウントした回数が所定の回数に達したと判断されると、このＩＣカードによる認証処理を終了するとともに、第２の即時利用予約処理を終了するようにしてもよい。
【０３８０】
一方、ステップＳ２１０８の判断処理において、認証用コードと利用者の登録とが一致する、つまり、サーバー１０８に記憶されている登録コードに、認証用コードと一致する登録コードがあると判断されると、サーバー１０８において「認証」と判断され、「認証」との判断結果を携帯電話網を介してメインコントローラー１２ｃに出力する（ステップＳ２１１４）。
【０３８１】
その後、メインコントローラー１２ｃの制御により、カードリーダー１１４に設けられたＬＥＤランプ（図示せず。）を点滅する（ステップＳ２１１２の処理における点滅パターンとは異なる点滅パターンである。）ことで、利用者に対して認証され、即時利用予約が可能となった旨を知らせ（ステップＳ２１１６）、ステップＳ２００４の処理に進む。
【０３８２】
なお、このＩＣカードによる認証処理により起動したカードリーダー１１４は、例えば、ＬＥＤランプ（図示せず。）を点滅して、利用者に対して即時利用予約が可能となった旨を知らせた後に所定の時間が経過した、即時利用予約装置１６が停止した、あるいは、第２の即時利用予約処理が終了したなどのタイミングで電源が切られる。
【０３８３】
ＩＣカードによる認証処理により認証されると、次に、メインコントローラー１２ｃから車両情報をサーバー１０８に出力する（ステップＳ２００４）。
【０３８４】
即ち、このステップＳ２００４の処理では、即時利用予約装置１６が起動した車両１１０を特定することが可能な車両情報を、メインコントローラー１２ｃから携帯電話網を利用してサーバー１０８に出力する。
【０３８５】
次に、サーバー１０８において、メインコントローラー１２ｃから出力された車両情報から特定される車両１１０の予約状況を確認する（ステップＳ２００６）。
【０３８６】
即ち、ステップＳ２００６の処理では、メインコントローラー１２ｃから出力された車両情報により管理されている車両１１０の予約サイトにおける予約状況を確認する。
【０３８７】
その後、確認した車両１１０の予約状況に基づいて、現時点から車両１１０を利用することが可能な時間を算出する（ステップＳ２００８）。
【０３８８】
即ち、ステップＳ２００８の処理では、確認した車両１１０の予約状況から、車両１１０の予約状況を確認した時点（以下、「車両１１０の予約状況を確認した時点」を、「即時利用予約開始時点」と称する。）から、連続して車両１１０を利用可能な時間を算出する。
【０３８９】
具体的には、サーバー１０８において、車両１１０の予約状況から、即時利用予約開始時点から次の予約までの時間を算出する。なお、算出する時間単位については、予約サイトにおける車両１１０の予約可能な時間単位であり、例えば、１５分単位で算出される。
【０３９０】
より具体的には、１６時４６分を即時利用予約開始時点とすると、予約可能な時間単位は、１５分なので、１６時４６分から１７時までの時間は無視され、１７時から１５分単位で、次の予約までの時間が計算されることとなる。
【０３９１】
そして、ステップＳ２００８の処理で算出した、車両１１０を利用可能な時間を、サーバー１０８から携帯電話網を介してメインコントローラー１２ｃに出力する（ステップＳ２０１０）。
【０３９２】
次に、車両１１０を利用可能な時間が出力されたメインコントローラー１２ｃにおいて、サーバー１０８から出力された車両１１０を利用可能な時間が、３０分間以上であるか否かの判断を行う（ステップＳ２０１２）。
【０３９３】
このステップＳ２０１２の判断処理において、車両１１０を利用可能な時間が、３０分間以上でないと判断されると、第１の予約処理が開始される（ステップＳ２０１４）。
【０３９４】
ここで、図２２のフローチャートには、このステップＳ２０１４の処理における第１の予約処理の詳細な処理内容が示されており、この第１の予約処理においては、まず、メインコントローラー１２ｃの制御により、ＬＥＤランプ２０−１、２０−２、２０−３を赤色で点灯する（ステップＳ２２０２）。
【０３９５】
その後、近接センサ１４−２が選択されたか否かの判断を行う（ステップＳ２２０４）。
【０３９６】
即ち、ステップＳ２２０４の判断処理においては、監視部１２ｅの監視に基づいてメインコントローラー１２ｃにより、近接センサ１４−２から所定の信号（例えば、静電容量の変化を表す信号）を取得したか否かを判断するものであり、近接センサ１４−２から所定の信号を取得した場合には、近接センサ１４−２が選択されたと判断され、近接センサ１４−２から所定の信号を取得したかった場合には、近接センサ１４−２が選択されなかったと判断される。
【０３９７】
このステップＳ２２０４の判断処理において、近接センサ１４−２が選択されたと判断されると、近接センサ１４−２は選択不可能であるため、メインコントローラー１２ｃの制御により、ＬＥＤランプ２０−１を赤色で点滅させ（ステップＳ２２０６）、後述するステップＳ２２０８の処理に進む。
【０３９８】
また、ステップＳ２２０４の判断処理において、近接センサ１４−２が選択されなかったと判断されると、近接センサ１４−３が選択されたか否かの判断を行う（ステップＳ２２０８）。
【０３９９】
即ち、ステップＳ２２０８の判断処理においては、監視部１２ｅの監視により、近接センサ１４−３から所定の信号（例えば、静電容量の変化を表す信号）を取得したか否かを判断するものであり、近接センサ１４−３から所定の信号を取得した場合には、近接センサ１４−３が選択されたと判断され、近接センサ１４−３から所定の信号を取得しなかった場合には、近接センサ１４−３が選択されなかったと判断される。
【０４００】
このステップＳ２２０８の判断処理において、近接センサ１４−３が選択されたと判断されると、近接センサ１４−３は選択不可能であるため、メインコントローラー１２ｃの制御により、ＬＥＤランプ２０−２を赤色で点滅させ（ステップＳ２２１０）、後述するステップＳ２２１２の処理に進む。
【０４０１】
また、ステップＳ２２０８の判断処理において、近接センサ１４−３が選択されなかったと判断されると、近接センサ１４−４が選択されたか否かの判断を行う（ステップＳ２２１２）。
【０４０２】
即ち、ステップＳ２２１２の判断処理においては、監視部１２ｅの監視により、近接センサ１４−４から所定の信号（例えば、静電容量の変化を表す信号）を取得したか否かを判断するものであり、近接センサ１４−４から所定の信号を取得した場合には、近接センサ１４−４が選択されたと判断され、近接センサ１４−４から所定の信号を取得したかった場合には、近接センサ１４−４が選択されなかったと判断される。
【０４０３】
このステップＳ２２１２の判断処理において、近接センサ１４−４が選択されたと判断されると、近接センサ１４−４は選択不可能であるため、メインコントローラー１２ｃの制御により、ＬＥＤランプ２０−３を赤色で点滅させ（ステップＳ２２１４）、後述するステップＳ２２１６の処理に進む。
【０４０４】
また、ステップＳ２２１２の判断処理において、近接センサ１４−４が選択されなかったと判断されると、近接センサ１４−１が選択されたか否かの判断を行う（ステップＳ２２１６）。
【０４０５】
即ち、ステップＳ２２１６の判断処理においては、監視部１２ｅの監視により、近接センサ１４−１から所定の信号（例えば、静電容量の変化を表す信号）を取得したか否かを判断するものであり、近接センサ１４−１から所定の信号を取得した場合には、近接センサ１４−１が選択されたと判断され、近接センサ１４−１から所定の信号を取得しなかった場合には、近接センサ１４−１が選択されなかったと判断される。
【０４０６】
このステップＳ２２１６の判断処理において、近接センサ１４−１が選択されたと判断されると、メインコントローラー１２ｃの制御により、即時利用予約装置１６を停止し（ステップＳ２２２０）、第１の予約処理を終了することにより第２の即時利用予約処理を終了する。
【０４０７】
また、ステップＳ２２１６の判断処理において、近接センサ１４−１が選択されなかったと判断されると、ステップＳ２２０２の処理から所定の時間（例えば、５分間）が経過したか否かの判断を行う（ステップＳ２２１８）。
【０４０８】
即ち、このステップＳ２２１８の判断処理においては、ＬＥＤランプ２０−１、２０−２、２０−３を赤色で点灯した時点からカウントされた時間が、所定の時間に達したか否かの判断を行うものである。
【０４０９】
このステップＳ２２１８の判断処理において、所定の時間が経過したと判断されると、ステップＳ２２２０の処理に進み、即時利用予約装置１６を停止して、第１の予約処理を終了することにより第２の即時利用予約処理を終了する。
【０４１０】
また、ステップＳ２２１８の判断処理において、所定の時間が経過していないと判断されると、ステップＳ２２０４の判断処理に戻って、ステップＳ２２０４以降の処理を行う。
【０４１１】
即ち、この第１予約処理においては、ステップＳ２２０２の処理によりＬＥＤランプ２０−１、２０−２、２０−３を赤色で点灯した後には、近接センサ１４−１が利用者により選択されない限り、所定の時間が経過するまでステップＳ２２０４〜ステップＳ２２１８の処理を繰り返すこととなる。
【０４１２】
一方、ステップＳ２０１２の判断処理において、車両１１０の利用可能な時間が、３０分以上であると判断されると、車両１１０の利用可能な時間が、３時間以上であるか否かの判断を行う（ステップＳ２０１６）。
【０４１３】
このステップＳ２０１６の判断処理において、車両１１０を利用可能な時間が、３時間以上でないと判断されると、第２の予約処理が開始される（ステップＳ２０１８）。
【０４１４】
ここで、図２３のフローチャートには、このステップＳ２０１８の処理における第２の予約処理の詳細な処理内容が示されており、この第２の予約処理においては、まず、メインコントローラー１２ｃの制御により、ＬＥＤランプ２０−１を緑色で点灯するとともに、ＬＥＤランプ２０−２、２０−３を赤色で点灯する（ステップＳ２３０２）。
【０４１５】
その後、近接センサ１４−２が選択されたか否かの判断を行う（ステップＳ２３０４）。
【０４１６】
なお、ステップＳ２３０４の判断処理では、上記したステップＳ２２０４の判断処理と同様にして、近接センサ１４−２が選択されたか否かの判断がなされる。
【０４１７】
このステップＳ２３０４の判断処理において、近接センサ１４−２が選択されたと判断されると、３０分間だけ車両１１０の即時利用の予約がなされたと判断され、サーバー１０８で管理している予約情報において即時利用予約開始時点から３０分間だけ車両１１０の予約を行うとともに、予約サイトにおける車両１１０の予約を即時利用予約開始時点から３０分間だけ不可能な状態とする（ステップＳ２３０６）。
【０４１８】
即ち、ステップＳ２３０６の処理においては、サーバー１０８において、車両１１０の利用時間の管理などを行う予約情報にて、即時利用予約開始時点から３０分間だけ車両１１０を、ＩＣカードによる認証処理により認証された利用者が利用するための予約を行い、さらに、予約サイトにおいて、当該予約情報を反映するようにして、車両１１０の予約を即時利用予約開始時点から３０分間だけ不可能な状態とする。
【０４１９】
例えば、ステップＳ２３０６の処理においては、１６時４６分を即時利用予約開始時点とすると、予約可能な時間単位は、１５分であるため、１６時４６分から１７時までの時間は無視され、１７時から３０分間の車両１１０の利用予約がなされることとなる。なお、このとき、無視された時間は、例えば、利用者が無料で利用できる。
【０４２０】
そして、ステップＳ２３０６の処理が完了すると、メインコントローラー１２ｃの制御により、車両１１０のセキュリティを解除した状態とする（ステップＳ２３０８）。
【０４２１】
なお、車両１１０のセキュリティを解除した状態とは、具体的には、車両１１０のドアロックを解除するとともに、キーボックス１１６からキーを取り出すことができる状態である。
【０４２２】
その後、即時利用予約装置１６を停止して（ステップＳ２３１０）、第２の予約処理を終了することにより第２の即時利用予約処理を終了する。
【０４２３】
また、ステップＳ２３０４の判断処理において、近接センサ１４−２が選択されなかったと判断されると、近接センサ１４−３が選択されたか否かの判断を行う（ステップＳ２３１２）。
【０４２４】
なお、ステップＳ２３１２の判断処理では、上記したステップＳ２２０８の判断処理と同様にして、近接センサ１４−３が選択されたか否かの判断がなされる。
【０４２５】
このステップＳ２３１２の判断処理において、近接センサ１４−３が選択されたと判断されると、近接センサ１４−３は選択不可能であるため、メインコントローラー１２ｃの制御により、ＬＥＤランプ２０−２を赤色で点滅させ（ステップＳ２３１４）、後述するステップＳ２３１６の処理に進む。
【０４２６】
また、ステップＳ２３１２の判断処理において、近接センサ１４−３が選択されなかったと判断されると、近接センサ１４−４が選択されたか否かの判断を行う（ステップＳ２３１６）。
【０４２７】
なお、ステップＳ２３１６の判断処理では、上記したステップＳ２２１２の判断処理と同様にして、近接センサ１４−４が選択されたか否かの判断がなされる。
【０４２８】
このステップＳ２３１６の判断処理において、近接センサ１４−４が選択されたと判断されると、近接センサ１４−４は選択不可能であるため、メインコントローラー１２ｃの制御により、ＬＥＤランプ２０−３を赤色で点滅させ（ステップＳ２３１８）、後述するステップＳ２３２０の処理に進む。
【０４２９】
また、ステップＳ２３１６の判断処理において、近接センサ１４−４が選択されなかったと判断されると、近接センサ１４−１が選択されたか否かの判断を行う（ステップＳ２３２０）。
【０４３０】
なお、ステップＳ２３２０の判断処理では、上記したステップＳ２２１６の判断処理と同様にして、近接センサ１４−１が選択されたか否かの判断がなされる。
【０４３１】
このステップＳ２３２０の判断処理において、近接センサ１４−１が選択されたと判断されると、ステップＳ２３１０の処理に進み、メインコントローラー１２ｃの制御により、即時利用予約装置１６を停止して、第２の予約処理を終了することにより第２の即時利用予約処理を終了する。
【０４３２】
また、ステップＳ２３２０の判断処理において、近接センサ１４−１が選択されなかったと判断されると、ステップＳ２３０２の処理から所定の時間（例えば、５分間）が経過したか否かの判断を行う（ステップＳ２３２２）。
【０４３３】
即ち、このステップＳ２３２２の判断処理においては、ＬＥＤランプ２０−１を緑色、ＬＥＤランプ２０−２、２０−３を赤色で点灯した時点からカウントされた時間が、所定の時間に達したか否かの判断を行うものである。
【０４３４】
このステップＳ２３２２の判断処理において、所定の時間が経過したと判断されると、ステップＳ２３１０の処理に進み、即時利用予約装置１６を停止して、第２の予約処理を終了することにより第２の即時利用予約処理を終了する。
【０４３５】
また、ステップＳ２３２２の判断処理において、所定の時間が経過していないと判断されると、ステップＳ２３０４の判断処理に戻って、ステップＳ２３０４以降の処理を行う。
【０４３６】
即ち、この第２の予約処理においては、ステップＳ２３０２の処理によりＬＥＤランプ２０−１を緑色、ＬＥＤランプ２０−２、２０−３を赤色で点灯した後には、近接センサ１４−１、１４−２が利用者により選択されない限り、所定の時間が経過するまでステップＳ２３０４〜ステップＳ２３２２の処理を繰り返すこととなる。
【０４３７】
一方、ステップＳ２０１６の判断処理において、車両１１０の利用可能な時間が３時間以上であると判断されると、車両１１０の利用可能な時間が、１２時間以上であるか否かの判断を行う（ステップＳ２０２０）。
【０４３８】
このステップＳ２０２０の判断処理において、車両１１０を利用可能な時間が１２時間以上でないと判断されると、第３の予約処理が開始される（ステップＳ２０２２）。
【０４３９】
ここで、図２４のフローチャートには、このステップＳ２０２２の処理における第３の予約処理の詳細な処理内容が示されており、この第３の予約処理においては、まず、メインコントローラー１２ｃの制御により、ＬＥＤランプ２０−１、２０−２を緑色で点灯するとともに、ＬＥＤランプ２０−３を赤色で点灯する（ステップＳ２４０２）。
【０４４０】
その後、近接センサ１４−２が選択されたか否かの判断を行う（ステップＳ２４０４）。
【０４４１】
なお、ステップＳ２４０４の判断処理では、上記したステップＳ２２０４の判断処理と同様にして、近接センサ１４−２が選択されたか否かの判断がなされる。
【０４４２】
このステップＳ２４０４の判断処理において、近接センサ１４−２が選択されたと判断されると、３０分間だけ車両１１０の即時利用の予約がなされたと判断され、サーバー１０８で管理している予約情報において即時利用予約開始時点から３０分間だけ車両１１０の予約を行うとともに、予約サイトにおける車両１１０の予約を即時利用予約開始時点から３０分間だけ不可能な状態とする（ステップＳ２４０６）。
【０４４３】
即ち、ステップＳ２４０６の処理においては、サーバー１０８において、車両１１０の利用時間の管理などを行う予約情報にて、即時利用予約開始時点から３０分間だけ車両１１０を、ＩＣカードによる認証処理により認証された利用者が利用するための予約を行い、さらに、予約サイトにおいて、当該予約情報を反映するようにして、車両１１０の予約を即時利用予約開始時点から３０分間だけ不可能な状態とする。
【０４４４】
例えば、ステップＳ２４０６の処理においては、１６時４６分を即時利用予約開始時点とすると、予約可能な時間単位は、１５分であるため、１６時４６分から１７時までの時間は無視され、１７時から３０分間の車両１１０の利用予約がなされることとなる。なお、このとき、無視された時間は、例えば、利用者が無料で利用できる。
【０４４５】
そして、ステップＳ２４０６の処理が完了すると、メインコントローラー１２ｃの制御により、車両１１０のセキュリティを解除した状態とする（ステップＳ２４０８）。
【０４４６】
なお、車両１１０のセキュリティを解除した状態とは、具体的には、車両１１０のドアロックを解除するとともに、キーボックス１１６からキーを取り出すことができる状態である。
【０４４７】
その後、即時利用予約装置１６を停止して（ステップＳ２４１０）、第３の予約処理を終了することにより第２の即時利用予約処理を終了する。
【０４４８】
また、ステップＳ２４０４の判断処理において、近接センサ１４−２が選択されなかったと判断されると、近接センサ１４−３が選択されたか否かの判断を行う（ステップＳ２４１２）。
【０４４９】
なお、ステップＳ２４１２の判断処理では、上記したステップＳ２２０８の判断処理と同様にして、近接センサ１４−３が選択されたか否かの判断がなされる。
【０４５０】
このステップＳ２４１２の判断処理において、近接センサ１４−３が選択されたと判断されると、３時間だけ車両１１０の即時利用の予約がなされたと判断され、サーバー１０８で管理している予約情報において即時利用予約開始時点から３時間だけ車両１１０の予約を行うとともに、予約サイトにおける車両１１０の予約を即時利用予約開始時点から３時間だけ不可能な状態とする（ステップＳ２４１４）。
【０４５１】
即ち、ステップＳ２４１４の処理においては、サーバー１０８において、車両１１０の利用時間の管理などを行う予約情報にて、即時利用予約開始時点から３時間だけ車両１１０を、ＩＣカードによる認証処理により認証された利用者が利用するための予約を行い、さらに、予約サイトにおいて、当該予約情報を反映するようにして、車両１１０の予約を即時利用予約開始時点から３時間だけ不可能な状態とする。
【０４５２】
例えば、ステップＳ２４１４の処理においては、１６時４６分を即時利用予約開始時点とすると、予約可能な時間単位は、１５分であるため、１６時４６分から１７時までの時間は無視され、１７時から３時間の車両１１０の利用予約がなされることとなる。なお、このとき、無視された時間は、例えば、利用者が無料で利用できる。
【０４５３】
そして、ステップＳ２４１４の処理が完了すると、メインコントローラー１２ｃの制御により、車両１１０のセキュリティを解除した状態とする（ステップＳ２４１６）。
【０４５４】
なお、車両１１０のセキュリティを解除した状態とは、具体的には、車両１１０のドアロックを解除するとともに、キーボックス１１６からキーを取り出すことができる状態である。
【０４５５】
その後、ステップＳ２４１０の処理に進み、即時利用予約装置１６を停止して、第３の予約処理を終了することにより第２の即時利用予約処理を終了する。
【０４５６】
また、ステップＳ２４１２の判断処理において、近接センサ１４−３が選択されなかったと判断されると、近接センサ１４−４が選択されたか否かの判断を行う（ステップＳ２４１８）。
【０４５７】
なお、ステップＳ２４１８の判断処理では、上記したステップＳ２２１２の判断処理と同様にして、近接センサ１４−４が選択されたか否かの判断がなされる。
【０４５８】
このステップＳ２４１８の判断処理において、近接センサ１４−４が選択されたと判断されると、近接センサ１４−４は選択不可能であるため、メインコントローラー１２ｃの制御により、ＬＥＤランプ２０−３を赤色で点滅させ（ステップＳ２４２０）、後述するステップＳ２４２２の処理に進む。
【０４５９】
また、ステップＳ２４１８の判断処理において、近接センサ１４−４が選択されなかったと判断されると、近接センサ１４−１が選択されたか否かの判断を行う（ステップＳ２４２２）。
【０４６０】
なお、ステップＳ２４２２の判断処理では、上記したステップＳ２２１６の判断処理と同様にして、近接センサ１４−１が選択されたか否かの判断がなされる。
【０４６１】
このステップＳ２４２２の判断処理において、近接センサ１４−１が選択されたと判断されると、ステップＳ２４１０の処理に進み、メインコントローラー１２ｃの制御により、即時利用予約装置１６を停止して、第３の予約処理を終了することにより第２の即時利用予約処理を終了する。
【０４６２】
また、ステップＳ２４２２の判断処理において、近接センサ１４−１が選択されなかったと判断されると、ステップＳ２４０２の処理から所定の時間（例えば、５分間）が経過したか否かの判断を行う（ステップＳ２４２４）。
【０４６３】
即ち、このステップＳ２４２４の判断処理においては、ＬＥＤランプ２０−１、２０−２を緑色、ＬＥＤランプ２０−３を赤色で点灯した時点からカウントされた時間が、所定の時間に達したか否かの判断を行うものである。
【０４６４】
このステップＳ２４２４の判断処理において、所定の時間が経過したと判断されると、ステップＳ２４１０の処理に進み、即時利用予約装置１６を停止して、第３の予約処理を終了することにより第２の即時利用予約処理を終了する。
【０４６５】
また、ステップＳ２４２４の判断処理において、所定の時間が経過してないと判断されると、ステップＳ２４０４の判断処理に戻って、ステップＳ２４０４以降の処理を行う。
【０４６６】
即ち、この第３の予約処理においては、ステップＳ２４０２の処理によりＬＥＤランプ２０−１、２０−２を緑色、ＬＥＤランプ２０−３を赤色で点灯した後には、近接センサ１４−１、１４−２、１４−３が利用者により選択されない限り、所定の時間が経過するまでステップＳ２４０４〜ステップＳ２４２４の処理を繰り返すこととなる。
【０４６７】
一方、ステップＳ２０２０の判断処理において、車両１１０の利用可能な時間が１２時間以上であると判断されると、第４の予約処理が開始される（ステップＳ２０２４）。
【０４６８】
ここで、図２５のフローチャートには、このステップＳ２０２４の処理における第４の予約処理の詳細な処理内容が示されており、この第４の予約処理においては、まず、メインコントローラー１２ｃの制御により、ＬＥＤランプ２０−１、２０−２、２０−３を緑色で点灯する（ステップＳ２５０２）。
【０４６９】
その後、近接センサ１４−２が選択されたか否かの判断を行う（ステップＳ２５０４）。
【０４７０】
なお、ステップＳ２５０４の判断処理では、上記したステップＳ２２０４の判断処理と同様にして、近接センサ１４−２が選択されたか否かの判断がなされる。
【０４７１】
このステップＳ２５０４の判断処理において、近接センサ１４−２が選択されたと判断されると、３０分間だけ車両１１０の即時利用の予約がなされたと判断され、サーバー１０８で管理している予約情報において即時利用予約開始時点から３０分間だけ車両１１０の予約を行うとともに、予約サイトにおける車両１１０の予約を即時利用予約開始時点から３０分間だけ不可能な状態とする（ステップＳ２５０６）。
【０４７２】
即ち、ステップＳ２５０６の処理においては、サーバー１０８において、車両１１０の利用時間の管理などを行う予約情報にて、即時利用予約開始時点から３０分間だけ車両１１０を、ＩＣカードによる認証処理により認証された利用者が利用するための予約を行い、さらに、予約サイトにおいて、当該予約情報を反映するようにして、車両１１０の予約を即時利用予約開始時点から３０分間だけ不可能な状態とする。
【０４７３】
例えば、ステップＳ２５０６の処理においては、１６時４６分を即時利用予約開始時点とすると、予約可能な時間単位は、１５分であるため、１６時４６分から１７時までの時間は無視され、１７時から３０分間の車両１１０の利用予約がなされることとなる。なお、このとき、無視された時間は、例えば、利用者が無料で利用できる。
【０４７４】
そして、ステップＳ２５０６の処理が完了すると、メインコントローラー１２ｃの制御により、車両１１０のセキュリティを解除した状態とする（ステップＳ２５０８）。
【０４７５】
なお、車両１１０のセキュリティを解除した状態とは、具体的には、車両１１０のドアロックを解除するとともに、キーボックス１１６からキーを取り出すことができる状態である。
【０４７６】
その後、即時利用予約装置１６を停止して（ステップＳ２５１０）、第４の予約処理を終了することにより第２の即時利用予約処理を終了する。
【０４７７】
また、ステップＳ２５０４の判断処理において、近接センサ１４−２が選択されなかったと判断されると、近接センサ１４−３が選択されたか否かの判断を行う（ステップＳ２５１２）。
【０４７８】
なお、ステップＳ２５１２の判断処理では、上記したステップＳ２２０８の判断処理と同様にして、近接センサ１４−３が選択されたか否かの判断がなされる。
【０４７９】
このステップＳ２５１２の判断処理において、近接センサ１４−３が選択されたと判断されると、３時間だけ車両１１０の即時利用の予約がなされたと判断され、サーバー１０８で管理している予約情報において即時利用予約開始時点から３時間だけ車両１１０の予約を行うとともに、予約サイトにおける車両１１０の予約を即時利用予約開始時点から３時間だけ不可能な状態とする（ステップＳ２５１４）。
【０４８０】
即ち、ステップＳ２５１４の処理においては、サーバー１０８において、車両１１０の利用時間の管理などを行う予約情報にて、即時利用予約開始時点から３時間だけ車両１１０を、ＩＣカードによる認証処理により認証された利用者が利用するための予約を行い、さらに、予約サイトにおいて、当該予約情報を反映するようにして、車両１１０の予約を即時利用予約開始時点から３時間だけ不可能な状態とする。
【０４８１】
例えば、ステップＳ２５１４の処理においては、１６時４６分を即時利用予約開始時点とすると、予約可能な時間単位は、１５分であるため、１６時４６分から１７時までの時間は無視され、１７時から３時間の車両１１０の利用予約がなされることとなる。なお、このとき、無視された時間は、例えば、利用者が無料で利用できる。
【０４８２】
そして、ステップＳ２５１４の処理が完了すると、メインコントローラー１２ｃの制御により、車両１１０のセキュリティを解除した状態とする（ステップＳ２５１６）。
【０４８３】
なお、車両１１０のセキュリティを解除した状態とは、具体的には、車両１１０のドアロックを解除するとともに、キーボックス１１６からキーを取り出すことができる状態である。
【０４８４】
その後、ステップＳ２５１０の処理に進み、即時利用予約装置１６を停止して、第４の予約処理を終了することにより第２の即時利用予約処理を終了する。
【０４８５】
また、ステップＳ２５１２の判断処理において、近接センサ１４−３が選択されなかったと判断されると、近接センサ１４−４が選択されたか否かの判断を行う（ステップＳ２５１８）。
【０４８６】
なお、ステップＳ２５１８の判断処理では、上記したステップＳ２２１２の判断処理と同様にして、近接センサ１４−４が選択されたか否かの判断がなされる。
【０４８７】
このステップＳ２５１８の判断処理において、近接センサ１４−４が選択されたと判断されると、１２時間だけ車両１１０の即時利用の予約がなされたと判断され、サーバー１０８で管理している予約情報において即時利用予約開始時点から１２時間だけ車両１１０の予約を行うとともに、予約サイトにおける車両１１０の予約を即時利用予約開始時点から１２時間だけ不可能な状態とする（ステップＳ２５２０）。
【０４８８】
即ち、ステップＳ２５２０の処理においては、サーバー１０８において、車両１１０の利用時間の管理などを行う予約情報にて、即時利用予約開始時点から１２時間だけ車両１１０を、ＩＣカードによる認証処理により認証された利用者が利用するための予約を行い、さらに、予約サイトにおいて、当該予約情報を反映するようにして、車両１１０の予約を即時利用予約開始時点から１２時間だけ不可能な状態とする。
【０４８９】
例えば、ステップＳ２５２０の処理においては、１６時４６分を即時利用予約開始時点とすると、予約可能な時間単位は、１５分であるため、１６時４６分から１７時までの時間は無視され、１７時から１２時間の車両１１０の利用予約がなされることとなる。なお、このとき、無視された時間は、例えば、利用者が無料で利用できる。
【０４９０】
そして、ステップＳ２５２０の処理が完了すると、メインコントローラー１２ｃの制御により、車両１１０のセキュリティを解除した状態とする（ステップＳ２５２２）。
【０４９１】
なお、車両１１０のセキュリティを解除した状態とは、具体的には、車両１１０のドアロックを解除するとともに、キーボックス１１６からキーを取り出すことができる状態である。
【０４９２】
その後、ステップＳ２５１０の処理に進み、即時利用予約装置１６を停止して、第４の予約処理を終了することにより第２の即時利用予約処理を終了する。
【０４９３】
また、ステップＳ２５１８の判断処理において、近接センサ１４−４が選択されなかったと判断されると、近接センサ１４−１が選択されたか否かの判断を行う（ステップＳ２５２４）。
【０４９４】
なお、ステップＳ２５２４の判断処理では、上記したステップＳ２２１６の判断処理と同様にして、近接センサ１４−１が選択されたか否かの判断がなされる。
【０４９５】
このステップＳ２５２４の判断処理において、近接センサ１４−１が選択されたと判断されると、ステップＳ２５１０の処理に進み、メインコントローラー１２ｃの制御により、即時利用予約装置１６を停止して、第４の予約処理を終了することにより第２の即時利用予約処理を終了する。
【０４９６】
また、ステップＳ２５２４の判断処理において、近接センサ１４−１が選択されなかったと判断されると、ステップＳ２５０２の処理から所定の時間（例えば、５分間）が経過したか否かの判断を行う（ステップＳ２５２６）。
【０４９７】
即ち、このステップＳ２５２６の判断処理においては、ＬＥＤランプ２０−１、２０−２、２０−３を緑色で点灯した時点からカウントされた時間が、所定の時間に達したか否かの判断を行うものである。
【０４９８】
このステップＳ２５２６の判断処理において、所定の時間が経過したと判断されると、ステップＳ２５１０の処理に進み、即時利用予約装置１６を停止して、第４の予約処理を終了することにより第２の即時利用予約処理を終了する。
【０４９９】
また、ステップＳ２５２６の判断処理において、所定の時間が経過していないと判断されると、ステップＳ２５０４の判断処理に戻って、ステップＳ２５０４以降の処理を行う。
【０５００】
即ち、この第４の予約処理においては、ステップＳ２５０２の処理によりＬＥＤランプ２０−１、２０−２、２０−３を緑色で点灯した後には、近接センサ１４−１、１４−２、１４−３、１４−４が利用者により選択されない限り、所定の時間が経過するまでステップＳ２５０４〜ステップＳ２５２６の処理を繰り返すこととなる。
【０５０１】
ここで、ステップＳ１９０２の処理で行った車両１１０の予約が事前予約の場合には、予約した利用開始日時になると、サーバー１０８から予約情報が携帯電話網を介してメインコントローラー１２ｃに出力され、メインコントローラー１２ｃの制御により、カードリーダー１１４が起動される。
【０５０２】
そして、利用者は予約した利用開始日時に車両１１０が駐車された駐車場まで行き、車両１１０を利用することとなる。
【０５０３】
また、ステップＳ１９０２の処理で行った車両１１０の予約が即時利用予約の場合には、利用者は、即時利用予約後に、直ちに車両１１０を利用することとなる。
【０５０４】
そして、車両１１０の利用を開始する際には、利用者は、起動されたカードリーダー１１４に会員登録時に取得したＩＣカードを翳すことにより、車両利用前の認証処理を行う（ステップＳ１９０４）。
【０５０５】
このステップＳ１９０４の車両利用前の認証処理は、ステップＳ１９０２の処理でなされた車両１１０への予約が事前予約であった場合になされるものであり、ステップＳ１９０２の処理でなされた車両１１０への予約が即時利用予約であった場合には省略される。
【０５０６】
なお、このステップＳ１９０４の処理による車両利用前の認証処理については、上記した本発明の第１の実施の形態による車両予約システムを備えたカーシェアリングシステム１０におけるステップＳ４０４の処理による車両利用前の認証処理と同様の処理のため、その詳細な説明は省略する。
【０５０７】
ステップＳ１９０４の処理による車両利用前の認証処理による認証が完了すると、メインコントローラー１２ｃにより、カードリーダー１１４の電源が切られ、エンジン始動認証処理が開始される（ステップＳ１９０６）。
【０５０８】
ここで、図２６のフローチャートには、このステップＳ１９０６の処理によるエンジン始動承認処理の詳細な処理内容が示されており、このエンジン始動承認処理においては、まず、車両１１０のドアが開かれたか否かの判断を行う（ステップＳ２６０２）。
【０５０９】
即ち、このステップＳ２６０２の判断処理においては、メインコントローラー１２ｃにより、監視部１２ｅのドアスイッチ１１０ｃの監視結果に基づいて判断されることとなる。
【０５１０】
このステップＳ２６０２の判断処理において、車両１１０のドアが開けられていないと判断されると、再度ステップＳ２６０２の判断処理が実行される。
【０５１１】
即ち、エンジン始動承認処理が開始されると、車両１１０のドアが開けられるまで、ステップＳ２６０２の判断処理が繰り返し実行されることとなる。
【０５１２】
なお、ステップＳ２６０２の判断処理が繰り返し実行されて、例えば、所定の時間を経過した際には、エンジン始動承認処理を終了するとともに、車両１１０のドアが開けられることなくエンジン始動の承認がなされなかったとの情報をメインコントローラー１２ｃからサーバー１０８に出力し、サーバー１０８から事業者のパーソナルコンピューター１０２に当該情報を出力するようにしてもよい。
【０５１３】
これにより、事業者では、パーソナルコンピューター１０２の出力された情報に基づいて、速やかに所定の対応を行うことができるようになる。
【０５１４】
また、ステップＳ２６０２の判断処理において、車両１１０のドアが開けられたと判断されると、メインコントローラー１２ｃにより入力装置２２を起動する（ステップＳ２６０４）。
【０５１５】
このとき、入力装置２２へのパスワードの入力回数を初期化して、入力回数を「０」とする。
【０５１６】
ここで、車両１１０を利用しようとする利用者は、車両１１０の運転席に乗車することとなるが、運転席に乗車した利用者は、エンジン始動の承認を受けるために起動した入力装置２２にパスワードを入力する必要がある。
【０５１７】
従って、車両１１０に乗車した利用者は、エンジンを始動する前に入力装置２２にパスワードを入力することとなる。
【０５１８】
なお、こうしたパスワードは、エンジン始動の承認を受ける際に用いるパスワードとして、会員登録時に設定している。
【０５１９】
また、入力装置２２を起動した後に、例えば、メインコントローラー１２ｃにより、音声モジュール１２ｆを介して、エンジン始動の承認を受けるためのパスワードを入力装置２２に打ち込むことを促す音声ガイダンスを流すようにしてもよい。
【０５２０】
そして、入力装置２２が起動した後は、入力装置２２にパスワードが入力されたか否かの判断を行う（ステップＳ２６０６）。
【０５２１】
即ち、このステップＳ２６０６の判断処理では、メインコントローラー１２ｃにより、入力装置２２からパスワードがメインコントローラー１２ｃに入力されたか否かの判断を行うものであり、パスワードがメインコントローラー１２ｃに入力されると、入力装置２２によりパスワードが入力されたと判断され、パスワードがメインコントローラー１２ｃに入力されないと、入力装置２２にパスワードが入力されていないと判断される。
【０５２２】
ステップＳ２６０６の判断処理において、入力装置２２にパスワードが入力されていないと判断されると、再度ステップＳ２６０６の判断処理が実行される。
【０５２３】
即ち、入力装置２２が起動されると、利用者によって入力装置２２にパスワードが入力されるまで、ステップＳ２６０６の判断処理が来る返し実行されることとなる。
【０５２４】
なお、例えば、ステップＳ２６０６の判断処理が繰り返し実行されて、所定の時間を経過した際には、エンジン始動承認処理を終了するとともに、入力装置２２にパスワードが入力されることなくエンジン始動の承認がなされなかったとの情報をメインコントローラー１２ｃからサーバー１０８に出力し、サーバー１０８から事業者のパーソナルコンピューター１０２に当該情報を出力するようにしてもよい。
【０５２５】
そして、事業者では、パーソナルコンピューター１０２に出力された情報に基づいて、所定の対応を行うこととなる。
【０５２６】
また、ステップＳ２６０６の判断処理において、入力装置２２にパスワードが入力されたと判断されると、メインコントローラー１２ｃにおいて、パスワードの入力回数をインクリメントし（ステップＳ２６０８）、入力されたパスワードが、サーバー１０８に記憶されたパスワードと一致するか否か判断を行う（ステップＳ２６１０）。
【０５２７】
即ち、このステップＳ２６１０の判断処理においては、入力装置２２に入力されたパスワードが、認証処理（ＩＣカードによる認証処理あるいは車両利用前の認証処理である。）により認証された利用者の登録コードと関連付けられて記憶されたパスワードと一致するか否かの判断を行う。
【０５２８】
ステップＳ２６１０の判断処理において、入力されたパスワードが記憶されたパスワードと一致すると判断されると、エンジンを始動可能な状態とし（ステップＳ２６１２）、このエンジン始動承認処理を終了してステップＳ１９０８（後述する。）の処理に進む。
【０５２９】
なお、エンジンを始動可能な状態とは、例えば、キーを利用してエンジンを始動することが可能な状態とすることである。
【０５３０】
また、エンジン始動承認処理を終了する際には、入力装置２２を停止する。
【０５３１】
また、ステップＳ２６１０の判断処理において、入力されたパスワードが記憶されたパスワードと一致しないと判断されると、入力回数が所定の回数に達したか否かの判断を行う（ステップＳ２６１４）。
【０５３２】
即ち、このステップＳ２６１４の判断処理においては、入力装置２２にパスワードが入力された回数が、予め設定された所定の回数に達したか否かの判断を行う。
【０５３３】
ステップＳ２６１４の判断処理において、入力回数が所定の回数に達しなかったと判断されると、パスワードの再入力を促し（ステップＳ２６１６）、ステップＳ２６０６の判断処理に戻り、ステップＳ２６０６以降の処理を実行する。
【０５３４】
このステップＳ２６１６の処理においては、例えば、メインコントローラー１２ｃにより、音声モジュール１２ｆを介して、利用者に対しパスワードの再入力を促す音声ガイダンスを流すようにしてもよいし、入力装置２２に表示部（図示せず。）が設けられていれば、この表示部に利用者に対しパスワードの再入力を促す表示を行うようにしてもよい。
【０５３５】
また、ステップＳ２６１４の判断処理において、入力回数が所定の回数に達したと判断されると、エンジン始動の承認を得られない旨の警告を行って（ステップＳ２６１８）、エンジン始動承認処理を終了する。
【０５３６】
このステップＳ２６１８の処理においては、例えば、メインコントローラー１２ｃにより、音声モジュール１２ｆを介して、利用者に対しエンジンの始動の承認を得られない旨の音声ガイダンスを流すようにしてよいし、入力装置２２に表示部（図示せず。）が設けられていれば、この表示部に利用者に対しエンジン始動の承認を得られない旨の表示を行うようにしてもよい。
【０５３７】
また、このとき、利用者に対して、エンジン始動の承認が受けられない旨の連絡を事業者にするよう促すようにしてもよい。
【０５３８】
なお、エンジン始動承認処理を終了する際には、入力装置２２を停止する。
【０５３９】
こうしてエンジン始動承認処理において、エンジン始動の承認を受けると、利用者はキーを利用してエンジンを始動して車両１１０を利用する（ステップＳ１９０８）。
【０５４０】
そして、利用者は、予約した車両１１０の利用を終了する時間までに、車両１１０を予め決められた駐車場に駐車させ、キーを利用して車両１１０のエンジンを停止し、当該キーをキーボックス１１６に返却して、車両１１０から降車して車両１１０の全てのドアを閉める。
【０５４１】
その後、車両１１０を返却するための認証処理である、車両利用後の認証処理を行う（ステップＳ１９１０）。
【０５４２】
なお、このステップＳ１９１０の車両利用後の認証処理については、ステップＳ１９０２の処理でなされた車両１１０の予約の形態（つまり、事前予約または即時利用予約である。）にかかわらず実行されるものである。
【０５４３】
ステップＳ１９１０の処理により車両利用後の認証処理については、上記した本発明の第１の実施の形態による車両予約システムを備えたカーシェアリングシステム１０におけるステップＳ４１０の処理による車両利用後の認証処理と同様の処理のため、その詳細な説明は省略する。
【０５４４】
そして、ステップＳ１９１０の処理による車両利用後の認証処理により認証が完了すると、メインコントローラー１２ｃの制御により、カードリーダー１１４の電源を切る。
【０５４５】
その後、サーバー１０８において車両１１０の利用により生じた車両１１０の利用料金の精算がなされる（ステップＳ１９１２）。
【０５４６】
即ち、車両利用後の認証処理が完了すると、車両１１０の利用が終了した時点の車両１１０の総走行距離や燃料残量など、利用料金の算出に必要な各種情報を算出するための情報が監視され、この監視情報がメインコントローラー１２ｃから携帯電話網を介してサーバー１０８に出力されて、サーバー１０８において、各種の情報に基づいて車両１１０の利用により発生した利用料金が算出される。
【０５４７】
なお、こうして算出した利用料金は、予め決められた利用者への料金請求日などの所定のタイミングで、それぞれの利用者のパーソナルコンピューター１０４や携帯端末１０６に通知する。
【０５４８】
また、こうした各利用者による予約状況や利用料金については、表やグラフなどにまとめられ、事業者がパーソナルコンピューター１０２により閲覧可能なようにサーバー１０８における記憶手段（図示せず。）に記憶する。
【０５４９】
以上において説明したように、本発明の第１の実施の形態による車両予約システムを備えたカーシェアリングシステム１０は、即時利用予約装置１６を車両１１０に設けるようにし、車両１１０を直ちに利用したい利用者は、この即時利用予約装置１６を起動し、即時利用予約装置１６に、車両１１０を利用可能な時間を複数表示するようにした。
【０５５０】
そして、即時利用予約装置１６に表示された時間（車両１１０を利用可能な時間である。）から、任意の時間を選択し、認証処理による認証がなされた場合にのみ、現時点から選択した時間だけ車両１１０を利用するための予約を行うようにした。
【０５５１】
これにより、本発明の第１の実施の形態による車両予約システムを備えたカーシェアリングシステム１０においては、即時利用予約装置１６により車両１１０を直ちに利用可能な予約を行う即時利用予約を行うことができようになる。
【０５５２】
このため、本発明の第１の実施の形態による車両予約システムを備えたカーシェアリングシステム１０によれば、車両１１０を直ちに利用したい場合には、容易に、かつ、短時間で即時利用予約を行って、車両１１０を利用することができるようになる。
【０５５３】
また、本発明の第２の実施の形態による車両予約システムを備えたカーシェアリングシステム５０においては、即時利用予約装置１６を車両１１０に設けるようにし、車両１１０を直ちに利用した利用者は、この即時利用予約装置１６を起動した後に、認証処理を行うようにした。
【０５５４】
そして、認証処理による認証がなされた場合にのみ、車両１１０を利用可能な時間が即時利用予約装置１６に複数表示され、利用者は、表示された時間から任意の時間を選択することにより、現時点から選択した時間だけ車両１１０を利用するための予約を行うようにした。
【０５５５】
これにより、本発明の第２の実施の形態による車両予約システムを備えたカーシェアリングシステム５０においては、即時利用予約装置１６により車両１１０を直ちに利用可能な予約を行う即時利用予約を行うことができるようになる。
【０５５６】
このため、本発明の第２の実施の形態による車両予約システムを備えたカーシェアリングシステム５０によれば、車両１１０を直ちに利用したい場合には、容易に、かつ、短時間で即時利用予約を行って、車両１１０を利用することができるようになる。
【０５５７】
また、本発明の第２の実施の形態による車両予約システムを備えたカーシェアリングシステム５０によれば、認証処理の際に必要となるＩＣカードを所有した利用者のみが即時利用予約を開始することができるものであるため、当該ＩＣカードを所有していない人物のいたずらによる即時利用予約装置の起動を防止することができるようになる。
【０５５８】
さらに、本発明の第１の実施の形態による車両予約システムを備えたカーシェアリングシステム１０および本発明の第２の実施の形態による車両予約システムを備えたカーシェアリングシステム５０は、車両１１０を実際に利用する際に、利用者が車両１１０のドアを開けた際に起動される入力装置２２を用いて、会員登録時に設定されたパスワードを入力し、エンジン始動の承認を受けるようにしたものである。
【０５５９】
そして、入力されたパスワードが、記憶されているパスワードと一致する場合にのみ、エンジンを始動することが可能な状態とされるようにした。
【０５６０】
これにより、本発明の第１の実施の形態による車両予約システムを備えたカーシェアリングシステム１０および本発明の第２の実施の形態による車両予約システムを備えたカーシェアリングシステム５０によれば、車両１１０に乗車した後に、予め設定したパスワードを入力してエンジン始動の承認を得るようにしたため、認証処理の際に必要となるＩＣカードを不正に入手した人物による車両１１０の利用を防止することができるようになる。
【０５６１】
また、本発明の第１の実施の形態による車両予約システムを備えたカーシェアリングシステム１０および本発明の第２の実施の形態による車両予約システムを備えたカーシェアリングシステム５０は、即時利用予約装置１６では、ＬＥＤランプにより車両１１０を利用可能な時間を表示するとともに、近接センサにより当該時間を選択するなどの構成となっている。
【０５６２】
このように、本発明の第１の実施の形態による車両予約システムを備えたカーシェアリングシステム１０および本発明の第２の実施の形態による車両予約システムを備えたカーシェアリングシステム５０においては、即時利用予約装置１６が、ＬＥＤランプや近接センサなどの低消費電力の部材を備えているため、即時利用予約装置１６が起動している間の消費電力を抑制することができる。
【０５６３】
なお、上記した実施の形態は、以下の（１）乃至（２２）に示すように変形するようにしてもよい。
【０５６４】
（１）上記した実施の形態では、本発明の第１の実施の形態による車両予約システムを備えたカーシェアリングシステム１０および本発明の第２の実施の形態による車両予約システムを備えたカーシェアリングシステム５０において、即時利用予約開始時点を、車両１１０の予約状況を確認した時点としたが、これに限られるものではないことは勿論であり、例えば、近接センサ１４−１が選択され、即時利用予約装置１６が起動した時点を即時利用予約開始時点としてもよい。
【０５６５】
（２）上記した実施の形態では、本発明の第１の実施の形態による車両予約システムを備えたカーシェアリングシステム１０および本発明の第２の実施の形態による車両予約システムを備えたカーシェアリングシステム５０において、即時利用予約装置１６は、車両１１０を利用可能な時間として、３０分間、３時間、１２時間を表示することが可能な構成としたが、これに限られるものではないことは勿論である。
【０５６６】
即ち、即時利用予約装置１６に表示することが可能な時間は、例えば、１時間、６時間、１２時間など、任意の時間間隔で表示するようにしてもよいし、例えば、１時間、２時間、３時間や３０分間、６０分間、９０分間などのように、所定の時間間隔で表示するようにしてもよい。なお、こうした即時利用予約装置１６に表示される時間については、事業者が適宜に設定可能なようにしてもよい。
【０５６７】
（３）上記した実施の形態では、本発明の第１の実施の形態による車両予約システムを備えたカーシェアリングシステム１０および本発明の第２の実施の形態による車両予約システムを備えたカーシェアリングシステム５０において、即時利用予約装置１６は、３０分間、３時間、１２時間の３つの時間で、車両１１０を利用可能な時間を利用者に表示するようにしたが、これに限られるものではないことは勿論であり、車両１１０を利用可能な時間を、１つ、２つあるいは４つ以上の時間で表示するようにしてもよい。
【０５６８】
（４）上記した実施の形態では、本発明の第１の実施の形態による車両予約システムを備えたカーシェアリングシステム１０および本発明の第２の実施の形態による車両予約システムを備えたカーシェアリングシステム５０において、近接センサ１４−１と、近接センサ１４−２、１４−３、１４−４と、ＬＥＤランプ２０−１、２０−２、２０−３とを即時利用予約装置１６として車両１１０内に配設するようにしたが、これに限られるものではないことは勿論である。
【０５６９】
即ち、近接センサ１４−１と、近接センサ１４−２、１４−３、１４−４と、ＬＥＤランプ２０−１、２０−２、２０−３とをそれぞれ別々の構成として、車両１１０内に配設するようにしてもよい。
【０５７０】
（５）上記した実施の形態では、本発明の第１の実施の形態による車両予約システムを備えたカーシェアリングシステム１０および本発明の第２の実施の形態による車両予約システムを備えたカーシェアリングシステム５０において、人の指を、近接センサ１４−１、１４−２、１４−３、１４−４の検知対象としたが、これに限られるものではないことは勿論であり、検知対象としては、近接センサ１４−１、１４−２、１４−３、１４−４で検知することができれば、どのようなものであってもよい。
【０５７１】
（６）上記した実施の形態においては、カーシェアリングシステムにおけるシェアカー（共用車両）に対する予約を行う車両予約システムとして、本発明の第１の実施の形態による車両予約システムおよび本発明の第２の実施の形態による車両予約システムを用いる場合について説明したが、これに限られるものではないことは勿論である。
【０５７２】
即ち、本発明の第１の実施の形態による車両予約システムおよび本発明の第２の実施の形態による車両予約システムはそれぞれ、複数の利用者により共用される車両に対して利用するための予約を行ういずれの形態のシステムにも用いることができるものであって、例えば、会社内において複数の従業員が共用する車両を予約する車両予約システムとして用いるようにしてもよい。なお、この場合には利用料金の精算処理などは行われない。
【０５７３】
（７）上記した実施の形態では、本発明の第１の実施の形態による車両予約システムを備えたカーシェアリングシステム１０および本発明の第２の実施の形態による車両予約システムを備えたカーシェアリングシステム５０において、予約サイトにおける車両１１０を予約可能な時間単位を１５分単位としたが、これに限られるものではないことは勿論であり、予約サイトにおける車両１１０と予約可能な時間単位としては、５分単位としてもよいし１０分単位としてもよく、任意の時間単位としてもよい。
【０５７４】
（８）上記した実施の形態では、本発明の第１の実施の形態による車両予約システムを備えたカーシェアリングシステム１０および本発明の第２の実施の形態による車両予約システムを備えたカーシェアリングシステム５０において、カードリーダー１１４と即時利用予約装置１６とが別体で車両１１０に設けられるようにしたが、これに限られるものではないことは勿論であり、カードリーダー１１４と即時利用予約装置１６との機能が一体となった装置を車両１１０に設けるようにしてもよい。
【０５７５】
（９）上記した実施の形態では、本発明の第１の実施の形態による車両予約システムを備えたカーシェアリングシステム１０および本発明の第２の実施の形態による車両予約システムを備えたカーシェアリングシステム５０において、バッテリ電圧検出器１１０ｅが車載器１２の外側に配設されるようにしたが、これに限られるものではないことは勿論であり、バッテリ電圧検出器１１０ｅを車載器１２内に配設するようにしてもよい。
【０５７６】
（１０）上記した実施の形態では、本発明の第１の実施の形態による車両予約システムを備えたカーシェアリングシステム１０および本発明の第２の実施の形態による車両予約システムを備えたカーシェアリングシステム５０において、所定の時間だけ車両１１０を利用可能か否かを表示する表示手段たるＬＥＤランプ２０−１、２０−２、２０−３が緑色と赤色との二色で点灯可能なものとしたが、これに限られるものではないことは勿論である。
【０５７７】
例えば、点灯する際の色は緑色と赤色との二色に限られるものではなく、青色や白色などの他の色で点灯するようにしてもよいし、また、二色以上の色で点灯可能なものを用いてもよいし、また、点灯と点滅とで色を変えるようにするなどしてもよい。
【０５７８】
また、単一のＬＥＤランプで二色の点灯を行うようにするのではなく、単色で点灯するＬＥＤランプをそれぞれ設けるようにしてもよい。具体的には、例えば、実施の形態では１個のＬＥＤランプ２０−１が緑色と赤色との二色で点灯する構成としたが、それに代えて、緑色で点灯するＬＥＤランプと赤色で点灯するＬＥＤランプとの２個のＬＥＤランプを設けるようにしてもよい。
【０５７９】
（１１）上記した実施の形態では、本発明の第１の実施の形態による車両予約システムを備えたカーシェアリングシステム１０および本発明の第２の実施の形態による車両予約システムを備えたカーシェアリングシステム５０において、所定の時間だけ車両１１０を利用可能か否かを表示する表示手段としてＬＥＤランプ２０−１、２０−２、２０−３を用いたが、これに限られるものではないことは勿論である。
【０５８０】
即ち、所定の時間だけ車両１１０を利用可能か否かを表示する表示手段は、車両１１０の利用者が利用可能時間を認識できるものであればよく、例えば、利用可能時間を表示可能な液晶ディスプレイや有機ＥＬディスプレイなどを用いてもよく、こうした液晶ディスプレイや有機ＥＬディスプレイなどを用いた場合には、ＬＥＤランプ２０−１、２０−２、２０−３ならびにそれらの近傍に記載された利用時間を示す文字を設ける必要はない。
【０５８１】
（１２）上記した実施の形態では、本発明の第１の実施の形態による車両予約システムを備えたカーシェアリングシステム１０および本発明の第２の実施の形態による車両予約システムを備えたカーシェアリングシステム５０において、近接センサ１４−１を設けて、近接センサ１４−１を用いて即時利用予約装置１６の起動と停止とを制御するようにしたが、これに限られるものではないことは勿論である。
【０５８２】
例えば、近接センサ１４−１を設けることなく、利用者が一定時間内に近接センサ１４−２、１４−３、１４−４を連続して選択するなどの所定の選択方法により近接センサ１４−２、１４−３、１４−４を選択することにより、即時利用予約装置１６の起動と停止とを制御するようにしてもよい。
【０５８３】
（１３）上記した実施の形態では、本発明の第１の実施の形態による車両予約システムを備えたカーシェアリングシステム１０において、近接センサ１４−２が選択されて第１の認証処理に移行する際、近接センサ１４−２が選択されて第２の認証処理に移行する際、近接センサ１４−３が選択されて第３の認証処理に移行する際、近接センサ１４−２が選択されて第４の認証処理に移行する際、近接センサ１４−３が選択されて第５の認証処理に移行する際ならびに近接センサ１４−４が選択されて第６の認証処理に移行する際に、ＬＥＤ２０−１、２０−２、２０−３を緑色で点灯状態のままとしてが、これに限られるものではないことは勿論である。
【０５８４】
例えば、近接センサ１４−２、１４−３、１４−４が選択されて、第１の認証処理、第２の認証処理、第３の認証処理、第４の認証処理、第５の認証処理または第６の認証処理へ移行する際に、近接センサ１４−２、１４−３、１４−４を緑色で点滅するようにして、近接センサ１４−２、１４−３、１４−４のいずれの近接センサが選択されたかを利用者が容易に視認することができるようにしてもよい。
【０５８５】
（１４）上記した実施の形態では、本発明の第２の実施の形態による車両予約システムを備えたカーシェアリングシステム５０において、近接センサ１４−２が選択されて車両１１０を３０分間だけ予約するとともに、３０分間だけ予約不可能な状態とする際（ステップＳ２３０６、Ｓ２４０６、Ｓ２５０６の処理）、近接センサ１４−３が選択されて車両１１０を３時間だけ予約するとともに、３時間だけ予約不可能な状態とする際（ステップＳ２４１４、Ｓ２５１４の処理）、ならびに、近接センサ１４−４が選択されて車両１１０を１２時間だけ予約するとともに、１２時間だけ予約不可能な状態とする際（ステップＳ２５２０の処理）に、ＬＥＤランプ２０−１、２０−２、２０−３を緑色で点灯状態のままとしたが、これに限られるものではないことは勿論である。
【０５８６】
例えば、近接センサ１４−２、１４−３、１４−４が選択されて、車両１１０を所定の時間だけ予約するとともに、当該所定の時間だけ予約不可能な状態とする際に、選択された近接センサ１４−２、１４−３、１４−４を緑色で点滅するようにして、近接センサ１４−２、１４−３、１４−４のいずれの近接センサが選択されたかを利用者が容易に視認することができるようにしてもよい。
【０５８７】
（１５）上記した実施の形態では、本発明の第１の実施の形態による車両予約システムを備えたカーシェアリングシステム１０および本発明の第２の実施の形態による車両予約システムを備えたカーシェアリングシステム５０において、利用者が予約した時間だけ予約サイトにおいて車両１１０の予約を不可能な状態としたが、これに限られるものではないことは勿論である。
【０５８８】
即ち、利用者が予約した時間に所定の時間、例えば、１時間を加えた時間だけ予約サイトにおいて車両１１０の予約を不可能な状態としてもよい。具体的には、利用者が予約した時間が１７時から１７時３０分までであるならば、１７時から１８時３０分まで予約サイトにおいて車両１１０の予約を不可能な状態とする。
【０５８９】
このようにすると、事故などにより利用者が予約した時間までに車両１１０を返却できない場合に、次の利用者への対応のための時間を確保することができ、トラブルを未然に防止することが可能となる。
【０５９０】
また、上記したように利用者が予約した時間に所定の時間を加えた時間だけ予約サイトにおいて車両１１０の予約を不可能な状態とする場合には、その加えた時間内の所定の時間については、利用者が無料で利用できるものとしてもよい。
【０５９１】
例えば、加えた時間が１時間である場合には、１５分間だけ上記した無料の時間としてもよいし、また、加えた時間が１５分間である場合には、その１５分間の全てを上記した無料の時間としてもよい。
【０５９２】
（１６）上記した実施の形態においては、本発明の第１の実施の形態による車両予約システムを備えたカーシェアリングシステム１０において、記載を簡素化して本発明の理解を容易にするためにその説明を省略したが、第１の認証処理、第２の認証処理、第３の認証処理、第４の認証処理、第５の認証処理あるいは第６の認証処理などの各処理ルーチンにおけるいずれのタイミングにおいても、近接センサ１４−１を選択することにより即時利用予約装置１６などを停止させて各処理ルーチンを終了するようにしてもよいし、また、第１の認証処理、第２の認証処理、第３の認証処理、第４の認証処理、第５の認証処理あるいは第６の認証処理などの各処理ルーチンの処理中において、利用者による何らの操作もなく所定時間経過した場合には、即時利用予約装置１６などを停止させて各処理ルーチンを終了するようにしてもよい。
【０５９３】
（１７）上記した実施の形態では、本発明の第２の実施の形態による車両予約システムを備えたカーシェアリングシステム５０において、記載を簡素化して本発明の理解を容易にするためにその説明を省略したが、ＩＣカードによる認証処理の処理ルーチンにおけるいずれのタイミングにおいても、近接センサ１４−１を選択することにより即時利用予約装置１６などを停止させて各処理ルーチンを終了するようにしてもよいし、また、ＩＣカードによる認証処理、車両利用前の認証処理あるいは車両利用後の認証処理などの各処理ルーチンの処理中において、利用者による何らの操作もなく所定の時間経過した場合には、各処理ルーチンを終了するようにしてもよい。
【０５９４】
（１８）上記した実施の形態では、本発明の第１の実施の形態による車両予約システムを備えたカーシェアリングシステム１０および本発明の第２の実施の形態による車両予約システムを備えたカーシェアリングシステム５０において、検知手段として非接触で検知対象を検知する近接センサ１４を用いたが、これに限られるものではないことは勿論である。
【０５９５】
即ち、非接触で検知対象を検知する検知手段として、近接センサ以外の非接触センサを用いてもよい。
【０５９６】
また、検知手段として、近接センサのように非接触で検知対象を検知する非接触センサに代えて、検知対象が接触したか否かを検知する接触センサを用いるようにしてもよい。
【０５９７】
なお、接触センサを用いる場合には、当該接触センサが車両１１０の外部に露出されていて、利用者が触れることができるようにする。
【０５９８】
（１９）上記した実施の形態では、本発明の第２の実施の形態による車両予約システムを備えたカーシェアリングシステム５０において、ＩＣカードによる認証処理を行った後に、メインコントローラー１２ｃから出力された車両情報から特定される車両の予約状況をサーバー１０８において確認し、確認した予約状況に基づいて、車両１１０を利用することが可能な時間を算出するようにしたが、これに限られるものではないことは勿論である。
【０５９９】
即ち、ＩＣカードによる認証処理を行った後に、サーバー１０８において、メインコントローラー１２ｃから出力された車両情報から特定される予約状況を確認し、確認した予約状況と、利用者情報とに基づいて、車両１１０を利用することが可能な時間を算出するようにしてもよい。
【０６００】
なお、利用者情報とは、各利用者それぞれ個別に設定された情報であり、こうした利用者情報は、サーバー１０８に登録コードと関連付けられて記憶されている。
【０６０１】
従って、サーバー１０８で車両１１０の利用可能な時間を算出する際には、確認された予約状況と、ＩＣカードによる認証処理の際に取得した登録コードに関連付けられて記憶されている利用者情報とが用いられる。
【０６０２】
これにより、利用者情報として利用時間の制限が設定されている場合などには、利用者情報の内容に応じて予め車両１１０の利用可能な時間を制限するなどして、その制限した内容でＬＥＤランプ２０−１、２０−２、２０−３を表示することが可能となり、車両の利用時間を自動的に制限することができるようになる。
【０６０３】
（２０）上記した実施の形態では、本発明の第１の実施の形態による車両予約システムを備えたカーシェアリングシステム１０において、近接センサ１４−２、１４−３、１４−４が選択されたと判断されると、各近接センサに設定された時間だけ、車両１１０を予約するとともに、予約サイトにおける当該車両１１０の予約を利用不可能な状態としたが、これに限られるものではないことは勿論である。
【０６０４】
即ち、近接センサ１４−２、１４−３、１４−４が選択されたと判断されると、各近接センサに設定された時間だけ、予約サイトにおける車両１１０の予約を不可能な状態とする、所謂、仮予約が行われるようにしてもよい。
【０６０５】
つまり、この場合には、予約情報において近接センサに設定された時間だけ利用者が車両１１０を利用するための予約が行われずに、予約サイトにおける車両１１０の予約を不可能な状態とする仮予約が行われる。
【０６０６】
なお、こうした仮予約を行う場合には、即時利用予約時には認証処理は行われず、仮予約した後に起動するカードリーダー１１４を利用して車両利用前の認証処理が行われる。そして、車両利用前の認証処理において認証を受けることで、サーバー１０８において、この仮予約に基づいて予約情報において車両１１０を利用するための予約がなされ、利用者による車両１１０の利用が可能となる。
【０６０７】
具体的には、第２の予約処理では、ステップＳ７０４の処理において、近接センサ１４−２が選択されたと判断されると、予約情報において車両１１０を利用するための予約を行わずに、サーバー１０８で管理している予約サイトにおいて、車両１１０の予約を即時利用予約開始時点から３０分間だけ不可能な状態とする仮予約を行う。
【０６０８】
即ち、１６時４６分を即時利用予約開始時点とすると、予約可能な時間単位は１５分であるため、１６時４６分から１７時までの時間は無視され、１７時から３０分間の車両１１０の利用予約が不可能な状態とされる。
【０６０９】
その後、カードリーダー１１４を起動し、ステップＳ７１０の処理に進むこととなる。
【０６１０】
第３の予約処理では、ステップＳ８０４の処理において、近接センサ１４−２が選択されたと判断されると、予約情報において車両１１０を利用するための予約を行わずに、サーバー１０８で管理している予約サイトにおいて、車両１１０の予約を即時利用予約開始時点から３０分間だけ不可能な状態とする仮予約を行う。
【０６１１】
即ち、１６時４６分を即時利用予約開始時点とすると、予約可能な時間単位は１５分であるため、１６時４６分から１７時までの時間は無視され、１７時から３０分間の車両１１０の利用予約が不可能な状態とされる。
【０６１２】
その後、カードリーダー１１４を起動し、ステップＳ８１０の処理に進むこととなる。
【０６１３】
また、ステップＳ８１２の処理において、予約情報において車両１１０を利用するための予約を行わずに、近接センサ１４−３が選択されたと判断されると、サーバー１０８で管理している予約サイトにおいて、車両１１０の予約を即時利用予約開始時点から３時間だけ予約不可能な状態とする仮予約を行う。
【０６１４】
即ち、１６時４６分を即時利用予約開始時点とすると、予約可能な時間単位は１５分であるため、１６時４６分から１７時までの時間は無視され、１７時から３時間の車両１１０の利用予約が不可能な状態とされる。
【０６１５】
その後、カードリーダー１１４を起動し、ステップＳ８１０に進むこととなる。
【０６１６】
第４の予約処理では、ステップＳ９０４の処理において、近接センサ１４−２が選択されたと判断されると、予約情報において車両１１０を利用するための予約を行わずに、サーバー１０８で管理している予約サイトにおいて、車両１１０の予約を即時利用予約開始時点から３０分間だけ不可能な状態とする仮予約を行う。
【０６１７】
即ち、１６時４６分を即時利用予約開始時点とすると、予約可能な時間単位は１５分であるため、１６時４６分から１７時までの時間は無視され、１７時から３０分間の車両１１０の利用予約が不可能な状態とされる。
【０６１８】
その後、カードリーダー１１４を起動し、ステップＳ９１０の処理に進むこととなる。
【０６１９】
また、ステップＳ９１２の処理において、近接センサ１４−３が選択されたと判断されると、予約情報において車両１１０を利用するための予約を行わずに、サーバー１０８で管理している予約サイトにおいて、車両１１０の予約を即時利用予約開始時点から３時間だけ不可能な状態とする仮予約を行う。
【０６２０】
即ち、１６時４６分を即時利用予約開始時点とすると、予約可能な時間単位は１５分であるため、１６時４６分から１７時までの時間は無視され、１７時から３時間の車両１１０の利用予約が不可能な状態とされる。
【０６２１】
その後、カードリーダー１１４を起動し、ステップＳ９１０の処理に進むこととなる。
【０６２２】
さらに、ステップＳ９１８の処理において、近接センサ１４−４が選択されたと判断されると、予約情報において車両１１０を利用するための予約を行わずに、サーバー１０８で管理している予約サイトにおいて、車両１１０の予約を即時利用開始時点から１２時間だけ不可能な状態とする仮予約を行う。
【０６２３】
即ち１６時４６分を即時利用予約開始時点とすると、予約可能な時間単位は１５分であるため、１６時４６分から１７時までの時間は無視され、１７時から１２時間の車両１１０の利用予約が不可能な状態とされる。
【０６２４】
その後、カードリーダー１１４を起動し、ステップＳ９１０の処理に進むこととなる。
【０６２５】
そして、ステップＳ４０２の処理において仮予約を行った後には、ステップＳ４０４の処理に進み、利用者は、起動されたカードリーダー１１４に会員登録時に取得したＩＣカードを翳すことにより、車両利用前の認証処理を行うこととなる。
【０６２６】
そして、この車両利用前の認証処理において認証を受けると、サーバー１０８において、この仮予約に基づいて車両１１０が予約される。
【０６２７】
なお、車両利用前の認証処理において認証を受けることができない場合には、この仮予約は解消され、サーバー１０８で管理される予約サイトにおいて、他の利用者による予約が可能な状態となる。
【０６２８】
（２１）上記した実施の形態では、本発明の第１の実施の形態による車両予約システムを備えたカーシェアリングシステム１０および本発明の第２の実施の形態による車両予約システムを備えたカーシェアリングシステム５０において、認証処理（車両利用前の認証処理、車両利用後の認証処理、ＩＣカードによる認証処理）では、事業者が発行したＩＣカードを用いるようにしたが、これに限られるものではないことは勿論である。
【０６２９】
具体的には、ＩＣカードに換えて、記憶手段および通信手段を備えたＩＣチップが内蔵された運転免許証（以下、「ＩＣ運転免許証」と称することとする。）を利用して認証処理を行うようにしてもよい。
【０６３０】
以下、本発明の第１の実施の形態による車両予約システムを備え、ＩＣ運転免許証を用いて認証処理を行うカーシェアリングシステム６０および本発明の第２の実施の形態による車両予約システムを備え、ＩＣ運転免許証を用いて認証処理を行うカーシェアリングシステム７０について、詳細に説明する。
【０６３１】
まず、カーシェアリングシステム６０、７０は、カードリーダー１１４に換えて、ＩＣ運転免許証に内蔵されたＩＣチップ内の情報を読み取ることが可能なカードリーダー４０を備え、さらに、車両１１０の外部から暗証番号を入力することが可能な入力装置４２を備えている点において、上記したカーシェアリングシステム１０、５０と異なっている。
【０６３２】
カードリーダー４０は、ＩＣ運転免許証に内蔵されたＩＣチップ内の情報を読み取ることが可能なセンサが配設されており、読み取り部（図示せず。）にＩＣ運転免許証を翳すことにより、当該ＩＣチップ内の情報を読み取ることができる。
【０６３３】
また、カードリーダー４０では、読み取り部（図示せず。）にＩＣ運転免許証が翳されたときに、所定のデータ領域における情報を取得する際に暗証番号（後述する第１の暗証番号および第２の暗証番号）が必要であれば、暗証番号をＩＣ運転免許証に内蔵されたＩＣチップに出力し、当該ＩＣチップにおいて暗証番号を照合して、一致した場合にのみ当該ＩＣチップにおける所定のデータ領域にアクセス可能となり、当該所定のデータ領域の情報を取得する。
【０６３４】
また、入力装置４２は、非接触にて暗証番号を入力可能な構成であって、車両１１０の内部において、車両１１０の外部から視認可能であり、かつ、車両１１０の外部から非接触にて暗証番号を入力することが可能な位置に配設される。
【０６３５】
なお、こうした入力装置４２については、非接触で暗証番号を入力するような構成に限られるものではなく、利用者が指で触れて暗証番号を入力するような構成であってもよい。この場合には、入力装置４２は、車両１１０の外部に露出されて、利用者が視認可能であり、かつ、触れることのできる位置に配設される。
【０６３６】
さらに、入力装置４２に、表示部（図示せず。）を設けるようにしてもよく、この表示部では、入力した暗証番号を表示したり、暗証番号の入力を促すメッセージを表示するようにしてもよい。
【０６３７】
そして、カーシェアリングシステム６０、７０を利用するに際して、利用者が事業者に対して会員登録を申請すると、事業者は、当該利用者のＩＣ運転免許証に内蔵されたＩＣチップから、当該ＩＣチップに記憶された情報を取得し、取得した情報を当該利用者の免許証情報としてサーバー１０８内に設けられた記憶手段（図示せず。）に記憶する。なお、こうした免許証情報は、利用者情報の１つとして記憶手段に記憶される。
【０６３８】
この免許証情報としては、ＩＣ運転免許証を作成したときに設定した第１の暗証番号と第２の暗証番号とを利用して取得することのできる情報たる「詳細情報」と、暗証番号を利用することなく取得することのできる情報たる「簡易情報」とがある。
【０６３９】
詳細情報には、第１の暗証番号を利用して取得することのできる「氏名」、「生年月日」、「免許証交付年月日」、「免許証の有効期限」、「免許の種類」および「免許証番号」の情報があり、また、第１の暗証番号と第２の暗証番号とを利用して取得することのできる「本籍」および「顔写真」の情報がある。
【０６４０】
また、簡易情報には、「カード発行者データ」および「発行前データ」があり、「カード発行者データ」とは、「仕様書バージョン番号」、「免許交付年月日」および「免許証の有効期限の末日」であり、「発行前データ」とは、「カード製造者識別子」および「暗号関数識別子」である。
【０６４１】
また、事業者は、ＩＣ運転免許証を作成したときに設定した第１の暗証番号と第２の暗証番号とを利用者から取得し、当該利用者のＩＣ運転免許証の免許証情報に関連付けてサーバー１０８内に設けられた記憶手段（図示せず。）に記憶する。
【０６４２】
さらに、事業者は、利用者に対して、利用者がサーバー１０８に管理された予約サイトにログインする際に必要となるＩＤおよびパスワードを配布するとともに、エンジン始動の承認を受ける際に必要となるパスワードを設定して配布する。なお、エンジン始動の承認を受ける際に必要となるパスワードは、利用者の登録コードと関連付けてサーバー１０８内に設けられた記憶手段（図示せず。）に記憶される。
【０６４３】
なお、会員登録時に設定するパスワード（つまり、エンジン始動の承認を受ける際に必要となるパスワードである。）を免許証番号とし、この免許証番号をサーバー１０８の記憶手段（図示せず。）に記憶するようにしてもよく、この場合、エンジン始動承認処理の際には、入力装置２２に免許証番号を入力するようにしてもよい。
【０６４４】
そして、本発明の第１の実施の形態による車両予約システムを備え、ＩＣ運転免許証を用いて認証処理を行うカーシェアリングシステム６０では、第１の即時利用予約処理の第２の予約処理における第１の認証処理と、第３の予約処理における第２の認証処理および第３の認証処理と、第４の予約処理における第４の認証処理、第５の認証処理および第６の認証処理とにおいてＩＣ運転免許証を用いることとなる。
【０６４５】
なお、本発明の第１の実施の形態による車両予約システムを備え、ＩＣ運転免許証を用いて認証処理を行うカーシェアリングシステム６０では、車両利用前の認証処理および車両利用後の認証処理についてもＩＣ運転免許証を用いるが、この車両利用前の認証処理および車両利用後の認証処理については、例えば、特開２０１２−２４７８１８号公報に開示された技術を用いることができるため、その詳細な説明は省略することとする。
【０６４６】
以下、ＩＣ運転免許証を用いた場合の第１の認証処理、第２の認証処理、第３の認証処理、第４の認証処理、第５の認証処理および第６の認証処理について、図２８乃至図３３を参照しながら、詳細に説明する。
【０６４７】
ここで、図２８には、本発明の第１の実施の形態による車両予約システムを備えたカーシェアリングシステムにおけるＩＣ運転免許証を用いた第１の認証処理の詳細な処理内容が示されたフローチャートが示されており、また、図２９には、本発明の第１の実施の形態による車両予約システムを備えたカーシェアリングシステムにおけるＩＣ運転免許証を用いた第２の認証処理の詳細な処理内容が示されたフローチャートが示されており、また、図３０には、本発明の第１の実施の形態による車両予約システムを備えたカーシェアリングシステムにおけるＩＣ運転免許証を用いた第３の認証処理の詳細な処理内容が示されたフローチャートが示されており、また、図３１には、本発明の第１の実施の形態による車両予約システムを備えたカーシェアリングシステムにおけるＩＣ運転免許証を用いた第４の認証処理の詳細な処理内容が示されたフローチャートが示されており、また、図３２には、本発明の第１の実施の形態による車両予約システムを備えたカーシェアリングシステムにおけるＩＣ運転免許証を用いた第５の認証処理の詳細な処理内容が示されたフローチャートが示されており、また、図３３には、本発明の第１の実施の形態による車両予約システムを備えたカーシェアリングシステムにおけるＩＣ運転免許証を用いた第５の認証処理の詳細な処理内容が示されたフローチャートが示されている。
【０６４８】
まず、第１の認証処理について説明する。この第１の認証処理では、メインコントローラー１２ｃの制御により、カードリーダー４０と入力装置４２とを起動する（ステップＳ２８０２）。
【０６４９】
なお、このステップＳ２８０２の処理においては、カードリーダー４０および入力装置４２を起動した後に、カードリーダー４０に設けられたＬＥＤランプ（図示せず。）を点滅させて、利用者にカードリーダー４０および入力装置４２の起動を知らせるとともに、利用者に入力装置４２に第１の暗証番号と第２の暗証番号とを入力するように促し、さらに、カードリーダー４０へＩＣ運転免許証を翳すように促す。
【０６５０】
ここで、利用者は、カードリーダー４０にＩＣ運転免許証を翳す前に、ＩＣ運転免許証における第１の暗証番号と第２の暗証番号とを入力する必要がある。
【０６５１】
従って、利用者は、ＩＣ運転免許証をカードリーダー４０に翳す前に、入力装置４２に第１の暗証番号および第２の暗証番号を入力することとなる。
【０６５２】
そして、カードリーダー４０と入力装置４２とが起動した後に、入力装置４２に第１の暗証番号と第２の暗証番号とが入力されたか否かの判断を行う（ステップＳ２８０４）。
【０６５３】
即ち、このステップＳ２８０４の判断処理では、メインコントローラー１２ｃにより、入力装置４２から第１の暗証番号と第２の暗証番号とがメインコントローラー１２ｃに入力されたか否かの判断を行うものであり、第１の暗証番号と第２の暗証番号とがメインコントローラー１２ｃに入力されると、入力装置４２に第１の暗証番号と第２の暗証番号とが入力されたと判断され、第１の暗証番号と第２の暗証番号とがメインコントローラー１２ｃに入力されていないと、入力装置４２に第１の暗証番号と第２の暗証番号とが入力されていないと判断される。
【０６５４】
ステップＳ２８０４の判断処理において、入力装置４２に第１の暗証番号と第２の暗証番号とが入力されていないと判断されると、再度ステップＳ２８０４の判断処理が実行される。
【０６５５】
即ち、カードリーダー４０および入力装置４２が起動されると、利用者によって入力装置４２に第１の暗証番号と第２の暗証番号とが入力されるまで、ステップＳ２８０４の判断処理が繰り返し実行されることとなる。
【０６５６】
なお、例えば、ステップＳ２８０４の判断処理が繰り返し実行されて、所定の時間を経過した際には、第１の認証処理を終了するとともに、カードリーダー４０と入力装置４２
と即時利用予約装置１６とを停止して、第１の即時利用予約処理を終了するようにしてもよい。
【０６５７】
その後、カードリーダー４０の読み取り部（図示せず。）に翳されたＩＣ運転免許証から、簡易情報と詳細情報とを読み取る（ステップＳ２８０６）。
【０６５８】
即ち、このステップＳ２８０６の処理においては、ＩＣ運転免許証に内蔵されたＩＣチップから、暗証番号を利用することなく取得することのできる情報たる簡易情報を取得するとともに、入力された第１の暗証番号および第２の暗証番号を利用して取得することのできる情報たる詳細情報を取得する。
【０６５９】
そして、取得した簡易情報および詳細情報と、ステップＳ７０４の処理においてなされた判断結果（つまり、車両１１０の３０分間の予約が選択されたとの判断結果である。）とをメインコントローラー１２ｃから携帯電話網を介してサーバー１０８に出力し（ステップＳ２８０８）、当該簡易情報および詳細情報と、サーバー１０８に予め記憶されている簡易情報および詳細情報とが一致するか否かの判断を行う（ステップＳ２８１０）。
【０６６０】
即ち、このステップＳ２８１０の判断処理においては、サーバー１０８に記憶されている簡易情報および詳細情報を含む各利用者の利用者情報に、サーバー１０８に出力された簡易情報および詳細情報が一致する利用者情報があるか否かを判断するものである。
【０６６１】
つまり、サーバー１０８から出力された簡易情報および詳細情報と一致する簡易情報および詳細情報を有する利用者情報がサーバー１０８にある場合には、取得した簡易情報および詳細情報と、記憶されている簡易情報および詳細情報とが一致すると判断され、サーバー１０８から出力された簡易情報および詳細情報と一致する簡易情報および詳細情報を有する利用者情報がサーバー１０８にない場合には、取得した簡易情報および詳細情報と、記憶されている簡易情報および詳細情報とが一致しないと判断される。
【０６６２】
ステップＳ２８１０の判断処理において、取得した簡易情報および詳細情報と、記憶された簡易情報および詳細情報とが一致しないと判断されると、サーバー１０８において「認証不能」と判断され、「認証不能」との判断結果を携帯電話網を介してメインコントローラー１２ｃに出力する（ステップＳ２８１２）。
【０６６３】
その後、メインコントローラー１２ｃの制御により、カードリーダー４０に設けられたＬＥＤランプ（図示せず。）を点滅することによって、利用者に対して、再度入力装置４２に第１の暗証番号と第２の暗証番号とを入力するとともに、ＩＣ運転免許証をカードリーダー４０に翳すように促し（ステップＳ２８１４）、ステップＳ２８０４の処理に戻り、ステップＳ２８０４以降の処理を行う。
【０６６４】
一方、ステップＳ２８１０の判断処理において、取得した簡易情報および詳細情報と、記憶された簡易情報および詳細情報とが一致すると判断されると、ステップＳ７０８の処理に進む。
【０６６５】
次に、第２の認証処理について説明する。この第２の認証処理では、メインコントローラー１２ｃの制御により、カードリーダー４０と入力装置４２とを起動する（ステップＳ２９０２）。
【０６６６】
なお、このステップＳ２９０２の処理においては、カードリーダー４０および入力装置４２を起動した後に、カードリーダー４０に設けられたＬＥＤランプ（図示せず。）を点滅させて、利用者にカードリーダー４０および入力装置４２の起動を知らせるとともに、利用者に入力装置４２に第１の暗証番号と第２の暗証番号とを入力するよう促し、さらに、カードリーダー４０へＩＣ運転免許証を翳すように促す。
【０６６７】
ここで、利用者は、カードリーダー４０にＩＣ運転免許証を翳す前に、ＩＣ運転免許証における第１の暗証番号と第２の暗証番号とを入力する必要がある。
【０６６８】
従って、利用者は、ＩＣ運転免許証をカードリーダー４０に翳す前に、入力装置４２に第１の暗証番号および第２の暗証番号を入力することとなる。
【０６６９】
そして、カードリーダー４０と入力装置４２とが起動した後に、入力装置４２に第１の暗証番号と第２の暗証番号とが入力されたか否かの判断を行う（ステップＳ２９０４）。
【０６７０】
なお、ステップＳ２９０４の判断処理では、上記したステップＳ２８０４の判断処理と同様にして、入力装置４２に第１の暗証番号と第２の暗証番号とが入力されたか否かの判断がなされる。
【０６７１】
ステップＳ２９０４の判断処理において、入力装置４２に第１の暗証番号と第２の暗証番号とが入力されていないと判断されると、再度ステップＳ２９０４の判断処理が実行される。
【０６７２】
即ち、カードリーダー４０および入力装置４２が起動されると、利用者によって入力装置４２に第１の暗証番号と第２の暗証番号とが入力されるまで、ステップＳ２９０４の判断処理が繰り返し実行されることとなる。
【０６７３】
なお、例えば、ステップＳ２９０４の判断処理が繰り返し実行されて、所定の時間を経過した際には、第２の認証処理を終了するとともに、カードリーダー４０、入力装置４２および即時利用予約装置１６を停止して、第１の即時利用予約処理を終了するようにしてもよい。
【０６７４】
その後、カードリーダー４０の読み取り部（図示せず。）に翳されたＩＣ運転免許証から簡易情報と詳細情報とを読み取る（ステップＳ２９０６）。
【０６７５】
即ち、このステップＳ２９０６の処理においては、ＩＣ運転免許証に内蔵されたＩＣチップから、暗証番号を利用することなく取得することのできる情報たる簡易情報を取得するとともに、入力された第１の暗証番号および第２の暗証番号を利用して取得することのできる情報たる詳細情報を取得する。
【０６７６】
そして、取得した簡易情報および詳細情報と、ステップＳ８０４の処理においてなされた判断結果（つまり、車両１１０の３０分間の予約が選択されたとの判断結果である。）とをメインコントローラー１２ｃから携帯電話網を介してサーバー１０８に出力し（ステップＳ２９０８）、当該簡易情報および詳細情報と、サーバー１０８に予め記憶されている簡易情報および詳細情報とが一致するか否かの判断を行う（ステップＳ２９１０）。
【０６７７】
なお、ステップＳ２９１０の判断処理では、上記したステップＳ２８１０の判断処理と同様にして、取得した簡易情報および詳細情報と、サーバー１０８に記憶されている簡易情報および詳細情報とが一致するか否かの判断がなされる。
【０６７８】
ステップＳ２９１０の判断処理において、取得した簡易情報および詳細情報と、記憶された簡易情報および詳細情報とが一致しないと判断されると、サーバー１０８において「認証不能」と判断され、「認証不能」との判断結果を携帯電話網を介してメインコントローラー１２ｃに出力する（ステップＳ２９１２）。
【０６７９】
その後、メインコントローラー１２ｃの制御により、カードリーダー４０に設けられたＬＥＤランプ（図示せず。）を点滅することによって、利用者に対して、再度入力装置４２に第１の暗証番号と第２の暗証番号とを入力するとともに、ＩＣ運転免許証をカードリーダー４０に翳すように促し（ステップＳ２９１４）、ステップＳ２９０４の処理に戻り、ステップＳ２９０４以降の処理を行う。
【０６８０】
一方、ステップＳ２９１０の判断処理において、取得した簡易情報および詳細情報と、記憶された簡易情報および詳細情報とが一致すると判断されると、ステップＳ８０８の処理に進む。
【０６８１】
次に、第３の認証処理について説明する。この第３の認証処理では、メインコントローラー１２ｃの制御により、カードリーダー４０と入力装置４２とを起動する（ステップＳ３００２）。
【０６８２】
なお、このステップＳ３００２の処理においては、カードリーダー４０および入力装置４２を起動した後に、カードリーダー４０に設けられたＬＥＤランプ（図示せず。）を点滅させて、利用者にカードリーダー４０および入力装置４２の起動を知らせるとともに、利用者に入力装置４２に第１の暗証番号と第２の暗証番号とを入力するよう促し、さらに、カードリーダー４０へＩＣ運転免許証を翳すように促す。
【０６８３】
ここで、利用者は、カードリーダー４０にＩＣ運転免許証を翳す前に、ＩＣ運転免許証における第１の暗証番号と第２の暗証番号とを入力する必要がある。
【０６８４】
従って、利用者は、ＩＣ運転免許証をカードリーダー４０に翳す前に、入力装置４２に第１の暗証番号および第２の暗証番号を入力することとなる。
【０６８５】
そして、カードリーダー４０と入力装置４２とが起動した後に、入力装置４２に第１の暗証番号と第２の暗証番号とが入力されたか否かの判断を行う（ステップＳ３００４）。
【０６８６】
なお、ステップＳ３００４の判断処理では、上記したステップＳ２８０４の判断処理と同様にして、入力装置４２に第１の暗証番号と第２の暗証番号とが入力されたか否かの判断がなされる。
【０６８７】
ステップＳ３００４の判断処理において、入力装置４２に第１の暗証番号と第２の暗証番号とが入力されていないと判断されると、再度ステップＳ３００４の判断処理が実行される。
【０６８８】
即ち、カードリーダー４０および入力装置４２が起動されると、利用者によって入力装置４２に第１の暗証番号と第２の暗証番号とが入力されるまで、ステップＳ３００４の判断処理が繰り返し実行されることとなる。
【０６８９】
なお、例えば、ステップＳ３００４の判断処理が繰り返し実行されて、所定の時間を経過した際には、第３の認証処理を終了するとともに、カードリーダー４０、入力装置４２および即時利用予約装置１６を停止して、第１の即時利用予約処理を終了するようにしてもよい。
【０６９０】
その後、カードリーダー４０の読み取り部（図示せず。）に翳されたＩＣ運転免許証から簡易情報と詳細情報とを読み取る（ステップＳ３００６）。
【０６９１】
即ち、このステップＳ３００６の処理においては、ＩＣ運転免許証に内蔵されたＩＣチップから、暗証番号を利用することなく取得することのできる情報たる簡易情報を取得するとともに、入力された第１の暗証番号および第２の暗証番号を利用して取得することのできる情報たる詳細情報を取得する。
【０６９２】
そして、取得した簡易情報および詳細情報と、ステップＳ８１２の処理においてなされた判断結果（つまり、車両１１０の３時間の予約が選択されたとの判断結果である。）とをメインコントローラー１２ｃから携帯電話網を介してサーバー１０８に出力し（ステップＳ３００８）、当該簡易情報および詳細情報と、サーバー１０８に予め記憶されている簡易情報および詳細情報とが一致するか否かの判断を行う（ステップＳ３０１０）。
【０６９３】
なお、ステップＳ３０１０の判断処理では、上記したステップＳ２８１０の判断処理と同様にして、取得した簡易情報および詳細情報と、サーバー１０８に記憶されている簡易情報および詳細情報とが一致するか否かの判断がなされる。
【０６９４】
ステップＳ３０１０の判断処理において、取得した簡易情報および詳細情報と、記憶された簡易情報および詳細情報とが一致しないと判断されると、サーバー１０８において「認証不能」と判断され、「認証不能」との判断結果を携帯電話網を介してメインコントローラー１２ｃに出力する（ステップＳ３０１２）。
【０６９５】
その後、メインコントローラー１２ｃの制御により、カードリーダー４０に設けられたＬＥＤランプ（図示せず。）を点滅することによって、利用者に対して、再度入力装置４２に第１の暗証番号と第２の暗証番号とを入力するとともに、ＩＣ運転免許証をカードリーダー４０に翳すように促し（ステップＳ３０１４）、ステップＳ３００４の処理に戻り、ステップＳ３００４以降の処理を行う。
【０６９６】
一方、ステップＳ３０１０の判断処理において、取得した簡易情報および詳細情報と、記憶された簡易情報および詳細情報とが一致すると判断されると、ステップＳ８１６の処理に進む。
【０６９７】
次に、第４の認証処理について説明する。この第４の認証処理では、メインコントローラー１２ｃの制御により、カードリーダー４０と入力装置４２とを起動する（ステップＳ３１０２）。
【０６９８】
なお、このステップＳ３１０２の処理においては、カードリーダー４０および入力装置４２を起動した後に、カードリーダー４０に設けられたＬＥＤランプ（図示せず。）を点滅させて、利用者にカードリーダー４０および入力装置４２の起動を知らせるとともに、利用者に入力装置４２に第１の暗証番号と第２の暗証番号とを入力するよう促し、さらに、カードリーダー４０へＩＣ運転免許証を翳すように促す。
【０６９９】
ここで、利用者は、カードリーダー４０にＩＣ運転免許証を翳す前に、ＩＣ運転免許証における第１の暗証番号と第２の暗証番号とを入力する必要がある。
【０７００】
従って、利用者は、ＩＣ運転免許証をカードリーダー４０に翳す前に、入力装置４２に第１の暗証番号および第２の暗証番号を入力することとなる。
【０７０１】
そして、カードリーダー４０と入力装置４２とが起動した後に、入力装置４２に第１の暗証番号と第２の暗証番号とが入力されたか否かの判断を行う（ステップＳ３１０４）。
【０７０２】
なお、ステップＳ３１０４の判断処理では、上記したステップＳ２８０４の判断処理と同様にして、入力装置４２に第１の暗証番号と第２の暗証番号とが入力されたか否かの判断がなされる。
【０７０３】
ステップＳ３１０４の判断処理において、入力装置４２に第１の暗証番号と第２の暗証番号とが入力されていないと判断されると、再度ステップＳ３１０４の判断処理が実行される。
【０７０４】
即ち、カードリーダー４０および入力装置４２が起動されると、利用者によって入力装置４２に第１の暗証番号と第２の暗証番号とが入力されるまで、ステップＳ３１０４の判断処理が繰り返し実行されることとなる。
【０７０５】
なお、例えば、ステップＳ３１０４の判断処理が繰り返し実行されて、所定の時間を経過した際には、第４の認証処理を終了するとともに、カードリーダー４０、入力装置４２および即時利用予約装置１６を停止して、第１の即時利用予約処理を終了するようにしてもよい。
【０７０６】
その後、カードリーダー４０の読み取り部（図示せず。）に翳されたＩＣ運転免許証から簡易情報と詳細情報とを読み取る（ステップＳ３１０６）。
【０７０７】
即ち、このステップＳ３１０６の処理においては、ＩＣ運転免許証に内蔵されたＩＣチップから、暗証番号を利用することなく取得することのできる情報たる簡易情報を取得するとともに、入力された第１の暗証番号および第２の暗証番号を利用して取得することのできる情報たる詳細情報を取得する。
【０７０８】
そして、取得した簡易情報および詳細情報と、ステップＳ９０４の処理においてなされた判断結果（つまり、車両１１０の３０分間の予約が選択されたとの判断結果である。）とをメインコントローラー１２ｃから携帯電話網を介してサーバー１０８に出力し（ステップＳ３１０８）、当該簡易情報および詳細情報と、サーバー１０８に予め記憶されている簡易情報および詳細情報とが一致するか否かの判断を行う（ステップＳ３１１０）。
【０７０９】
なお、ステップＳ３１１０の判断処理では、上記したステップＳ２８１０の判断処理と同様にして、取得した簡易情報および詳細情報と、サーバー１０８に記憶されている簡易情報および詳細情報とが一致するか否かの判断がなされる。
【０７１０】
ステップＳ３１１０の判断処理において、取得した簡易情報および詳細情報と、記憶された簡易情報および詳細情報とが一致しないと判断されると、サーバー１０８において「認証不能」と判断され、「認証不能」との判断結果を携帯電話網を介してメインコントローラー１２ｃに出力する（ステップＳ３１１２）。
【０７１１】
その後、メインコントローラー１２ｃの制御により、カードリーダー４０に設けられたＬＥＤランプ（図示せず。）を点滅することによって、利用者に対して、再度入力装置４２に第１の暗証番号と第２の暗証番号とを入力するとともに、ＩＣ運転免許証をカードリーダー４０に翳すように促し（ステップＳ３１１４）、ステップＳ３１０４の処理に戻り、ステップＳ３１０４以降の処理を行う。
【０７１２】
一方、ステップＳ３１１０の判断処理において、取得した簡易情報および詳細情報と、記憶された簡易情報および詳細情報とが一致すると判断されると、ステップＳ９０８の処理に進む。
【０７１３】
次に、第５の認証処理について説明する。この第５の認証処理では、メインコントローラー１２ｃの制御により、カードリーダー４０と入力装置４２とを起動する（ステップＳ３２０２）。
【０７１４】
なお、このステップＳ３２０２の処理においては、カードリーダー４０および入力装置４２を起動した後に、カードリーダー４０に設けられたＬＥＤランプ（図示せず。）を点滅させて、利用者にカードリーダー４０および入力装置４２の起動を知らせるとともに、利用者に入力装置４２に第１の暗証番号と第２の暗証番号とを入力するよう促し、さらに、カードリーダー４０へＩＣ運転免許証を翳すように促す。
【０７１５】
ここで、利用者は、カードリーダー４０にＩＣ運転免許証を翳す前に、ＩＣ運転免許証における第１の暗証番号と第２の暗証番号とを入力する必要がある。
【０７１６】
従って、利用者は、ＩＣ運転免許証をカードリーダー４０に翳す前に、入力装置４２に第１の暗証番号および第２の暗証番号を入力することとなる。
【０７１７】
そして、カードリーダー４０と入力装置４２とが起動した後に、入力装置４２に第１の暗証番号と第２の暗証番号とが入力されたか否かの判断を行う（ステップＳ３２０４）。
【０７１８】
なお、ステップＳ３２０４の判断処理では、上記したステップＳ２８０４の判断処理と同様にして、入力装置４２に第１の暗証番号と第２の暗証番号とが入力されたか否かの判断がなされる。
【０７１９】
ステップＳ３２０４の判断処理において、入力装置４２に第１の暗証番号と第２の暗証番号とが入力されていないと判断されると、再度ステップＳ３２０４の判断処理が実行される。
【０７２０】
即ち、カードリーダー４０および入力装置４２が起動されると、利用者によって入力装置４２に第１の暗証番号と第２の暗証番号とが入力されるまで、ステップＳ３２０４の判断処理が繰り返し実行されることとなる。
【０７２１】
なお、例えば、ステップＳ３２０４の判断処理が繰り返し実行されて、所定の時間を経過した際には、第５の認証処理を終了するとともに、カードリーダー４０、入力装置４２および即時利用予約装置１６を停止して、第１の即時利用予約処理を終了するようにしてもよい。
【０７２２】
その後、カードリーダー４０の読み取り部（図示せず。）に翳されたＩＣ運転免許証から簡易情報と詳細情報とを読み取る（ステップＳ３２０６）。
【０７２３】
即ち、このステップＳ３２０６の処理においては、ＩＣ運転免許証に内蔵されたＩＣチップから、暗証番号を利用することなく取得することのできる情報たる簡易情報を取得するとともに、入力された第１の暗証番号および第２の暗証番号を利用して取得することのできる情報たる詳細情報を取得する。
【０７２４】
そして、取得した簡易情報および詳細情報と、ステップＳ９１２の処理においてなされた判断結果（つまり、車両１１０の３時間の予約が選択されたとの判断結果である。）とをメインコントローラー１２ｃから携帯電話網を介してサーバー１０８に出力し（ステップＳ３２０８）、当該簡易情報および詳細情報と、サーバー１０８に予め記憶されている簡易情報および詳細情報とが一致するか否かの判断を行う（ステップＳ３２１０）。
【０７２５】
なお、ステップＳ３２１０の判断処理では、上記したステップＳ２８１０の判断処理と同様にして、取得した簡易情報および詳細情報と、サーバー１０８に記憶されている簡易情報および詳細情報とが一致するか否かの判断がなされる。
【０７２６】
ステップＳ３２１０の判断処理において、取得した簡易情報および詳細情報と、記憶された簡易情報および詳細情報とが一致しないと判断されると、サーバー１０８において「認証不能」と判断され、「認証不能」との判断結果を携帯電話網を介してメインコントローラー１２ｃに出力する（ステップＳ３２１２）。
【０７２７】
その後、メインコントローラー１２ｃの制御により、カードリーダー４０に設けられたＬＥＤランプ（図示せず。）を点滅することによって、利用者に対して、再度入力装置４２に第１の暗証番号と第２の暗証番号とを入力するとともに、ＩＣ運転免許証をカードリーダー４０に翳すように促し（ステップＳ３２１４）、ステップＳ３２０４の処理に戻り、ステップＳ３２０４以降の処理を行う。
【０７２８】
一方、ステップＳ３２１０の判断処理において、取得した簡易情報および詳細情報と、記憶された簡易情報および詳細情報とが一致すると判断されると、ステップＳ９１６の処理に進む。
【０７２９】
次に、第６の認証処理について説明する。この第６の認証処理では、メインコントローラー１２ｃの制御により、カードリーダー４０と入力装置４２とを起動する（ステップＳ３３０２）。
【０７３０】
なお、このステップＳ３３０２の処理においては、カードリーダー４０および入力装置４２を起動した後に、カードリーダー４０に設けられたＬＥＤランプ（図示せず。）を点滅させて、利用者にカードリーダー４０および入力装置４２の起動を知らせるとともに、利用者に入力装置４２に第１の暗証番号と第２の暗証番号とを入力するよう促し、さらに、カードリーダー４０へＩＣ運転免許証を翳すように促す。
【０７３１】
ここで、利用者は、カードリーダー４０にＩＣ運転免許証を翳す前に、ＩＣ運転免許証における第１の暗証番号と第２の暗証番号とを入力する必要がある。
【０７３２】
従って、利用者は、ＩＣ運転免許証をカードリーダー４０に翳す前に、入力装置４２に第１の暗証番号および第２の暗証番号を入力することとなる。
【０７３３】
そして、カードリーダー４０と入力装置４２とが起動した後に、入力装置４２に第１の暗証番号と第２の暗証番号とが入力されたか否かの判断を行う（ステップＳ３３０４）。
【０７３４】
なお、ステップＳ３３０４の判断処理では、上記したステップＳ２８０４の判断処理と同様にして、入力装置４２に第１の暗証番号と第２の暗証番号とが入力されたか否かの判断がなされる。
【０７３５】
ステップＳ３３０４の判断処理において、入力装置４２に第１の暗証番号と第２の暗証番号とが入力されていないと判断されると、再度ステップＳ３３０４の判断処理が実行される。
【０７３６】
即ち、カードリーダー４０および入力装置４２が起動されると、利用者によって入力装置４２に第１の暗証番号と第２の暗証番号とが入力されるまで、ステップＳ３３０４の判断処理が繰り返し実行されることとなる。
【０７３７】
なお、例えば、ステップＳ３３０４の判断処理が繰り返し実行されて、所定の時間を経過した際には、第６の認証処理を終了するとともに、カードリーダー４０、入力装置４２および即時利用予約装置１６を停止して、第１の即時利用予約処理を終了するようにしてもよい。
【０７３８】
その後、カードリーダー４０の読み取り部（図示せず。）に翳されたＩＣ運転免許証から簡易情報と詳細情報とを読み取る（ステップＳ３３０６）。
【０７３９】
即ち、このステップＳ３３０６の処理においては、ＩＣ運転免許証に内蔵されたＩＣチップから、暗証番号を利用することなく取得することのできる情報たる簡易情報を取得するとともに、入力された第１の暗証番号および第２の暗証番号を利用して取得することのできる情報たる詳細情報を取得する。
【０７４０】
そして、取得した簡易情報および詳細情報と、ステップＳ９１８の処理においてなされた判断結果（つまり、車両１１０の１２時間の予約が選択されたとの判断結果である。）とをメインコントローラー１２ｃから携帯電話網を介してサーバー１０８に出力し（ステップＳ３３０８）、当該簡易情報および詳細情報と、サーバー１０８に予め記憶されている簡易情報および詳細情報とが一致するか否かの判断を行う（ステップＳ３３１０）。
【０７４１】
なお、ステップＳ３３１０の判断処理では、上記したステップＳ２８１０の判断処理と同様にして、取得した簡易情報および詳細情報と、サーバー１０８に記憶されている簡易情報および詳細情報とが一致するか否かの判断がなされる。
【０７４２】
ステップＳ３３１０の判断処理において、取得した簡易情報および詳細情報と、記憶された簡易情報および詳細情報とが一致しないと判断されると、サーバー１０８において「認証不能」と判断され、「認証不能」との判断結果を携帯電話網を介してメインコントローラー１２ｃに出力する（ステップＳ３３１２）。
【０７４３】
その後、メインコントローラー１２ｃの制御により、カードリーダー４０に設けられたＬＥＤランプ（図示せず。）を点滅することによって、利用者に対して、再度入力装置４２に第１の暗証番号と第２の暗証番号とを入力するとともに、ＩＣ運転免許証をカードリーダー４０に翳すように促し（ステップＳ３３１４）、ステップＳ３３０４の処理に戻り、ステップＳ３３０４以降の処理を行う。
【０７４４】
一方、ステップＳ３３１０の判断処理において、取得した簡易情報および詳細情報と、記憶された簡易情報および詳細情報とが一致すると判断されると、ステップＳ９２２の処理に進む。
【０７４５】
また、本発明の第２の実施の形態による車両予約システムを備え、ＩＣ運転免許証を用いて認証処理を行うカーシェアリングシステム７０では、第２の即時利用予約処理のステップＳ２００２の処理における認証処理において、ＩＣ運転免許証を用いることとなる。
【０７４６】
なお、本発明の第２の実施の形態による車両予約システムを備え、ＩＣ運転免許証を用いて認証処理を行うカーシェアリングシステム７０では、車両利用前の認証処理および車両利用後の認証処理についてもＩＣ運転免許証を用いるが、この車両利用前の認証処理および車両利用後の認証処理については、例えば、特開２０１２−２４７８１８号公報に開示された技術を用いることができるため、その詳細な説明は省略することとする。
【０７４７】
以下、ＩＣ運転免許証を用いた認証処理について、図３４を参照しながら、詳細に説明する。
【０７４８】
ここで、図３４には、本発明の第２の実施の形態による車両予約システムを備えたカーシェアリングシステムにおけるＩＣ運転免許証を用いた認証処理の詳細な処理内容が示されたフローチャートが示されている。
【０７４９】
このＩＣ運転免許証による認証処理は、カーシェアリングシステム１０において第２の即時利用予約処理が開始されると最初になされるＩＣカードによる認証処理に相当する処理である。
【０７５０】
従って、カーシェアリングシステム７０において、第２の即時利用予約処理が開始されると、まず、ＩＣ運転免許証による認証処理が行われることとなる。
【０７５１】
ＩＣ運転免許証による認証処理では、まず、メインコントローラー１２ｃの制御により、カードリーダー４０と入力装置４２とを起動する（ステップＳ３４０２）。
【０７５２】
なお、このステップＳ３４０２の処理においては、カードリーダー４０および入力装置４２を起動した後に、カードリーダー４０に設けられたＬＥＤランプ（図示せず。）を点滅させて、利用者にカードリーダー４０および入力装置４２の起動を知らせるとともに、利用者に入力装置４２に第１の暗証番号と第２の暗証番号とを入力するように促し、さらに、カードリーダー４０へＩＣ運転免許証を翳すように促す。
【０７５３】
ここで、利用者は、カードリーダー４０にＩＣ運転免許証を翳す前に、ＩＣ運転免許証における第１の暗証番号と第２の暗証番号とを入力する必要がある。
従って、利用者は、ＩＣ運転免許証をカードリーダー４０に翳す前に、入力装置４２に第１の暗証番号および第２の暗証番号を入力することとなる。
【０７５４】
そして、カードリーダー４０と入力装置４２とが起動した後に、入力装置４２に第１の暗証番号と第２の暗証番号とが入力されたか否かの判断を行う（ステップＳ３４０４）。
【０７５５】
即ち、カードリーダー４０および入力装置４２が起動されると、利用者によって入力装置４２に第１の暗証番号と第２の暗証番号とが入力されるまで、ステップＳ３４０４の判断処理が繰り返し実行されることとなる。
【０７５６】
なお、例えば、ステップＳ３４０４の判断処理が繰り返し実行されて、所定の時間を経過した際には、ＩＣ運転免許証による認証処理を終了するとともに、カードリーダー４０と入力装置４２と即時利用予約装置１６とを停止して、第２の即時利用予約処理を終了するようにしてもよい。
【０７５７】
その後、カードリーダー４０の読み取り部（図示せず。）に翳されたＩＣ運転免許証から、簡易情報と詳細情報とを読み取る（ステップＳ３４０６）。
【０７５８】
即ち、このステップＳ３４０６の処理においては、ＩＣ運転免許証に内蔵されたＩＣチップから、暗証番号を利用することなく取得することのできる情報たる簡易情報を取得するとともに、入力された第１の暗証番号と第２の暗証番号とを利用して取得することのできる情報たる詳細情報を取得する。
【０７５９】
そして、取得した簡易情報および詳細情報をメインコントローラー１２ｃから携帯電話網を介してサーバー１０８に出力し（ステップＳ３４０８）、当該簡易情報および詳細情報と、サーバー１０８に予め記憶されている簡易情報および詳細情報とが一致するか否かの判断を行う（ステップＳ３４１０）。
【０７６０】
即ち、このステップＳ３４１０の判断処理においては、サーバー１０８に記憶されている簡易情報および詳細情報を含む各利用者の利用者情報に、サーバー１０８に出力された簡易情報および詳細情報が一致する利用者情報があるか否かを判断するものである。
【０７６１】
つまり、サーバー１０８から出力された簡易情報および詳細情報と一致する簡易情報および詳細情報を有する利用者情報がサーバー１０８にある場合には、取得した簡易情報および詳細情報と、記憶されている簡易情報および詳細情報とが一致すると判断され、サーバー１０８から出力された簡易情報および詳細情報と一致する簡易情報および詳細情報を有する利用者情報がサーバー１０８にない場合には、取得した簡易情報および詳細情報と、記憶されている簡易情報および詳細情報とが一致しないと判断される。
【０７６２】
ステップＳ３４１０の判断処理において、取得した簡易情報および詳細情報と、記憶された簡易情報および詳細情報とが一致していないと判断されると、サーバー１０８において「認証不能」と判断され、「認証不能」との判断結果を携帯電話網を介してメインコントローラー１２ｃに出力する（ステップＳ３４１２）。
【０７６３】
その後、メインコントローラー１２ｃの制御により、カードリーダー４０に設けられたＬＥＤランプ（図示せず。）を点滅することによって、利用者に対して、再度入力装置４２に第１の暗証番号と第２の暗証番号とを入力するとともに、ＩＣ運転免許証をカードリーダー４０に翳すように促し（ステップＳ３４１４）、ステップＳ３４０４の処理に戻り、ステップＳ３４０４以降の処理を行う。
【０７６４】
一方、ステップＳ３４１０の判断処理において、取得した簡易情報および詳細情報と、記憶された簡易情報および詳細情報とが一致すると判断されると、サーバー１０８において「認証」と判断され、「認証」との判断結果を携帯電話網を介してメインコントローラー１２ｃに出力する（ステップＳ３４１６）。
【０７６５】
その後、メインコントローラー１２ｃの制御により、カードリーダー４０に設けられたＬＥＤランプ（図示せず。）を点滅する（ステップＳ３４１４の処理における点滅パターンとは異なる点滅パターンである。）ことで、利用者に対して認証され、即時利用予約が可能となった旨を知らせ（ステップＳ３４１８）、ステップＳ２００４の処理に進む。
【０７６６】
なお、ＩＣ運転免許証による認証処理により起動したカードリーダー４０は、例えば、ＬＥＤランプ（図示せず）を点滅して、利用者に対して即時利用予約が可能となった旨を知らせた後に所定の時間が経過した、即時利用予約装置１６が停止した、あるいは、第２の即時利用予約処理が終了したなどのタイミングで停止、つまり、電源が切られる。
【０７６７】
このＩＣ運転免許証による認証処理では、ＩＣ運転免許証から簡易情報と詳細情報とを読み取り、読み取った簡易情報および詳細情報が、記憶された簡易情報および詳細情報と一致するか否かを判断するようにしたが、ＩＣ運転免許証から詳細情報のみを読み取り、読み取った詳細情報が、記憶された詳細情報と一致するか否かを判断するようにしてもよい。
【０７６８】
（２２）上記した実施の形態ならびに上記した（１）乃至（２１）に示す変形例は、適宜に組み合わせるようにしてもよい。
【産業上の利用可能性】
【０７６９】
本発明は、複数の利用者により共用される車両を予約する車両予約システムとして用いて好適である。
【符号の説明】
【０７７０】
１０、５０、６０、７０、１００        カーシェアリングシステム
１２        車載器
１２ｃ        メインコントローラー
１４、１４−１、１４−２、１４−３、１４−４        近接センサ
１６        即時利用予約装置
１８        ＧＰＳ衛星
２０−１、２０−２、２０−３        ＬＥＤランプ
２２、４２        入力装置
４０、１１４        カードリーダー
１０２、１０４        パーソナルコンピューター
１０６        携帯端末
１０８        サーバー
１１０        車両
１１２        車載器
１１６        キーボックス
【図１】
0006531049.tif 000002
【図２】
0006531049.tif 000003
【図３】
0006531049.tif 000004
【図４】
0006531049.tif 000005
【図５】
0006531049.tif 000006
【図６】
0006531049.tif 000007
【図７】
0006531049.tif 000008
【図８】
0006531049.tif 000009
【図９】
0006531049.tif 000010
【図１０】
0006531049.tif 000011
【図１１】
0006531049.tif 000012
【図１２】
0006531049.tif 000013
【図１３】
0006531049.tif 000014
【図１４】
0006531049.tif 000015
【図１５】
0006531049.tif 000016
【図１６】
0006531049.tif 000017
【図１７】
0006531049.tif 000018
【図１８】
0006531049.tif 000019
【図１９】
0006531049.tif 000020
【図２０】
0006531049.tif 000021
【図２１】
0006531049.tif 000022
【図２２】
0006531049.tif 000023
【図２３】
0006531049.tif 000024
【図２４】
0006531049.tif 000025
【図２５】
0006531049.tif 000026
【図２６】
0006531049.tif 000027
【図２７】
0006531049.tif 000028
【図２８】
0006531049.tif 000029
【図２９】
0006531049.tif 000030
【図３０】
0006531049.tif 000031
【図３１】
0006531049.tif 000032
【図３２】
0006531049.tif 000033
【図３３】
0006531049.tif 000034
【図３４】
0006531049.tif 000035